(57)【要約】  本発明は、仮想キャリア・アグリゲーション方法、基地局、及びユーザ装置を提供する。仮想キャリア・アグリゲーション方法は、基地局により、ＵＥによって通知された測定能力表示情報及びデータ通信を受信する能力を示す表示情報を受信するステップ；測定能力表示情報に従って、ＵＥに対して、測定セットを選択するステップ；測定セットをＵＥに通知するステップを含む。データ通信を受信する能力を示す表示情報は、ＵＥがデータ通信の同時受信を行うキャリアの情報を含み、そして測定能力表示情報は、ＣＳＩを測定するためのＵＥの能力を示す表示情報、及び／又はＲＳＲＰを測定するＵＥの能力を示す表示情報を含む。本発明によれば、基地局は、ＵＥに対して、起動されたキャリアセットを柔軟に選択することができる。
2015523023.tif 000002
【特許請求の範囲】
【請求項１】
ユーザ装置により通知される測定能力表示情報及びデータ通信を受信する能力を示す表示情報を、基地局により受信するステップ；
前記基地局により、前記測定能力表示情報に従って前記ユーザ装置の測定セットを選択するステップ；及び
前記基地局により、前記測定セットを前記ユーザ装置に通知するステップ；
を備え、
前記データ通信を受信する能力を示す前記表示情報は、前記ユーザ装置がデータ通信の同時受信を行うキャリアの情報を含み、かつ前記測定能力表示情報は、チャネル状態情報ＣＳＩを測定する前記ユーザ装置の能力を示す表示情報、及び／又は基準信号受信電力ＲＳＲＰを測定する前記ユーザ装置の能力を示す表示情報を含む、
仮想キャリア・アグリゲーション方法。
【請求項２】
前記測定能力表示情報が、前記ＣＳＩを測定する前記ユーザ装置の能力を示す表示情報である場合、前記ユーザ装置がＣＳＩ測定を行うキャリアの個数は、前記ユーザ装置がデータ通信の同時受信を行うキャリアの個数より多い、及び／又は、前記ユーザ装置が同時ＣＳＩ測定を行うキャリアの個数は、前記ユーザ装置がデータ通信の同時受信を行うキャリアの個数より多い、
請求項１に記載の方法。
【請求項３】
前記測定能力表示情報が前記ＣＳＩを測定する前記ユーザ装置の能力を示す前記表示情報である場合、ユーザ装置により通知される測定能力表示情報及びデータ通信を受信する能力を示す表示情報を、基地局により受信する前記ステップは、
前記基地局により、前記ユーザ装置により通知される前記ユーザ装置の種別であって、ＣＳＩを測定する前記ユーザ装置の前記能力を予め定める、前記ユーザ装置の種別、を受信するステップ；
を含む、請求項１又は２に記載の方法。
【請求項４】
前記測定能力表示情報がＣＳＩを測定する前記ユーザ装置の前記能力を示す前記表示情報である場合、ＣＳＩを測定する前記ユーザ装置の前記能力は：前記ユーザ装置がＣＳＩ測定を行うキャリアの個数、及び／又は前記ユーザ装置が同時ＣＳＩ測定を行うキャリアの個数を含む；又は
ＣＳＩを測定する前記ユーザ装置の前記能力は：前記ユーザ装置がＣＳＩ測定を行うキャリアの個数及び前記ユーザ装置が同時ＣＳＩ測定を行うキャリアの個数；及び前記ユーザ装置がＣＳＩ測定を行う各キャリア上で実行されるＣＳＩ測定の量；のうちの１つ又は全てを含む、又は
ＣＳＩを測定する前記ユーザ装置の前記能力は：前記ユーザ装置がＣＳＩ測定を行うキャリアの個数及び前記ユーザ装置が同時ＣＳＩ測定を行うキャリアの個数；及び前記ユーザ装置がＣＳＩ測定を実行する全てのキャリア上で前記ユーザ装置により実行されるＣＳＩ測定の総量；のうちの１つ又は全てを含む、又は
ＣＳＩを測定する前記ユーザ装置の前記能力は：前記ＵＥがＣＳＩ測定を行うキャリアの組み合わせ及び前記ユーザ装置が同時ＣＳＩ測定を行うキャリアの組み合わせ；及び前記ユーザ装置が前記ＣＳＩ測定を実行する各キャリア上で前記ユーザ装置により実行されるＣＳＩ測定の回数；のうちの１つ又は全てを含む、又は
ＣＳＩを測定する前記ユーザ装置の前記能力は：前記ユーザ装置がＣＳＩ測定を行うキャリアの組み合わせ及び前記ユーザ装置が同時ＣＳＩ測定を行うキャリアの組み合わせ；及び前記ユーザ装置がＣＳＩ測定を実行する全てのキャリア上でユーザ装置により実行されるＣＳＩ測定の総量；のうちの１つ又は全てを含む、
請求項１から３のいずれか１項に記載の方法。
【請求項５】
前記測定能力表示情報がＣＳＩを測定する前記ユーザ装置の前記能力を示す前記表示情報であるとき、ＣＳＩを測定する前記ユーザ装置の前記能力は：前記ユーザ装置がＣＳＩ測定を行うキャリアの個数、及び／又は前記ユーザ装置が同時ＣＳＩ測定を行うキャリアの個数を含む；又は
ＣＳＩを測定する前記ユーザ装置の前記能力は：前記ユーザ装置がＣＳＩ測定を行うキャリアの個数及び前記ユーザ装置が同時ＳＩ測定を行うキャリアの個数；及び前記ユーザ装置がＣＳＩ測定を行う各キャリア上で実行されるＣＳＩ測定の回数；のうちの１つ又は全てを含む、又は
ＣＳＩを測定する前記ユーザ装置の前記能力は：前記ユーザ装置がＣＳＩ測定を行うキャリアの個数及び前記ユーザ装置が同時ＣＳＩ測定を行うキャリアの個数；及び前記ユーザ装置がＣＳＩ測定を行う全てのキャリア上で実行されるＣＳＩ測定の総量；のうちの１つ又は全てを含む、又は
ＣＳＩを測定する前記ユーザ装置の前記能力は：前記ユーザ装置がＣＳＩ測定を行うキャリアの組み合わせ及び前記ユーザ装置が同時ＣＳＩ測定を行うキャリアの組み合わせ；及び前記ユーザ装置がＣＳＩ測定を行う各キャリア上で実行されるＣＳＩ測定の個数；のうちの１つ又は全てを含む、又は
ＣＳＩを測定する前記ユーザ装置の前記能力は：前記ユーザ装置がＣＳＩ測定を行うキャリアの組み合わせ及び前記ユーザ装置が同時ＣＳＩ測定を行うキャリアの組み合わせ；及び前記ユーザ装置がＣＳＩ測定を行う全てのキャリア上で実行されるＣＳＩ測定の総量；のうちの１つ又は全てを含む、
請求項１から３のいずれか１項に記載の方法。
【請求項６】
前記測定能力表示情報がＣＳＩを測定する前記ユーザ装置の前記能力を示す前記表示情報である場合、前記測定セットがＣＳＩ測定セットであり、前記ＣＳＩ測定セットは、前記ユーザ装置がＣＳＩ測定を実行するキャリアのセットを含み、又は前記ＣＳＩ測定セットは、前記ユーザ装置がＣＳＩ測定を実行するキャリアのセットと、前記ユーザ装置がＣＳＩ測定を実行する各キャリア上でＣＳＩ測定を実行するために使用されるリファレンス信号の情報とを含み、
前記基地局により、前記測定セットを前記ユーザ装置に通知した後に、前記方法は、
前記基地局により、前記ＣＳＩ測定セット内の前記キャリアに関して、前記ユーザ装置によって通知されたチャネル状態情報を受信することをさらに含む、
請求項１から５のいずれか１項に記載の方法。
【請求項７】
前記ＵＥが前記ＣＳＩ測定セット内でＣＳＩ測定を実行する各キャリアでＣＳＩ測定を実行するために使用される前記リファレンス信号は、独立した方式で、又は組み合わされた方式で構成される、
請求項６に記載の方法。
【請求項８】
ＣＳＩ測定を実行するために使用される前記リファレンス信号は、チャネル状態情報リファレンス信号ＣＳＩ−ＲＳ又はセル固有リファレンス信号ＣＲＳを含む、
請求項６又は７に記載の方法。
【請求項９】
前記測定能力表示情報が、基準信号受信電力ＲＳＲＰを測定する前記ユーザ装置の前記能力を示す前記表示情報である場合、
ＲＳＲＰを測定する前記ユーザ装置の前記能力は、前記ユーザ装置がＣＳＩ−ＲＳ受信電力の測定を行うか否かを含む、
請求項１に記載の方法。
【請求項１０】
前記ユーザ装置がＣＳＩ−ＲＳ受信電力の測定を行う場合、ＲＳＲＰを測定する前記ユーザ装置の前記能力は、前記ユーザ装置がＲＳＲＰ測定を行うキャリアの個数をさらに含む、又は
ＲＳＲＰを測定する前記ユーザ装置の能力は、前記ユーザ装置がＲＳＲＰ測定を行うキャリアの個数と、前記ユーザ装置がＣＳＩ−ＲＳ受信電力の測定を行う各キャリア上でのＲＳＲＰ測定のためのリファレンス信号リソースの個数、及び前記ユーザ装置がＣＳＩ−ＲＳ受信電力の測定を行う各キャリア上でのＲＳＲＰ測定のためのポートの個数の個数、及び前記ユーザ装置がＣＳＩ−ＲＳ受信電力を実行する各キャリア上で測定されたＲＳＲＰの個数、のうちの１つ又は組み合わせと、をさらに含む、又は
ＲＳＲＰを測定する前記ユーザ装置の前記能力は、前記ユーザ装置がＲＳＲＰ測定を行うキャリアの個数と、リファレンス信号リソースの総数、及び前記ユーザ装置がＣＳＩ−ＲＳ受信電力の測定を行うすべてのキャリア上でＲＳＲＰ測定のためのポートの総数、及び前記ユーザ装置がＣＳＩ−ＲＳ受信電力の測定を実行するすべてのキャリア上で測定されたＲＳＲＰの総数、のうちの１つ又は組み合わせと、をさらに含む、
請求項９に記載の方法。
【請求項１１】
前記測定能力表示情報がＲＳＲＰを測定する前記ユーザ装置の前記能力を示す前記表示情報である場合、前記測定セットは、リソース管理セットであり、前記リソース管理セットは、前記ユーザ装置がＲＳＲＰ測定を実行するキャリアのセットと、前記ユーザ装置がＲＳＲＰ測定を実行する各キャリア上でＲＳＲＰ測定を実行するために使用されるリファレンス信号とを含み、
前記基地局によって、前記測定セットを前記ユーザ装置に通知した後に、前記方法は、
前記基地局によって、前記リソース管理セット内の前記キャリアに関して、前記ユーザ装置によって通知されたＲＳＲＰを受信することをさらに含む、
請求項１、９又は１０に記載の方法。
【請求項１２】
前記ユーザ装置が前記リソース管理セットにおいてＲＳＲＰ測定を実行する各キャリア上でＲＳＲＰ測定を実行するために使用される前記リファレンス信号は、独立した方式で、又は組み合わされた方式で構成されている、
請求項１１に記載の方法。
【請求項１３】
ＲＳＲＰ測定を実行するために使用される前記リファレンス信号は、ＣＳＩ−ＲＳ又はＣＲＳを含み、かつ
前記ＲＳＲＰは、前記ＣＳＩ−ＲＳに基づくＲＳＲＰと前記ＣＲＳに基づくＲＳＲＰとを含む、
請求項１１又は１２に記載の方法。
【請求項１４】
前記基地局により、前記測定セットを前記ユーザ装置に通知した後に、前記方法は、
前記基地局により、前記ユーザ装置のためＣＳＩ測定セットを選択することと、
前記基地局により、準静的シグナリング又は動的シグナリングを使用することにより前記ＣＳＩ測定セットを前記ユーザ装置に通知することと、
をさらに含む、
請求項１１から１３のいずれか１項に記載の方法。
【請求項１５】
前記リソース管理セットは、前記ＣＳＩ測定セットを含む、又は、前記リソース管理セットと前記ＣＳＩ測定セットとは、共通集合を持つが、包含関係を持たない、又は前記リソース管理セットと前記ＣＳＩ測定セットとは、共通集合を持たない、
請求項１１から１４のいずれか１項に記載の方法。
【請求項１６】
前記基地局により、前記ＣＳＩ測定セットを前記ユーザ装置に通知した後に、前記基地局により、前記ＣＳＩ測定セットから、前記ユーザ装置のため起動されたキャリアセットを選択することと、
前記基地局により、準静的シグナリング又は動的シグナリングを使用することにより前記起動されたキャリアセットを前記ユーザ装置に通知することと、
をさらに含む、
請求項６又は１４に記載の方法。
【請求項１７】
前記基地局により、準静的シグナリング又は動的シグナリングを使用することにより前記起動されたキャリアセットを前記ユーザ装置に通知することは、
前記基地局により、予め定義された方式で、又は上位レイヤシグナリングを使用することにより、少なくとも１個のサブフレーム内の前記起動されたキャリアセットを前記ユーザ装置に通知することを含み、前記少なくとも１個のサブフレームは、予め定義され、又は上位レイヤシグナリングを使用することにより構成され、前記起動されたキャリアセット内の起動されたキャリアは、予め定義され、又は上位レイヤシグナリングを使用することにより構成され、そして、前記起動されたキャリアセット内の前記起動されたキャリアが予め定義されている場合、前記起動されたキャリアは、プライマリキャリア又はセカンダリキャリアとして予め定義され、及び／又は
前記基地局により、Ｎ個のサブフレームの後に起動されたキャリアを前記ユーザ装置に通知するために、起動されたキャリアを使用することにより動的シグナリングを前記ユーザ装置に送信することを含み、前記起動されたキャリアは、プライマリキャリア及び／又はセカンダリキャリアを含み、及び／又は
前記基地局が準静的シグナリング又は動的シグナリングを使用することにより第１のサブフレームの前記起動されたキャリアセットを前記ユーザ装置に通知しない場合、前記第１のサブフレームの前記起動されたキャリアセットは、プライマリキャリア又は前記第１のサブフレームに最も接近し、かつ、前記第１のサブフレームより前にある第２のサブフレーム内にあり、前記ユーザ装置に認識された起動されたキャリアセットである、
請求項１６に記載の方法。
【請求項１８】
前記プライマリキャリアは、上位レイヤシグナリング構成から、又は予め定義された方式で、前記ユーザ装置によって取得された少なくとも１個のキャリアであり、前記少なくとも１個のキャリアは、前記ユーザ装置がＣＳＩ測定を実行するキャリアのうちの少なくとも１個である、
請求項１７に記載の方法。
【請求項１９】
前記セカンダリキャリアは、上位レイヤシグナリング構成から、又は予め定義された方式で、前記ユーザ装置によって取得された少なくとも１個のキャリアであり、前記少なくとも１個のキャリアは、前記ユーザ装置がＣＳＩ測定を実行するキャリアのうちの少なくとも１個である、
請求項１７に記載の方法。
【請求項２０】
前記動的シグナリングは、物理ダウンリンク制御チャネル又は拡張物理ダウンリンク制御チャネル又は物理ダウンリンク共有チャネルを介して前記基地局により送信されるダウンリンク制御情報を含む、
請求項１７に記載の方法。
【請求項２１】
前記基地局により、準静的シグナリング又は動的シグナリングを使用することにより前記起動されたキャリアセットを前記ユーザ装置に通知した後に、前記方法は、
前記基地局により、前記起動されたキャリアセット内の起動されたキャリア上でダウンリンク制御情報を送信し、前記ダウンリンク制御情報に従って前記起動されたキャリア上で物理ダウンリンク共有チャネルを送信すること、及び／又は
前記起動されたキャリアセット内の前記起動されたキャリアがＮ個のサブフレームの後にあり、かつ動的シグナリングを使用することにより前記基地局によって通知された起動されたキャリアである場合、前記基地局により、動的シグナリングを送信する起動されたキャリア上でダウンリンク制御情報を送信し、かつ前記ダウンリンク制御情報に従って、前記動的シグナリングによって示された前記Ｎ個のフレームの後にある前記起動されたキャリア上で、物理ダウンリンク制御チャネル又は拡張物理ダウンリンク制御チャネル又は物理ダウンリンク共有チャネルを送信することをさらに含む、
請求項１７に記載の方法。
【請求項２２】
前記基地局により、準静的シグナリング又は動的シグナリングを使用することにより前記起動されたキャリアセットを前記ユーザ装置に通知した後に、前記方法は、
前記起動されたキャリアセットが、少なくとも１個のサブフレーム内にあり、かつ予め定義された方式で、又は上位レイヤシグナリングを使用することにより前記基地局により前記ユーザ装置に通知された起動されたキャリアセットである場合、前記基地局により、前記少なくとも１個のサブフレーム内の前記起動されたキャリアで、物理報知チャネル、同期チャネル及びページングチャネル、のうちの１又は組み合わせを送信することをさらに含む、
請求項１７に記載の方法。
【請求項２３】
前記基地局により、準静的シグナリング又は動的シグナリングを使用することにより前記起動されたキャリアセットを前記ユーザ装置に通知した後に、前記方法は、
前記ユーザ装置が、物理ダウンリンク制御チャネル、拡張物理ダウンリンク制御チャネル及び物理ダウンリンク共有チャネルを受信するのではなく、前記仮想起動されたキャリアセット内の仮想起動されたキャリア上でチャネル状態情報を測定するように、前記基地局により、予め定義された方式で、又は準静的シグナリング又は動的シグナリングを使用することにより前記仮想起動されたキャリアセットを前記ユーザ装置に通知することをさらに含む、
請求項１６又は１７に記載の方法。
【請求項２４】
前記基地局により、準静的シグナリング又は動的シグナリングを使用することにより前記起動されたキャリアセットを前記ユーザ装置に通知した後に、前記方法は、
前記起動されたキャリアセット内の起動されたキャリア上で前記基地局により送信された物理報知チャネルが前記プライマリキャリアの物理報知チャネルと同じであること、又は
前記ＣＳＩ測定セット内の複数のキャリア上で前記基地局により送信された物理報知チャネルが同じであること、
をさらに含む、請求項１６又は１７に記載の方法。
【請求項２５】
ユーザ装置により、測定能力表示情報及びデータ通信を受信する能力を示す表示情報を基地局に通知するステップ；
前記ユーザ装置により、前記測定能力表示情報に従って、前記ユーザ装置に対して、前記基地局により選択され、前記基地局により通知された測定セットを受信するステップ；
を備え、
データ通信を受信する前記能力を示す前記表示情報は、前記ユーザ装置がデータ通信の同時受信を行うキャリアの情報を含み、かつ前記測定能力表示情報は、チャネル状態情報ＣＳＩを測定する前記ユーザ装置の能力を示す表示情報、及び／又は基準信号受信電力ＲＳＲＰを測定する前記ユーザ装置の能力を示す表示情報を含む、
仮想キャリア・アグリゲーション方法。
【請求項２６】
前記測定能力表示情報がＣＳＩを測定する前記ユーザ装置の前記能力を示す前記表示情報である場合、前記ユーザ装置がＣＳＩ測定を行うキャリアの個数は、前記ユーザ装置がデータ通信の同時受信を行うキャリアの個数より多くなる、及び／又は前記ユーザ装置が同時ＣＳＩ測定を行うキャリアの個数は、前記ユーザ装置がデータ通信の同時受信を行うキャリアの個数より多くなる、
請求項２５に記載の方法。
【請求項２７】
前記測定能力表示情報がＣＳＩを測定する前記ユーザ装置の前記能力を示す前記表示情報である場合、前記ユーザ装置によって、測定能力表示情報を基地局に通知するステップは、
前記基地局により、ＣＳＩを測定する前記ユーザ装置の前記能力を予め定義する前記ユーザ装置のタイプを前記ユーザ装置に通知することを含む、
請求項２５又は２６に記載の方法。
【請求項２８】
前記測定能力表示情報がＣＳＩを測定する前記ユーザ装置の前記能力を示す前記表示情報である場合、ＣＳＩを測定する前記ユーザ装置の前記能力は：前記ユーザ装置がＣＳＩ測定を行うキャリアの個数、及び／又は前記ユーザ装置が同時ＣＳＩ測定を行うキャリアの個数を含む；又は
ＣＳＩを測定する前記ユーザ装置の前記能力は：前記ユーザ装置がＣＳＩ測定を行うキャリアの個数及び前記ユーザ装置が同時ＣＳＩ測定を行うキャリアの個数；及び前記ユーザ装置がＣＳＩ測定を行う各キャリア上で実行されるＣＳＩ測定の個数；のうちの１つ又は全てを含む、又は
ＣＳＩを測定する前記ユーザ装置の前記能力は：前記ユーザ装置がＣＳＩ測定を行うキャリアの個数及び前記ユーザ装置が同時ＣＳＩ測定を行うキャリアの個数；及び前記ユーザ装置がＣＳＩ測定を実行する全てのキャリア上で前記ユーザ装置によって実行されるＣＳＩ測定の総量；のうちの１つ又は全てを含む、又は
ＣＳＩを測定する前記ユーザ装置の前記能力は：前記ＵＥがＣＳＩ測定を行うキャリアの組み合わせ及び前記ユーザ装置が同時ＣＳＩ測定を行うキャリアの組み合わせ；及び前記ユーザ装置が前記ＣＳＩ測定を実行する各キャリア上で前記ユーザ装置によって実行されるＣＳＩ測定の回数；のうちの１つ又は全てを含む、又は
ＣＳＩを測定する前記ユーザ装置の前記能力は：前記ユーザ装置がＣＳＩ測定を行うキャリアの組み合わせ及び前記ユーザ装置が同時ＣＳＩ測定を行うキャリアの組み合わせ；及び前記ユーザ装置がＣＳＩ測定を実行する全てのキャリア上でユーザ装置によって実行されるＣＳＩ測定の総量；のうちの１つ又は全てを含む、
請求項２５から２７のいずれか１項に記載の方法。
【請求項２９】
前記測定能力表示情報がＣＳＩを測定する前記ユーザ装置の前記能力を示す前記表示情報である場合、ＣＳＩを測定する前記ユーザ装置の前記能力は：前記ユーザ装置がＣＳＩ測定を行うキャリアの個数、及び／又は前記ユーザ装置が同時ＣＳＩ測定を行うキャリアの個数を含む；又は
ＣＳＩを測定する前記ユーザ装置の前記能力は：前記ユーザ装置がＣＳＩ測定を行うキャリアの個数及び前記ユーザ装置が同時ＳＩ測定を行うキャリアの個数；及び前記ユーザ装置がＣＳＩ測定を行う各キャリア上で実行されるＣＳＩ測定の回数；のうちの１つ又は全てを含む、又は、
ＣＳＩを測定する前記ユーザ装置の前記能力は：前記ユーザ装置がＣＳＩ測定を行うキャリアの個数及び前記ユーザ装置が同時ＣＳＩ測定を行うキャリアの個数；及び前記ユーザ装置がＣＳＩ測定を行う全てのキャリア上で実行されるＣＳＩ測定の総量；のうちの１つ又は全てを含む、又は
ＣＳＩを測定する前記ユーザ装置の前記能力は：前記ユーザ装置がＣＳＩ測定を行うキャリアの組み合わせ及び前記ユーザ装置が同時ＣＳＩ測定を行うキャリアの組み合わせ；及び前記ユーザ装置がＣＳＩ測定を行う各キャリア上で実行されるＣＳＩ測定の個数；のうちの１つ又は全てを含む、又は
ＣＳＩを測定する前記ユーザ装置の前記能力は：前記ユーザ装置がＣＳＩ測定を行うキャリアの組み合わせ及び前記ユーザ装置が同時ＣＳＩ測定を行うキャリアの組み合わせ；及び前記ユーザ装置がＣＳＩ測定を行うすべてのキャリア上で実行されるＣＳＩ測定の総量；のうちの１つ又は全てを含む、
請求項２５から２７のいずれか１項に記載の方法。
【請求項３０】
前記測定能力表示情報がＣＳＩを測定する前記ユーザ装置の前記能力を示す前記表示情報である場合、前記測定セットは、ＣＳＩ測定セットであり、かつ前記ＣＳＩ測定セットは、前記ユーザ装置がＣＳＩ測定を実行するキャリアのセットを含むか、又は前記ＣＳＩ測定セットは、前記ユーザ装置がＣＳＩ測定を実行するキャリアのセット及び前記ユーザ装置がＣＳＩ測定を実行する各キャリア上でＣＳＩ測定を実行するために使用されるリファレンス信号の情報を含み、かつ
前記ユーザ装置によって、前記基地局により通知された測定セットを受信した後に、前記方法は、
前記ユーザ装置により、前記ＣＳＩ測定セット内の前記キャリアに関してチャネル状態情報を前記基地局に通知すること、
をさらに含む、請求項２５から２９のいずれか１項に記載の方法。
【請求項３１】
前記ユーザ装置が前記ＣＳＩ測定セット内でＣＳＩ測定を実行する各キャリア上でＣＳＩ測定を実行するために使用される前記リファレンス信号は、独立した方式で、又は組み合わされた方式で構成される、
請求項３０に記載の方法。
【請求項３２】
ＣＳＩ測定を実行するために使用される前記リファレンス信号は、チャネル状態情報リファレンス信号ＣＳＩ−ＲＳ又はセル固有リファレンス信号ＣＲＳを含む、
請求項３０又は３１に記載の方法。
【請求項３３】
前記測定能力表示情報は、基準信号受信電力ＲＳＲＰを測定する前記ユーザ装置の前記能力を示す前記表示情報であり、
ＲＳＲＰを測定する前記ユーザ装置の前記能力は、前記ユーザ装置がＣＳＩ−ＲＳ受信電力の測定を行うか否かを含む、
請求項２５に記載の方法。
【請求項３４】
前記ユーザ装置がＣＳＩ−ＲＳ受信電力の測定を行う場合、ＲＳＲＰを測定する前記ユーザ装置の前記能力は、前記ユーザ装置がＲＳＲＰ測定を行うキャリアの個数をさらに含む；又は
ＲＳＲＰを測定する前記ユーザ装置の前記能力は、前記ユーザ装置がＲＳＲＰ測定を行うキャリアの個数、前記ユーザ装置がＣＳＩ−ＲＳ受信電力の測定を行う各キャリア上でのＲＳＲＰ測定のためのリファレンス信号リソースの個数、前記ユーザ装置がＣＳＩ−ＲＳ受信電力の測定を行う各キャリア上でのＲＳＲＰ測定のためのポートの個数、及び前記ユーザ装置がＣＳＩ−ＲＳ受信電力の測定を実行する各キャリア上で測定されたＲＳＲＰの個数、のうちの１つ又は組み合わせをさらに含む；又は
ＲＳＲＰを測定する前記ユーザ装置の前記能力は、前記ユーザ装置がＲＳＲＰ測定を行うキャリアの個数と、リファレンス信号リソースの総数及び前記ユーザ装置がＣＳＩ−ＲＳ受信電力の測定を行う全てのキャリア上でのＲＳＲＰ測定のためのポートの総数、及び前記ユーザ装置がＣＳＩ−ＲＳ受信電力の測定を実行する全てのキャリア上で測定されたＲＳＲＰの総数、のうちの１つ又は組み合わせと、をさらに含む；
請求項３３に記載の方法。
【請求項３５】
前記測定能力表示情報がＲＳＲＰを測定する前記ユーザ装置の前記能力を示す前記表示情報である場合、前記測定セットは、リソース管理セットであり、前記リソース管理セットは、前記ユーザ装置がＲＳＲＰ測定を実行するキャリアのセットと、前記ユーザ装置がＲＳＲＰ測定を実行する各キャリア上でＲＳＲＰ測定を実行するために使用されるリファレンス信号とを含み、かつ
前記ユーザ装置により、前記基地局によって通知された測定セットを受信した後に、前記方法は、
前記ユーザ装置により、前記リソース管理セット内の前記キャリアに関してＲＳＲＰを前記基地局に通知することをさらに含む、
請求項２５、３３又は３４に記載の方法。
【請求項３６】
前記ユーザ装置が前記リソース管理セットにおいてＲＳＲＰ測定を実行する各キャリア上でＲＳＲＰ測定を実行するために使用される前記リファレンス信号は、独立した方式で、又は組み合わされた方式で構成されている、
請求項３５に記載の方法。
【請求項３７】
ＲＳＲＰ測定を実行するために使用される前記リファレンス信号は、ＣＳＩ−ＲＳ又はＣＲＳを含み、かつ
前記ＲＳＲＰは、前記ＣＳＩ−ＲＳに基づくＲＳＲＰと前記ＣＲＳに基づくＲＳＲＰとを含む、
請求項３５又は３６に記載の方法。
【請求項３８】
前記ユーザ装置により、前記基地局によって通知された測定セットを受信した後に、前記方法は、
ＣＳＩ測定セットであって、前記ユーザ装置に対して前記基地局により選択され、準静的シグナリング又は動的シグナリングを使用することにより前記基地局により通知された、ＣＳＩ測定セットを、前記ユーザ装置により受信することをさらに含む、
請求項３５から３７のいずれか１項に記載の方法。
【請求項３９】
前記リソース管理セットは、前記ＣＳＩ測定セットを含む、又は前記リソース管理セット及び前記ＣＳＩ測定セットは、共通集合を持つが、包含関係を持たない、又は前記リソース管理セット及び前記ＣＳＩ測定セットは、共通集合を持たない、
請求項３５から３８のいずれか１項に記載の方法。
【請求項４０】
前記ユーザ装置が前記ＣＳＩ測定セットを受信した後に、前記ユーザ装置により、起動されたキャリアセットであって、前記ユーザ装置に対して前記基地局により前記ＣＳＩ測定セットから選択され、準静的シグナリング又は動的シグナリングを使用することにより前記基地局により通知された、起動されたキャリアセット、を取得することをさらに含む、
請求項３０又は３８に記載の方法。
【請求項４１】
前記ユーザ装置により、前記起動されたキャリアセットであって、準静的シグナリング又は動的シグナリングを使用することにより前記基地局により通知された、前記起動されたキャリアセット、を取得することは、
前記ユーザ装置により、少なくとも１個のサブフレーム内にあり、かつ予め定義された方式で、又は上位レイヤシグナリングを使用することにより前記基地局によって通知された起動されたキャリアセットを取得することを含み、前記少なくとも１個のサブフレームは、予め定義され、又は上位レイヤシグナリングを使用することにより構成され、前記起動されたキャリアセット内の起動されたキャリアは、予め定義され、もしくは、上位レイヤシグナリングを使用することにより構成され、そして、前記起動されたキャリアセット内の前記起動されたキャリアが予め定義されている場合、前記起動されたキャリアは、プライマリキャリア又はセカンダリキャリアとして予め定義され、及び／又は
前記ユーザ装置によって、Ｎ個のサブフレームの後にあり、かつ、動的シグナリングを使用することにより前記基地局によって通知された起動されたキャリアを取得することを含み、前記起動されたキャリアは、プライマリキャリア及び／又はセカンダリキャリアを含み、前記動的シグナリングは、前記起動されたキャリアを使用することにより前記基地局によって送信され、及び／又は
前記基地局が準静的シグナリング又は動的シグナリングを使用することにより第１のサブフレームの前記起動されたキャリアセットを前記ユーザ装置に通知しない場合に、前記第１のサブフレームの前記起動されたキャリアセットが、プライマリキャリアである、又は前記第１のサブフレームに最も接近しかつ前にある第２のサブフレーム内にあり、かつ前記ユーザ装置に認識された起動されたキャリアセットである、
ことを含む、請求項４０に記載の方法。
【請求項４２】
前記プライマリキャリアは、上位レイヤシグナリング構成から、又は予め定義された方式で、前記ユーザ装置により取得される少なくとも１個のキャリアであり、前記少なくとも１個のキャリアは、前記ユーザ装置がＣＳＩ測定を実行するキャリアのうちの少なくとも１個である、
請求項４１に記載の方法。
【請求項４３】
前記セカンダリキャリアは、上位レイヤシグナリング構成から、又は予め定義された方式で、前記ユーザ装置により取得される少なくとも１個のキャリアであり、前記少なくとも１個のキャリアは、前記ユーザ装置がＣＳＩ測定を実行するキャリアのうちの少なくとも１個である、
請求項４１に記載の方法。
【請求項４４】
前記動的シグナリングは、物理ダウンリンク制御チャネル又は拡張物理ダウンリンク制御チャネル又は物理ダウンリンク共有チャネルを介して前記基地局によって送信されたダウンリンク制御情報を含む、
請求項４１に記載の方法。
【請求項４５】
前記ユーザ装置により、準静的シグナリング又は動的シグナリングを使用することにより前記基地局によって通知された起動されたキャリアセットを取得した後に、前記方法は、
前記ユーザ装置により、前記起動されたキャリアセット内の起動されたキャリア上でダウンリンク制御情報を受信し、かつ前記ダウンリンク制御情報に従って前記起動されたキャリア上で物理ダウンリンク共有チャネルを受信すること、及び／又は
前記起動されたキャリアセット内の前記起動されたキャリアがＮ個のサブフレームの後にあり、かつ動的シグナリングを使用することにより前記基地局により通知された起動されたキャリアである場合に、前記ユーザ装置により、前記基地局が前記動的シグナリングを送信する起動されたキャリア上でダウンリンク制御情報を受信し、前記ダウンリンク制御情報に従って、前記動的シグナリングによって指示された前記Ｎ個のフレームの後にある前記起動されたキャリア上で、物理ダウンリンク制御チャネル又は拡張物理ダウンリンク制御チャネル又は物理ダウンリンク共有チャネルを受信することをさらに含む、
請求項４１に記載の方法。
【請求項４６】
前記ユーザ装置により、準静的シグナリング又は動的シグナリングを使用することにより前記基地局によって通知された前記起動されたキャリアセットを取得した後に、前記方法は、
前記起動されたキャリアセットが、少なくとも１個のサブフレーム内にあり、かつ、予め定義された方式で、又は上位レイヤシグナリングを使用することにより前記基地局によって前記ユーザ装置に通知された起動されたキャリアセットである場合、前記ユーザ装置により、前記少なくとも１個のサブフレーム内の前記起動されたキャリア上で、物理報知チャネル、同期チャネル及びページングチャネル、のうちの１つ又は組み合わせを送信することをさらに含む、
請求項４１に記載の方法。
【請求項４７】
前記ユーザ装置により、準静的シグナリング又は動的シグナリングを使用することにより前記基地局によって通知された前記起動されたキャリアセットを取得した後に、前記方法は、
前記ユーザ装置により、前記仮想起動されたキャリアセット内の仮想起動されたキャリア上でチャネル状態情報を測定することをさらに含む、
請求項４０又は４１に記載の方法。
【請求項４８】
前記ユーザ装置により、準静的シグナリング又は動的シグナリングを使用することにより前記基地局によって通知された前記起動されたキャリアセットを取得した後に、前記方法は、
前記ユーザ装置により、予め定義された方式で、又は準静的シグナリングもしくは動的シグナリングを使用することにより前記基地局によって通知された仮想起動されたキャリアセットを取得すること、及び
前記ユーザ装置により、物理ダウンリンク制御チャネル、拡張物理ダウンリンク制御チャネル及び物理ダウンリンク共有チャネルを受信するのではなく、前記仮想起動されたキャリアセット内の仮想起動されたキャリア上でチャネル状態情報を取得すること、
をさらに含む、請求項４０又は４１に記載の方法。
【請求項４９】
ユーザ装置によって通知された、測定能力表示情報とデータ通信を受信する能力を示す表示情報とを受信し、かつ前記測定能力表示情報をプロセッサに送信するように構成される受信部と、
前記受信部から前記測定能力表示情報を受信し、前記測定能力表示情報に従って前記ユーザ装置のため測定セットを選択し、かつ前記測定セットを送信部に送信するように構成される前記プロセッサと、
前記プロセッサから前記測定セットを取得し、かつ前記測定セットを前記ユーザ装置に通知するように構成される前記送信部と、
を備え、
データ通信を受信する前記能力を示す前記表示情報は、前記ユーザ装置がデータ通信の同時受信を行うキャリアの情報を含み、かつ前記測定能力表示情報は、チャネル状態情報ＣＳＩを測定する前記ユーザ装置の能力を示す表示情報、及び／又は基準信号受信電力ＲＳＲＰを測定する前記ユーザ装置の能力を示す表示情報を含む、
基地局。
【請求項５０】
前記受信部は、前記測定能力表示情報がＣＳＩを測定する前記ユーザ装置の前記能力を示す前記表示情報である場合に、前記ユーザ装置によって通知された、ＣＳＩを測定する前記ユーザ装置の前記能力を予め定義する前記ユーザ装置のタイプを受信するように具体的に構成される、
請求項４９に記載の基地局。
【請求項５１】
前記測定能力表示情報がＣＳＩを測定する前記ユーザ装置の前記能力を示す前記表示情報であり、かつ前記測定セットがＣＳＩ測定セットである場合、前記受信部は、前記送信部が前記ＣＳＩ測定セットを前記ユーザ装置に通知した後に、前記ＣＳＩ測定セット内のキャリアに関して、前記ユーザ装置によって通知されたチャネル状態情報を受信するようにさらに構成され、前記ＣＳＩ測定セットは、前記ユーザ装置がＣＳＩ測定を実行するキャリアのセットを含む、又は前記ＣＳＩ測定セットは、前記ユーザ装置がＣＳＩ測定を実行するキャリアのセット及び前記ユーザ装置がＣＳＩ測定を実行する各キャリア上でＣＳＩ測定を実行するために使用されるリファレンス信号の情報を含む、
請求項４９又は５０に記載の基地局。
【請求項５２】
前記受信部は、前記測定能力表示情報がＲＳＲＰを測定する前記ユーザ装置の前記能力を示す前記表示情報であり、かつ前記測定セットがリソース管理セットである場合、前記送信部が前記ＣＳＩ測定セットを前記ユーザ装置に通知した後に、前記リソース管理セット内のキャリアに関して、前記ユーザ装置によって通知されたＲＳＲＰを受信するようにさらに構成され、前記リソース管理セットは、前記ユーザ装置がＲＳＲＰ測定を実行するキャリアのセットと、前記ユーザ装置がＲＳＲＰ測定を実行する各キャリア上でＲＳＲＰ測定を実行するために使用されるリファレンス信号の情報と、を含む、
請求項４９に記載の基地局。
【請求項５３】
前記プロセッサは、前記送信部が前記リソース管理セットを前記ユーザ装置に通知した後に、前記ユーザ装置に対してＣＳＩ測定セットを選択し、前記ＣＳＩ測定セットを前記送信部に送信するようにさらに構成され、
前記送信部は、前記プロセッサから前記ＣＳＩ測定セットを取得し、準静的シグナリングもしくは動的シグナリングを使用することにより前記ＣＳＩ測定セットを前記ユーザ装置に通知するようにさらに構成される、
請求項５２に記載の基地局。
【請求項５４】
前記プロセッサは、前記送信部が前記ＣＳＩ測定セットを前記ユーザ装置に通知した後、前記ＣＳＩ測定セットから、前記ユーザ装置に対して、起動されたキャリアセットを選択し、前記起動されたキャリアセットを前記送信部に送信するようにさらに構成され、
前記送信部は、前記プロセッサから前記起動されたキャリアセットを取得し、準静的シグナリング又は動的シグナリングを使用することにより前記起動されたキャリアセットを前記ユーザ装置に通知するようにさらに構成される、
請求項５１又は５３に記載の基地局。
【請求項５５】
前記送信部は、予め定義された方式で、又は上位レイヤシグナリングを使用することにより、少なくとも１個のサブフレーム内の前記起動されたキャリアセットを前記ユーザ装置に通知するように具体的に構成され、前記少なくとも１個のサブフレームは、予め定義されるか、又は上位レイヤシグナリングを使用することにより構成され、前記起動されたキャリアセット内の起動されたキャリアは、予め定義されるか、又は上位レイヤシグナリングを使用することにより構成され、前記起動されたキャリアセット内の前記起動されたキャリアが予め定義されているとき、前記起動されたキャリアは、プライマリキャリア又はセカンダリキャリアとして予め定義され、及び／又は
前記送信部は、Ｎ個のサブフレームの後に起動されたキャリアを前記ユーザ装置に通知するために、起動されたキャリアを使用することにより動的シグナリングを前記ユーザ装置に送信するように具体的に構成され、前記起動されたキャリアは、プライマリキャリア及び／又はセカンダリキャリアを含み、及び／又は前記送信部が準静的シグナリング又は動的シグナリングを使用することにより第１のサブフレームの前記起動されたキャリアを前記ユーザ装置に通知しない場合、前記第１のサブフレームの前記起動されたキャリアセットは、プライマリキャリアであるか、又は前記第１のサブフレームに最も接近しかつ前にある第２のサブフレーム内にあり、かつ前記ユーザ装置に認識されたキャリアセットである、
請求項５４に記載の基地局。
【請求項５６】
前記送信部は、前記起動されたキャリアセットを前記ユーザ装置に通知した後に、前記起動されたキャリアセット内の起動されたキャリア上でダウンリンク制御情報を送信し、かつ前記ダウンリンク制御情報に従って前記起動されたキャリア上で物理ダウンリンク共有チャネルを送信するようにさらに構成され、及び／又は
前記送信部は、前記起動されたキャリアセットを前記ユーザ装置に通知した後に、前記起動されたキャリアセット内の前記起動されたキャリアが、Ｎ個のサブフレームの後にあり、かつ動的シグナリングを使用することにより前記送信部によって通知された起動されたキャリアである場合、前記動的シグナリングを送信する起動されたキャリア上でダウンリンク制御情報を送信し、かつ前記ダウンリンク制御情報に従って、前記動的シグナリングによって指示されたＮ個のサブフレームの後にある前記起動されたキャリア上で物理ダウンリンク制御チャネル又は拡張物理ダウンリンク制御チャネル又は物理ダウンリンク共有チャネルを送信するようにさらに構成される、
請求項５４に記載の基地局。
【請求項５７】
前記送信部は、前記起動されたキャリアセットを前記ユーザ装置に通知した後、前記起動されたキャリアセットが、少なくとも１個のサブフレーム内にあり、かつ予め定義された方式で、又は上位レイヤシグナリングを使用することにより前記送信部によって前記ユーザ装置に通知された起動されたキャリアである場合、前記少なくとも１個のサブフレーム内の前記起動されたキャリア上で物理報知チャネル、同期チャネル及びページングチャネルのうちの１つもしくは組み合わせを送信するようにさらに構成される、
請求項５５に記載の基地局。
【請求項５８】
前記送信部は、前記ユーザ装置が物理ダウンリンク制御チャネル、拡張物理ダウンリンク制御チャネル及び物理ダウンリンク共有チャネルを受信するのではなく、前記仮想起動されたキャリアセット内の仮想起動されたキャリア上でチャネル状態情報を測定するために、前記起動されたキャリアセットを前記ユーザ装置に通知した後に、予め定義された方式で、又は準静的シグナリング又は動的シグナリングを使用することにより仮想起動されたキャリアセットを前記ユーザ装置に通知するようにさらに構成される、
請求項５４又は５５に記載の基地局。
【請求項５９】
測定能力表示情報及びデータ通信を受信する能力を示す表示情報を基地局に通知するように構成される送信部；及び
前記測定能力表示情報に従ってユーザ装置のため前記基地局によって選択され、前記基地局によって通知された測定セットを受信するように構成される受信部；
を備え、
データ通信を受信する前記能力を示す前記表示情報は、前記ユーザ装置がデータ通信の同時受信を行うキャリアの情報を含み、かつ前記測定能力表示情報は、チャネル状態情報ＣＳＩを測定する前記ユーザ装置の能力を示す表示情報、及び／又は基準信号受信電力ＲＳＲＰを測定する前記ユーザ装置の能力を示す表示情報を含む、
ユーザ装置。
【請求項６０】
前記測定能力表示情報がＣＳＩを測定する前記ユーザ装置の前記能力を示す前記表示情報である場合、前記ユーザ装置がＣＳＩ測定を行うキャリアの個数は、前記ユーザ装置がデータ通信の同時受信を行うキャリアの個数より多くなる、及び／又は前記ユーザ装置が同時ＣＳＩ測定を行うキャリアの個数は、前記ユーザ装置がデータ通信の同時受信を行うキャリアの個数より多くなる、
請求項５９に記載のユーザ装置。
【請求項６１】
前記送信部は、前記測定能力表示情報がＣＳＩを測定する前記ユーザ装置の前記能力を示す前記表示情報であるバアイ、ＣＳＩを測定する前記ユーザ装置の前記能力を予め定義する前記ユーザ装置のタイプを前記基地局に通知するように具体的に構成される、
請求項５９又は６０に記載のユーザ装置。
【請求項６２】
前記送信部は、前記測定能力表示情報がＣＳＩを測定する前記ユーザ装置の前記能力を示す前記表示情報であり、かつ前記測定セットがＣＳＩ測定セットである場合、前記受信部が前記基地局によって通知されたＣＳＩ測定セットを受信した後に、前記ＣＳＩ測定セット内のキャリアに関するチャネル状態情報を前記基地局に通知するようにさらに構成され、前記ＣＳＩ測定セットは、前記ユーザ装置がＣＳＩ測定を実行するキャリアのセットを含み、又は前記ＣＳＩ測定セットは、前記ユーザ装置がＣＳＩ測定を実行するキャリアのセット及び前記ユーザ装置がＣＳＩ測定を実行する各キャリア上でＣＳＩ測定を実行するために使用されるリファレンス信号の情報、を含む、
請求項５９から６１のいずれか１項に記載のユーザ装置。
【請求項６３】
前記送信部は、前記測定能力表示情報がＲＳＲＰを測定する前記ユーザ装置の前記能力を示す前記表示情報であり、かつ前記測定セットがリソース管理セットである場合、前記受信部が前記基地局によって通知された前記リソース管理セットを受信した後に、前記リソース管理セット内のキャリアに関してＲＳＲＰを前記基地局に通知するようにさらに構成され、前記リソース管理セットは、前記ユーザ装置がＲＳＲＰ測定を実行するキャリアのセット及び前記ユーザ装置がＲＳＲＰ測定を実行する各キャリア上でＲＳＲＰ測定を実行するために使用されるリファレンス信号の情報を含む、
請求項５９に記載のユーザ装置。
【請求項６４】
前記受信部は、前記受信部が前記基地局によって通知された前記リソース管理セットを受信した後に、前記ユーザ装置のため前記基地局によって選択され、準静的シグナリング又は動的シグナリングを使用することにより前記基地局によって通知されたＣＳＩ測定セットを受信するようにさらに構成される、
請求項６３に記載のユーザ装置。
【請求項６５】
前記受信部は、前記受信部が前記ＣＳＩ測定セットを受信した後に、前記ユーザ装置に対して前記基地局により前記ＣＳＩ測定セットから選択され、準静的シグナリング又は動的シグナリングを使用することにより前記基地局によって通知される起動されたキャリアセットを取得するようにさらに構成される、
請求項６２又は６４に記載のユーザ装置。
【請求項６６】
前記受信部は、前記起動されたキャリアセットを取得した後に、前記起動されたキャリアセット内の起動されたキャリア上でダウンリンク制御情報を受信し、かつ前記ダウンリンク制御情報に従って前記起動されたキャリア上で物理ダウンリンク共有チャネルを受信するようにさらに構成され、及び／又は
前記受信部は、前記起動されたキャリアセットを取得した後に、前記起動されたキャリアセット内の前記起動されたキャリアが、Ｎ個のサブフレームの後にあり、かつ動的シグナリングを使用することにより前記基地局により通知された起動されたキャリアである場合、前記基地局が前記動的シグナリングを送信する起動されたキャリア上でダウンリンク制御情報を受信し、かつ前記ダウンリンク制御情報に従って、前記動的シグナリングにより示された前記Ｎ個のサブフレームの後に前記起動されたキャリア上で物理ダウンリンク制御チャネル又は拡張物理ダウンリンク制御チャネル又は物理ダウンリンク共有チャネルを受信するようにさらに構成される、
請求項６５に記載のユーザ装置。
【請求項６７】
前記受信部は、前記起動されたキャリアセットを取得した後に、前記起動されたキャリアセットが、少なくとも１個のサブフレーム内にあり、かつ予め定義された方式で、又は上位レイヤシグナリングを使用することにより前記基地局により前記ユーザ装置に通知された起動されたキャリアセットである場合、前記少なくとも１個のサブフレーム内の起動されたキャリアで、物理報知チャネル、同期チャネル及びページングチャネルのうちの１つもしくは組み合わせを受信するようにさらに構成される、
請求項６５に記載のユーザ装置。
【請求項６８】
前記受信部が前記起動されたキャリアセットを取得した後に、前記起動されたキャリアセット内の起動されたキャリアでチャネル状態情報を測定するように構成されるプロセッサをさらに備える、
請求項６５に記載のユーザ装置。
【請求項６９】
前記受信部は、前記起動されたキャリアセットを取得した後に、予め定義された方式で、又は準静的シグナリング又は動的シグナリングを使用することにより前記基地局により通知された仮想起動されたキャリアセットを取得し、かつ前記仮想起動されたキャリアセットを前記プロセッサに送信するようにさらに構成され、かつ
前記プロセッサは、前記受信部から前記仮想起動されたキャリアセットを取得し、物理ダウンリンク制御チャネル、拡張物理ダウンリンク制御チャネル及び物理ダウンリンク共有チャネルを受信するのではなく、前記仮想起動されたキャリアセット内の仮想起動されたキャリア上で前記チャネル状態情報を測定するようにさらに構成される、
請求項６８に記載のユーザ装置。
【発明の詳細な説明】
【技術分野】
【０００１】
本発明は、通信技術に係り、詳しくは、仮想キャリア・アグリゲーション（Ｖｉｒｔｕａｌ  Ｃａｒｒｉｅｒ  Ａｇｇｒｅｇａｔｉｏｎ、略してＶＣＡ）、基地局、及びユーザ装置に関する。
【背景技術】
【０００２】
第３世代パートナーシップ・プロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、以下、略して３ＧＰＰ）では、基地局とユーザ装置（Ｕｓｅｒ  Ｅｑｕｉｐｍｅｎｔ、以下、略してＵＥ）との間の通信が少なくとも２つの集約されたコンポーネント・キャリア（Ｃｏｍｐｎｅｎｔ  Ｃａｒｒｉｅｒ、以下略してＣＣ）で実施されてもよいことを意味するキャリア・アグリゲーション（Ｃａｒｒｉｅｒ  Ａｇｇｒｅｇａｔｉｏｎ、以下、略してＣＡ）技術が導入される。
【０００３】
ＣＡ技術が導入される場合、ＵＥは、当該ＵＥのアップリンク及びダウンリンクの能力を基地局に通知する必要がある。ここで、当該アップリンク及びダウンリンクの能力は、複数の周波数帯域の組み合わせであって、それにおいて当該ＵＥがデータの送信又は受信を同時に行う、複数の周波数帯域の組み合わせ、を含む。
【０００４】
基地局は、ＵＥによって通知されたアップリンク及びダウンリンクの能力に従ってＵＥのためキャリアセットを構成する。ＵＥは、基地局によって構成されたキャリアセット内の各キャリア上で、基準信号受信電力（Ｒｅｆｅｒｅｎｃｅ  Ｓｉｇｎａｌ  Ｒｅｃｅｉｖｅｄ  Ｐｏｗｅｒ、以下、略してＲＳＲＰ）／基準信号受信品質（Ｒｅｆｅｒｅｎｃｅ  Ｓｉｇｎａｌ  Ｒｅｃｅｉｖｅｄ  Ｑｕａｌｉｔｙ、以下、略してＲＳＲＱ）などを測定し、フィードバックする。さらに、基地局は、ＵＥに対する補助的なキャリアの起動又は停止をさらに設定することがあり（ＵＥのプライマリキャリアは、常に起動されている）、ＵＥは、（プライマリキャリア及び起動された補助的なリキャリアを含む）起動されたキャリアセット内の各キャリア上でチャネル状態情報（Ｃｈａｎｎｅｌ  Ｓｔａｔｅ  Ｉｎｆｏｒｍａｔｉｏｎ、以下、略してＣＳＩ）を測定し、受信された物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、以下、略してＰＤＣＣＨ）に従って、起動されたキャリアセット内の一部又は全部のキャリア上で物理ダウンリンク共有チャネル（Ｐｈｙｓｉｃａｌ  Ｄｏｗｎｌｉｎｋ  Ｓｈａｒｅｄ  Ｃｈａｎｎｅｌ、以下、略してＰＤＳＣＨ）を受信する。
【０００５】
従来技術において、基地局は、ＵＥによりフィードバックされた長期統計情報ＲＳＲＰ／ＲＳＲＱに従って、起動されたキャリアセットをＵＥに対して選択することだけが可能であり、その結果、基地局によって、起動されたキャリアセットをＵＥに対して選択する方法は、柔軟性が不十分である。
【発明の概要】
【発明が解決しようとする課題】
【０００６】
本発明は、基地局が、ＵＥに対して、起動されたキャリアセットを柔軟に選択できるようにする、仮想キャリア・アグリゲーション方法、基地局、及びユーザ装置を提供する。
【課題を解決するための手段】
【０００７】
本発明の第１の態様は、
ユーザ装置により通知される測定能力表示情報及びデータ通信を受信する能力を示す表示情報とを、基地局により受信するステップ；
前記測定能力表示情報に従って、前記基地局により、前記ユーザ装置に対する測定セットを選択するステップ；及び
前記基地局により、前記測定セットを前記ユーザ装置に通知するステップ；を含み、
データ通信を受信する能力を示す前記表示情報は、複数のキャリアであって、それにより前記ユーザ装置がデータ通信の同時受信を行う、複数のキャリア、の情報を含み、そして測定能力表示情報は、チャネル状態情報ＣＳＩを測定するためのユーザ装置の能力を示す表示情報、及び／又は基準信号受信電力ＲＳＲＰを測定するためのユーザ装置の能力を示す表示情報を含む、仮想キャリア・アグリゲーション方法を提供する。
【０００８】
本発明の第２の態様は、
ユーザ装置により、測定能力表示情報及びデータ通信を受信する能力を示す表示情報とを基地局に通知するステップ、及び
前記基地局により通知される測定セットを前記ユーザ装置により受信するステップであって、前記測定セットは、前記測定能力表示情報に従って、前記ユーザ装置に対して、前記基地局により選択される、ステップ、
を含み、前記データ通信を受信する能力を示す表示情報は、複数のキャリアであって、それにより前記ユーザ装置がデータ通信の同時受信を行う、複数のキャリア、の情報を含み、そして前記測定能力表示情報は、チャネル状態情報ＣＳＩを測定するための前記ユーザ装置の能力を示す表示情報、及び／又は基準信号受信電力ＲＳＲＰを測定するための前記ユーザ装置の能力を示す表示情報を含む、仮想キャリア・アグリゲーション方法を提供する。
【０００９】
本発明の第３の態様は、
ユーザ装置により通知される、測定能力表示情報及びデータ通信を受信する能力を示す表示情報とを受信し、かつ前記測定能力表示情報をプロセッサに送信するように構成される受信部、
前記受信部から前記測定能力表示情報を受信し、前記測定能力表示情報に従って前記ユーザ装置に対する測定セットを選択し、かつ前記測定セットを送信部に送信するように構成されるプロセッサ、及び
前記プロセッサから前記測定セットを取得し、かつ前記測定セットを前記ユーザ装置に通知するように構成される送信部、
を含み、前記データ通信を受信する能力を示す表示情報は、複数のキャリアであって、それにより前記ユーザ装置がデータ通信の同時受信を行う、複数のキャリア、の情報を含み、そして前記測定能力表示情報は、チャネル状態情報ＣＳＩを測定するための前記ユーザ装置の能力を示す表示情報、及び／又は基準信号受信電力ＲＳＲＰを測定するための前記ユーザ装置の能力を示す表示情報を含む、基地局を提供する。
【００１０】
本発明の第４の態様は、
測定能力表示情報及びデータ通信を受信する能力を示す表示情報とを基地局に通知するように構成される送信部、及び
前記基地局により通知される測定セットであって、該測定セットは、前記測定能力表示情報に従って、前記ユーザ装置に対して、前記基地局により選択される、測定セット、を受信するように構成される受信部、
を含み、前記データ通信を受信する能力を示す表示情報は、複数のキャリアであって、それにより前記ユーザ装置がデータ通信の同時受信を行う、複数のキャリア、の情報を含み、そして前記測定能力表示情報は、チャネル状態情報ＣＳＩを測定するための前記ユーザ装置の能力を示す表示情報、及び／又は基準信号受信電力ＲＳＲＰを測定するための前記ユーザ装置の能力を示す表示情報を含む、ユーザ装置を提供する。
【発明の効果】
【００１１】
本発明の実施形態は、以下の技術的な効果を奏する。基地局は、ユーザ装置によって通知された、測定能力表示情報とデータ通信を受信する能力を示す表示情報とを受信し、測定能力表示情報に従ってユーザ装置に対する測定セットを選択し、選択された測定セットをユーザ装置に通知し、測定能力表示情報は、ＣＳＩを測定するためのユーザ装置の能力を示す表示情報、及び／又はＲＳＲＰを測定するためのユーザ装置の能力を示す表示情報を含む。その結果、基地局は、ユーザ装置によって通知されたチャネル状態情報及び／又はＲＳＲＰを受信し、ユーザ装置に対するＣＳＩ測定セットを選択し、そして当該ＣＳＩ測定セットから、ユーザ装置に対する起動されたキャリアセットを選択することができる。このように、基地局は、ＵＥに対して、起動されたキャリアセットを柔軟に選択できる。
【図面の簡単な説明】
【００１２】
本発明の実施形態又は従来技術における技術的解決手法をより明瞭に説明するために、実施形態又は従来技術を説明するため必要とされる添付図面を以下で簡単に紹介する。当然ながら、以下の説明における添付図面は、本発明の単にある種の実施形態を示しているに過ぎず、当業者は、創造的な努力なしでこれらの添付図面から他の図面をさらに導くことができる。
【００１３】
【図１】本発明に係る仮想キャリア・アグリゲーション方法の実施形態のフローチャートである。
【００１４】
【図２】本発明に係る仮想キャリア・アグリゲーション方法の別の実施形態のフローチャートである。
【００１５】
【図３】本発明に係る仮想キャリア・アグリゲーション方法の別の実施形態のフローチャートである。
【００１６】
【図４】本発明に係るリソース管理セット、ＣＳＩ測定セット、及び起動されたキャリアセットの間の関係について説明する実施形態の概略図である。
【００１７】
【図５】本発明に係るリソース管理セット、ＣＳＩ測定セット、及び起動されたキャリアセットの間の関係について説明する別の実施形態の概略図である。
【００１８】
【図６】本発明に係るリソース管理セット、ＣＳＩ測定セット、及び起動されたキャリアセットの間の関係について説明する別の実施形態の概略図である。
【００１９】
【図７】本発明に係る基地局が起動されたキャリアセットをＵＥに通知する方式について説明する実施形態の概略図である。
【００２０】
【図８】本発明に係る基地局によるＰＤＣＣＨ、ｅＰＤＣＣＨ又はＰＤＳＣＨの送信について説明する実施形態の概略図である。
【００２１】
【図９】本発明に係る仮想キャリア・アグリゲーション方法の別の実施形態のフローチャートである。
【００２２】
【図１０】本発明に係る基地局の実施形態の概略構成図である。
【００２３】
【図１１】本発明に係るユーザ装置の実施形態の概略構成図である。
【発明を実施するための形態】
【００２４】
本発明の実施形態の目的、技術的解決手法、及び利点をより分かりやすくするために、以下は、本発明の実施形態における技術的解決手法について明瞭かつ完全に説明する。当然ながら、説明された実施形態は、本発明の実施形態の全部ではなく単に一部である。創造的な努力をすることなく本発明の実施形態に基づいて当業者によって達成されたすべての他の実施形態は、当然に本発明の保護範囲に含まれる。
【００２５】
図１は、本発明に係る仮想キャリア・アグリゲーション方法の実施形態のフローチャートである。図１に表されるように、仮想キャリア・アグリゲーション方法は、以下を含んでもよい。
【００２６】
ステップ１０１：基地局は、ＵＥによって通知された、測定能力表示情報とデータ通信を受信する能力を示す表示情報とを受信する。
【００２７】
ステップ１０２：基地局は、測定能力表示情報に従って、ＵＥに対する測定セットを選択する。
【００２８】
ステップ１０３：基地局は、測定セットをＵＥに通知する。
【００２９】
データ通信を受信する能力を示す表示情報は、複数のキャリアであって、それによりＵＥがデータ通信の同時受信を行う、複数のキャリア、の情報を含み、そして測定能力表示情報は、ＣＳＩを測定するためのＵＥの能力を示す表示情報、及び／又はＲＳＲＰを測定するためのＵＥの能力を示す表示情報を含む。
【００３０】
本実施形態では、測定能力表示情報がＣＳＩを測定するためのＵＥの能力を示す表示情報である場合、複数のキャリアであって、それにおいてＵＥがＣＳＩ測定を行う、複数のキャリアの個数は、複数のキャリアであって、それによりＵＥがデータ通信の同時受信を行う、複数のキャリアの個数より多くなる、及び／又は複数のキャリアであって、それにおいてＵＥが同時ＣＳＩ測定を行う、複数のキャリアの個数は、複数のキャリアであって、それによりＵＥがデータ通信の同時受信を行う、複数のキャリアの個数より多くなる。
【００３１】
前述の実施形態では、基地局は、ＵＥによって通知された、測定能力表示情報とデータ通信を受信する能力を示す表示情報とを受信し、測定能力表示情報に従って、ＵＥに対する測定セットを選択し、そして選択された測定セットをＵＥに通知する。ここで、測定能力表示情報は、ＣＳＩを測定するためのＵＥの能力を示す表示情報、及び／又はＲＳＲＰを測定するためのＵＥの能力を示す表示情報を含む。その結果、基地局は、ＵＥにより通知されたチャネル状態情報及び／又はＲＳＲＰを受信し、ＵＥに対するＣＳＩ測定セットを選択し、そしてＣＳＩ測定セットから、ＵＥに対する起動されたキャリアセットを選択することができる。このように、基地局は、ＵＥに対する、起動されたキャリアセットを柔軟に選択することができる。
【００３２】
図２は、本発明に係る仮想キャリア・アグリゲーション方法の別の実施形態のフローチャートである。本実施形態では、図１に示された実施形態において提供される方法の具体的な実施は、測定能力表示情報がＣＳＩを測定するためのＵＥの能力を示す表示情報であり、かつ測定セットがＣＳＩ測定セットであるシナリオにおいて説明される。
【００３３】
図２に示されるように、仮想キャリア・アグリゲーション方法は、以下を含んでもよい：
【００３４】
ステップ２０１：基地局は、ＵＥにより通知される、ＣＳＩを測定するためのＵＥの能力を示す表示情報及びデータ通信を受信する能力を示す表示情報とを受信する。
【００３５】
データ通信を受信する能力を示す表示情報は、複数のキャリアであって、それによりＵＥがデータ通信の同時受信を行う、複数のキャリアの情報を含む。
【００３６】
具体的には、ＵＥによって通知されたＣＳＩを測定するためのＵＥの能力を示す表示情報を基地局により受信することは、以下の通りであってもよい：基地局は、ＵＥによって通知された、ＣＳＩを測定するためのＵＥの能力を予め規定するＵＥのタイプを受信する、又は基地局は、ＣＳＩを測定するためのＵＥの能力であり、かつＵＥにより直接通知された、ＵＥの能力、をさらに受信してもよい。ＣＳＩは、チャネル品質インジケータ（Ｃｈａｎｎｅｌ  Ｑｕａｌｉｔｙ  Ｉｎｄｉｃａｔｏｒ、以下、略してＣＱＩ）、プリコーディングマトリクスインジケータ（Ｐｒｅｃｏｄｉｎｇ  Ｍａｔｒｉｘ  Ｉｎｄｉｃａｔｏｒ、以下、略してＰＭＩ）、及び／又はランクインジケータ（Ｒａｎｋ  Ｉｎｄｉｃａｔｏｒ、以下、略してＲＩ）を含む。
【００３７】
具体的には、ＣＳＩを測定するするためのＵＥの能力は、以下の通りであってもよい：複数のキャリアであって、それにおいてＵＥがＣＳＩ測定を行う、複数のキャリアの個数、及び／又は複数のキャリアであって、それによりＵＥが同時ＣＳＩ測定を行う、複数のキャリアの個数、又は
ＣＳＩを測定するためのＵＥの能力は、以下の通りであってもよい：複数のキャリアであって、それによりＵＥがＣＳＩ測定を行う、複数のキャリアの個数及び複数のキャリアであって、それにおいてＵＥが同時ＣＳＩ測定を行う、複数のキャリアの個数；及び各キャリアであって、それにおいてＵＥがＣＳＩ測定を行う、各キャリア、において実行されるＣＳＩ測定の回数；のうちの１つ又は全て；又は
ＣＳＩを測定するためのＵＥの能力は、以下の通りであってもよい：複数のキャリアであって、それにおいてＵＥがＣＳＩ測定を行う、複数のキャリアの個数及び複数のキャリアであって、それにおいてＵＥが同時ＣＳＩ測定を行う、複数のキャリアの個数；及びＵＥがＣＳＩ測定を実行する全てのキャリア上でＵＥにより実行されるＣＳＩ測定の総量；のうちの１つ又は全て、又は
ＣＳＩを測定するするためのＵＥの能力は、以下の通りであってもよい：複数のキャリアの組み合わせであって、それにおいてＵＥがＣＳＩ測定を行う、複数のキャリアの組み合わせ及び複数のキャリアの組み合わせであって、それにおいてＵＥが同時ＣＳＩ測定を行う、複数のキャリアの組み合わせ；及び各キャリアであって、それにおいてＵＥがＣＳＩ測定を実行する、各キャリア、においてＵＥによって実行されるＣＳＩ測定の回数；のうちの１つ又は全て、又は
ＣＳＩを測定するためのＵＥの能力は、以下の通りであってもよい：複数のキャリアの組み合わせであって、それにおいてＵＥがＣＳＩ測定を行う、複数のキャリアの組み合わせ及び複数のキャリアの組み合わせであって、それにおいてＵＥが同時ＣＳＩ測定を行う、複数のキャリアの組み合わせ；及びＵＥがＣＳＩ測定を実行するすべてのキャリアにおいてＵＥによって実行されるＣＳＩ測定の総量；のうちの１つ又は全て。
【００３８】
代替的に、ＣＳＩを測定するためのＵＥの能力は、以下の通りであってもよい：複数のキャリアであって、それにおいてＵＥがＣＳＩ測定を行う、複数のキャリアの個数、及び／又は複数のキャリアであって、それにおいてＵＥが同時ＣＳＩ測定を行う、複数のキャリアの個数、又は
ＣＳＩを測定するためのＵＥの能力は、以下の通りであってもよい：複数のキャリアであって、それにおいてＵＥがＣＳＩ測定を行う、複数のキャリアの個数及び複数のキャリアであって、それにおいてＵＥが同時ＣＳＩ測定を行う、複数のキャリアの個数；及び各キャリアであって、それにおいてＵＥがＣＳＩ測定を行う、各キャリア、において実行されるＣＳＩ測定の回数；のうちの１つ又は全て、又は
ＣＳＩを測定するためのＵＥの能力は、以下の通りであってもよい：複数のキャリアであって、それにおいてＵＥがＣＳＩ測定を行う、複数のキャリア、の個数及び複数のキャリアであって、それにおいてＵＥが同時ＣＳＩ測定を行う、複数のキャリア、の個数；及びＵＥがＣＳＩ測定を行う全てのキャリアにおいて実行されるＣＳＩ測定の総量；のうちの１つ又は全て、又は
ＣＳＩを測定するためのＵＥの能力は、以下の通りであってもよい：複数のキャリアの組み合わせであって、それにおいてＵＥがＣＳＩ測定を行う、複数のキャリアの組み合わせ及び複数のキャリアの組み合わせであって、それにおいてＵＥが同時ＣＳＩ測定を行う、複数のキャリアの組み合わせ；及び各キャリアであって、それにおいてＵＥがＣＳＩ測定を行う、各キャリア、において実行されるＣＳＩ測定の回数；のうちの１つ又は全て、又は
ＣＳＩを測定するするためのＵＥの能力は、以下の通りであってもよい：複数のキャリアの組み合わせであって、それにおいてＵＥがＣＳＩ測定を行う、複数のキャリアの組み合わせ及び複数のキャリアの組み合わせであって、それにおいてＵＥが同時ＣＳＩ測定を行う、複数のキャリアの組み合わせ；及びＵＥがＣＳＩ測定を行う全てのキャリアにおいて実行されるＣＳＩ測定の総量；のうちの１つ又は全て。
【００３９】
ＵＥがＣＳＩ測定を行うする各キャリア上で実行されるＣＳＩ測定の回数は、同じであってもよく、或いは異なってもよい。例えば、複数のキャリアであって、それにおいてＵＥがＣＳＩ測定を行う、複数のキャリア、の個数、又は複数のキャリアであって、それにおいてＵＥが同時ＣＳＩ測定を行う、複数のキャリア、の個数は、５であってもよく、すなわち、それぞれＣＣ１からＣＣ５であってもよく、各キャリアであって、それにおいてＵＥがＣＳＩ測定を実行する、各キャリア、におけるＣＳＩ測定の回数は、それぞれ、２回、３回、２回、３回、及び２回であってもよく、又はＵＥがＣＳＩ測定を実行する各キャリア上で実行されるＣＳＩ測定の回数は、２回であるあってもよく、又は上記５個のキャリア上でＵＥによって実行されるＣＳＩ測定の総量が１０である。具体的には、ＵＥがＣＳＩ測定を行うする各キャリア上で実行されるＣＳＩ測定の回数が同じである場合、ＵＥは、１個の対応するパラメータ値、例えば、２だけを通知してもよく、ＵＥがＣＳＩ測定を実行する各キャリア上で実行されるＣＳＩ測定の回数を通知する必要はない。
【００４０】
本実施形態では、ＵＥがＣＳＩを測定するためのＵＥの能力をどのように通知しても、ＵＥがＣＳＩ測定を行うキャリアの個数は、ＵＥがデータ通信の同時受信を行うキャリアの個数より多くなることが常に要求され、及び／又はＵＥが同時ＣＳＩ測定を行うキャリアの個数は、ＵＥがデータ通信の同時受信を行うキャリアの個数より多くなることが常に要求される。例えば、１つのＵＥは、１０ＭＨｚの２個のキャリア上でデータ通信を同時に受信することができるが、１０ＭＨｚの５個のキャリア上で同時にＣＳＩ測定を実行してもよい。
【００４１】
詳しくは、拡張又は更新されたＵＥカテゴリ８（ＵＥ  ｃａｔｅｇｏｒｙ  ８）に対して、ＵＥがデータ通信の同時受信を行うキャリアの個数が５個である場合、このタイプのＵＥがＣＳＩ測定を行うキャリアの個数、又はこのタイプのＵＥが同時ＣＳＩ測定を行うキャリアの個数は、５個より多くなる。
【００４２】
ステップ２０２：基地局は、ＣＳＩを測定するためのＵＥの能力を示す表示情報に従ってＵＥに対するＣＳＩ測定セットを選択し、ＣＳＩ測定セットをＵＥに通知する。
【００４３】
ＣＳＩ測定セットは、ＵＥがＣＳＩ測定を実行するキャリアのセットを含む、又はＣＳＩ測定セットは、ＵＥがＣＳＩ測定を実行するキャリアのセットと、ＵＥがＣＳＩ測定を実行する各キャリア上でＣＳＩ測定を実行するために使用されるリファレンス信号の情報とを含む。
【００４４】
ＣＡ技術を使用するシステムにおいて、ＣＳＩ測定セットは、ＵＥがＣＳＩ測定を実行するキャリアのセットである。ＣＡ技術と協調マルチポイント送受信（Ｃｏｏｒｄｉｎａｔｅｄ  Ｍｕｌｔｉｐｌｅ  Ｐｏｉｎｔ  ｔｒａｎｓｍｉｓｓｉｏｎ  ａｎｄ  ｒｅｃｅｐｔｉｏｎ、以下、略してＣｏＭＰ）技術との組み合わせを使用するシステムにおいて、ＣＳＩ測定セットは、ＵＥがＣＳＩ測定を実行するキャリアのセットと、ＵＥがＣＳＩ測定を実行する各キャリア上でＣＳＩ測定を実行するために使用されるリファレンス信号の情報とを含み、リファレンス信号は、チャネル状態情報リファレンス信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、以下、略してＣＳＩ−ＲＳ）及び／又はセル固有リファレンス信号（Ｃｅｌｌ−Ｓｐｅｃｉｆｉｃ  Ｒｅｆｅｒｅｎｃｅ  Ｓｉｇｎａｌ、以下、略してＣＲＳ）であってもよい。ＣＳＩ−ＲＳは、ＣＳＩ−ＲＳリソース構成情報又はＣＳＩ−ＲＳ番号を使用することにより通知されてもよく、そしてＣＲＳは、セルＩＤを使用することにより通知されてもよい。
【００４５】
本実施形態では、基地局は、準静的シグナリング又は動的シグナリングを使用することによりＣＳＩ測定セットをＵＥに通知してもよい。
【００４６】
例えば、ＣＡ技術を使用するシステムにおいて、基地局は、準静的シグナリング又は動的シグナリングを使用することにより、ＵＥがＣＳＩ測定を実行するキャリアのセットをＵＥに通知してもよく、例えば、ＵＥがＣＳＩ測定を実行するキャリアのセットは、５個のキャリア｛ＣＣ１，ＣＣ２，ＣＣ３，ＣＣ４，ＣＣ５｝を含む。
【００４７】
ＣＡ技術及びＣｏＭＰ技術の組み合わせを使用するシステムにおいて、基地局は、準静的シグナリング又は動的シグナリングを使用することにより、ＵＥがＣＳＩ測定を実行するキャリアのセットと、ＵＥがＣＳＩ測定を実行する各キャリア上でＣＳＩ測定を実行するために使用されるリファレンス信号の情報とをＵＥに通知してもよい。本実施形態では、ＣＳＩ測定セットにおいて、ＵＥがＣＳＩ測定を実行する各キャリア上でＣＳＩ測定を実行するために使用されるリファレンス信号は、独立した方式で、又は組み合わされた方式で構成されてもよい。
【００４８】
例えば、基地局は、準静的シグナリング又は動的シグナリングを使用することにより、ＵＥがＣＳＩ測定を実行するキャリアのセットが５個のキャリア｛ＣＣ１，ＣＣ２，ＣＣ３，ＣＣ４，ＣＣ５｝を含むことをＵＥに通知してもよく、ＵＥがＣＳＩ測定を実行する各キャリア上でＣＳＩ測定を実行するために使用されるリファレンス信号が独立した方式で構成される場合、基地局は、ＣＣ１内にあり、ＣＳ１を測定するために使用されるリファレンス信号がＣＳＩ−ＲＳ１及びＣＳＩ−ＲＳ２であり、ＣＣ２内にあり、ＣＳＩを測定するために使用されるリファレンス信号がＣＳＩ−ＲＳ３であり、ＣＣ３内にあり、ＣＳＩを測定するために使用されるリファレンス信号がＣＳＩ−ＲＳ４、ＣＳＩ−ＲＳ５、又はＣＳＩ−ＲＳ６であり、ＣＣ４内にあり、ＣＳＩを測定するために使用されるリファレンス信号がＣＳＩ−ＲＳ７及びＣＳＩ−ＲＳ８であり、ＣＣ５内にあり、ＣＳＩを測定するために使用されるリファレンス信号がＣＲＳであることをＵＥに通知してもよい。各ＣＳＩ−ＲＳは、異なったパラメータ構成を有する。
【００４９】
ＵＥがＣＳＩ測定を実行する各キャリア上でＣＳＩ測定を実行するために使用されるリファレンス信号が組み合わされた方式で構成されるとき、基地局は、ＣＳＩ測定を実行するために２個のＣＳＩ−ＲＳが５個のキャリア｛ＣＣ１，ＣＣ２，ＣＣ３，ＣＣ４，ＣＣ５｝の１つずつの上で使用されることをＵＥに通知してもよく、各ＣＳＩ−ＲＳは、異なったキャリア上で同じパラメータ構成を有する。
【００５０】
ＣＳＩ−ＲＳのパラメータ構成は、パイロットシーケンス、パイロットパターン及び／又はＣＳＩ−ＲＳのサブフレーム構成などを含む。
【００５１】
ＣＡ技術及びＣｏＭＰ技術の組み合わせを使用するシステムにおいて、準静的シグナリング又は動的シグナリングを使用することにより基地局によってＵＥに通知されるＣＳＩ測定セットは、ＵＥがＣＳＩ測定を実行する各キャリア上でＣＳＩ測定を実行するために使用されるリファレンス信号の情報を含む。このように、ＵＥがＣＳＩ測定を実行する各キャリア上で、ＵＥは、少なくとも１つのＣＳＩを測定することが必要であり、各ＣＳＩは、キャリアの下でデータをＵＥに送信する１つのＣｏＭＰ方式に対応する。
【００５２】
ステップ２０３：基地局は、ＣＳＩ測定セット内にあり、ＵＥによって通知されたキャリアに関するチャネル状態情報を受信する。
【００５３】
本実施形態では、基地局がＣＳＩ測定セットをＵＥに通知した後に、基地局は、ＣＳＩ測定セットから、ＵＥに対して、起動されたキャリアセットを選択し、準静的シグナリング又は動的シグナリングを使用して、起動されたキャリアセットをＵＥに通知してもよい。起動されたキャリアセット内のキャリアの個数は、ＵＥがデータ通信の同時受信を行うキャリアの個数以下である。
【００５４】
本実施形態では、ＣＳＩ測定セット内のＣＣの個数は、起動されたキャリアセット内のキャリアの個数より多くなる。ＣＳＩ測定セットと起動されたキャリアセットとの両方に含まれたキャリアに関して、ＵＥは、対応するキャリア上の対応するキャリアのＣＳＩを測定し、対応するキャリア上でダウンリンクチャネルを受信し、ＣＳＩ測定セットに含まれるが、起動されたキャリアセットに含まれないキャリアに関して、ＵＥは、対応するキャリア上の対応するキャリアのＣＳＩを測定するが、対応するキャリア上でダウンリンクチャネルを受信しない。
【００５５】
上記実施形態では、基地局は、ＵＥによって通知された、ＣＳＩを測定するためのＵＥの能力を示す表示情報とデータ通信を受信する能力を示す表示情報とを受信し、ＣＳＩを測定するためのＵＥの能力を示す表示情報に従ってＵＥのためＣＳＩ測定セットを選択し、選択されたＣＳＩ測定セットをＵＥに通知する。その結果、基地局は、ＵＥによって通知された、ＣＳＩ測定セット内のキャリアのチャネル状態情報を受信し、ＵＥに対して、起動されたキャリアセットを選択することができる。このように、基地局は、ＵＥのため起動されたキャリアセットを柔軟に選択することができる。
【００５６】
以下は、本発明の図２に表された実施形態におけるステップ２０１において、ＣＳＩを測定するためのＵＥの能力を示す表示情報を通知するためにＵＥによって使用された方式について説明する。
【００５７】
方式１：ＵＥは、ＵＥがＣＳＩ測定を行う周波数帯域の組み合わせ（例えば、ＣＳＩＳｕｐｐｏｒｔｅｄＢａｎｄＣｏｍｂｉｎａｔｉｏｎ）を基地局に通知し、ＵＥがＣＳＩ測定を行う周波数帯域の組み合わせは、ＣＳＩ測定のため使用される少なくとも１個の周波数帯域組み合わせパラメータ（例えば、ＣＳＩＢａｎｄＣｏｍｂｉｎａｔｉｏｎＰａｒａｍｅｔｅｒｓ）を含み、ＣＳＩ測定のため使用される各周波数帯域組み合わせパラメータは、ＵＥがＣＳＩ測定を行う周波数帯域の組み合わせの情報を含み、周波数帯域の各組み合わせは、少なくとも１個の周波数帯域を含むことがあり、ＣＳＩ測定のため使用される周波数帯域組み合わせパラメータは、周波数帯域の組み合わせ内の各周波数帯域の周波数帯域パラメータ（例えば、ＣＳＩＢａｎｄＰａｒａｍｅｔｅｒｓ）を含み、各周波数帯域の周波数帯域パラメータは、ＣＳＩを測定するＵＥによって使用されるダウンリンク周波数帯域パラメータ（例えば、ＣＳＩｂａｎｄＰａｒａｍｅｔｅｒｓＤＬ）を含み、ＣＳＩを測定するＵＥによって使用されるダウンリンク周波数帯域パラメータは、ＣＳＩダウンリンク帯域幅のタイプ（例えば、ＣＳＩＢａｎｄｗｉｄｔｈＣｌａｓｓＤＬ）を含み、ＣＳＩダウンリンク帯域幅のタイプは、ＵＥがこの周波数帯域でＣＳＩ測定を行うＣＣの最大個数と、アグリゲート帯域幅の構成とを含み、アグリゲート帯域幅の構成は、リソース・ブロック（Ｒｅｓｏｕｒｃｅ  Ｂｌｏｃｋ、以下、略してＲＢ）の個数の構成、例えば、アグリゲート帯域幅＜１００ＲＢ、又は１００ＲＢ＜アグリゲート帯域幅＜２００ＲＢであってもよい。例えば、ＵＥがこの周波数帯域でＣＳＩ測定を行うＣＣの最大個数と、アグリゲート帯域幅の構成とは、以下の通りであってもよい：ＵＥがこの周波数帯域でＣＳＩ測定を行うＣＣの最大個数は２であり、かつ、アグリゲート帯域幅は１００ＲＢ以下である。
【００５８】
例えば、ＵＥによって通知された、ＵＥがＣＳＩ測定を行う周波数帯域の組み合わせは、ＣＳＩ測定のため使用される２個の周波数帯域組み合わせパラメータを含む。ＣＳＩ測定のため使用される第１の周波数帯域組み合わせパラメータは、２個の周波数帯域にそれぞれ対応する２個の周波数帯域パラメータを含み、第１の周波数帯域パラメータが周波数帯域１に対応し、第１の周波数帯域パラメータに対応するＣＳＩダウンリンク帯域幅のタイプがｂであり、すなわち、ＵＥがこの周波数帯域でＣＳＩ測定を行うＣＣの最大個数が２であり、アグリゲート帯域幅が１００ＲＢ未満である。第２の周波数帯域パラメータが周波数帯域２に対応し、第２の周波数帯域パラメータに対応するＣＳＩダウンリンク帯域幅のタイプがｃであり、すなわち、ＵＥがこの周波数帯域でＣＳＩ測定を行うＣＣの最大個数が２であり、アグリゲート帯域幅が１００ＲＢより大きく、２００ＲＢ未満である。その結果、ＵＥは、ＣＳＩ測定のため使用される第１の周波数帯域組み合わせパラメータに対応する最大４個のＣＣで同時にＣＳＩ測定を実行することができる。ＣＳＩ測定のため使用される第２の周波数帯域組み合わせパラメータは、ＣＳＩ測定のため使用される第１の周波数帯域組み合わせパラメータに類似し、これは、ここではこれ以上説明しない。
【００５９】
方式２：ＵＥは、ＣＳＩを測定するためのＵＥの能力を予め定義するＵＥのタイプを基地局に通知する。例えば、ＵＥのタイプの中でＣＳＩを測定するためのＵＥの能力を予め定める方式は、表１、表２、表３、又は表４において示されてもよい。
【表１】
2015523023.tif 000003
【表２】
2015523023.tif 000004
【表３】
2015523023.tif 000005
【表４】
2015523023.tif 000006
【００６０】
ＵＥのタイプにおいて、ＵＥがＣＳＩ測定を行う各キャリア上で実行されるＣＳＩ測定の回数、例えば、３回、又は、ＵＥがＣＳＩ測定を行うすべてのキャリア上で実行されるＣＳＩ測定の総量、例えば、１０回が定義されてもよい。
【００６１】
場合によっては、ＵＥのタイプにおいて定義された、ＵＥがＣＳＩ測定を行うキャリアの個数は、ＵＥがデータ通信の同時受信を行うキャリアの個数より多くなる、及び／又はＵＥのタイプにおいて定義された、ＵＥが同時ＣＳＩ測定を行うキャリアの個数は、ＵＥがデータ通信の同時受信を行うキャリアの個数より多くなる。
【００６２】
図３は、本発明に係る仮想キャリア・アグリゲーション方法の別の実施形態のフローチャートである。本実施形態では、図１に表された実施形態に提供された方法の具体的な実施は、測定能力表示情報がＲＳＲＰを測定するＵＥの能力を示す表示情報であり、かつ、測定セットがリソース管理セットであるシナリオにおいて説明される。
【００６３】
図３に表されるように、仮想キャリア・アグリゲーション方法は、以下のステップを含んでもよい：
【００６４】
ステップ３０１：基地局は、ＵＥによって通知された、ＲＳＲＰを測定するＵＥの能力を示す表示情報とデータ通信を受信する能力を示す表示情報とを受信する。
【００６５】
本実施形態では、ＲＳＲＰを測定するＵＥの能力は、ＵＥがＣＳＩ−ＲＳ受信電力の測定を行うか否かを含む。
【００６６】
ＵＥがＣＳＩ−ＲＳ受信電力の測定を行う場合、ＲＳＲＰを測定するＵＥの能力は、ＵＥがＲＳＲＰ測定を行うキャリアの個数をさらに含んでもよく、又は
ＲＳＲＰを測定するＵＥの能力は、ＵＥがＲＳＲＰ測定を行うキャリアの個数、及びユーザ装置がＣＳＩ−ＲＳ受信電力の測定を行う各キャリア上のＲＳＲＰ測定のためのリファレンス信号リソースの個数、ＵＥがＣＳＩ−ＲＳ受信電力の測定を行う各キャリア上で実行されるＲＳＲＰ測定のためのポートの個数、及びＵＥがＣＳＩ−ＲＳ受信電力の測定を実行する各キャリア上で測定されるＲＳＲＰの個数、のうちの１つ又はそれらの組み合わせ、をさらに含んでもよく、又は
ＲＳＲＰを測定するＵＥの能力は、ＵＥがＲＳＲＰ測定を行うキャリアの個数、及びリファレンス信号リソースの総数、ＵＥがＣＳＩ−ＲＳ受信電力の測定を行うすべてのキャリア上で実行されるＲＳＲＰ測定のためのポートの総数、及び、ＵＥがＣＳＩ−ＲＳ受信電力の測定を実行するすべてのキャリア上で測定されるＲＳＲＰの総数のうちの１つ又はそれらの組み合わせ、をさらに含んでもよい。
【００６７】
ＵＥがＣＳＩ−ＲＳ受信電力の測定を行うか否かは、特徴組み合わせ指示の中の１ビット（例えば、ｆｅａｔｕｒｅＧｒｏｕｐＩｎｄ−ｒ１２）を使用することにより指示されてもよい。
【００６８】
ステップ３０２：基地局は、ＲＳＲＰを測定するＵＥの能力を示す表示情報に従ってＵＥのためリソース管理セットを選択する。
【００６９】
本実施形態では、リソース管理セットは、ＵＥがＲＳＲＰ測定を実行するキャリアのセットと、ＵＥがＲＳＲＰ測定を行う各キャリア上で実行されるＲＳＲＰ測定を実行するために使用されるリファレンス信号とを含む。
【００７０】
ステップ３０３：基地局は、リソース管理セットをＵＥに通知する。
【００７１】
具体的には、基地局は、準静的シグナリング又は動的シグナリング、例えば、無線リソース制御（Ｒａｄｉｏ  Ｒｅｓｏｕｒｃｅ  Ｃｏｎｔｒｏｌ、以下、略してＲＲＣ）シグナリングを使用することによりリソース管理セットをＵＥに通知してもよい。
【００７２】
ステップ３０４：基地局は、リソース管理セット内のキャリアに関するＲＳＲＰであり、かつＵＥにより通知された、ＲＳＲＰ、を受信する。
【００７３】
リソース管理セットにおいて、ＵＥがＲＳＲＰ測定を実行する各キャリア上でＲＳＲＰ測定を実行するために使用されるリファレンス信号は、独立した方式、又は組み合わされた方式で構成され、ＲＳＲＰ測定を実行するために使用されるリファレンス信号は、ＣＳＩ−ＲＳ又はＣＲＳを含み、ＲＳＲＰは、ＣＳＩ−ＲＳに基づくＲＳＲＰ及びＣＲＳに基づくＲＳＲＰを含む。
【００７４】
本実施形態では、ＣＡ技術を使用するシステムにおいて、リソース管理セットは、ＣＲＳベースのセットである。例えば、リソース管理セットは、７個のキャリア｛ＣＣ１，ＣＣ２，ＣＣ３，ＣＣ４，ＣＣ５，ＣＣ６，ＣＣ７｝を含んでもよい。各ＣＣの下で、ＵＥは、対応するＣＲＳに基づいてＣＲＳ  ＲＥＳＰの測定を実行する。
【００７５】
ＣＡ技術とＣｏＭＰ技術との組み合わせを使用するシステムでは、リソース管理セットは、ＣＳＩ−ＲＳベースのセット、又はＣＳＩ−ＲＳベース／ＣＲＳベースのセットである。リソース管理セットは、セット内のキャリア及びＣＳＩ−ＲＳのセットの表示情報、及び／又はＲＳＲＰを測定するために使用されるＣＲＳ、又は各キャリアにおけるＲＳＲＰ／リファレンス信号受信品質（Ｒｅｆｅｒｅｎｃｅ  Ｓｉｇｎａｌ  Ｒｅｃｅｉｖｅｄ  Ｑｕａｌｉｔｙ、ＲＳＲＱと略す）を示すために使用される。
【００７６】
各キャリアの下でＲＳＲＰを測定するために使用されるリファレンス信号は、独立した方式もしくは組み合わされた方式で構成されてもよく、或いは各キャリアの下でＲＳＲＰ／ＲＳＲＱを測定するために使用されるリファレンス信号は、独立した方式又は組み合わされた方式で構成されてもよい。
【００７７】
例えば、ＣＡ技術とＣｏＭＰ技術との組み合わせを使用するシステムにおいて、リソース管理セットは、７個のキャリア｛ＣＣ１，ＣＣ２，ＣＣ３，ＣＣ４，ＣＣ５，ＣＣ６，ＣＣ７｝と、各キャリアの下でＲＳＲＰを測定するために使用されるＣＳＩ−ＲＳとを含んでもよい。ＵＥは、リソース管理セット内のキャリアに関してＣＳＩ−ＲＳ  ＲＳＲＰ／ＲＳＲＱを測定し、通知する。
【００７８】
本実施形態では、基地局がリソース管理セットをＵＥに通知した後、基地局は、ＵＥに対するＣＳＩ測定セットをさらに選択し、準静的シグナリング又は動的シグナリングを使用することによりＣＳＩ測定セットをＵＥに通知する。リソース管理セットは、ＣＳＩ測定セット包含する、又は、リソース管理セットとＣＳＩ測定セットとは、共通集合を持つが、包含関係を持たない、又はリソース管理セットとＣＳＩ測定セットとは、共通集合を持たない。
【００７９】
さらに、基地局がＣＳＩ測定セットをＵＥに通知した後、基地局は、ＣＳＩ測定セットから、ＵＥに対する、起動されたキャリアセットをさらに選択することがあり、起動されたキャリアセット内のキャリアの個数は、ＵＥがデータ通信の同時受信を行うキャリアの個数以下であり、その後、基地局は、準静的シグナリング又は動的シグナリングを使用することにより、起動されたキャリアセットをＵＥに通知する。
【００８０】
例えば、リソース管理セット、ＣＳＩ測定セット、及び、ＵＥに対して基地局が選択した起動されたキャリアセットの間の関係は、図４に表されてもよい。図４は、本発明に係るリソース管理セット、ＣＳＩ測定セット、及び起動されたキャリアセットの関係について説明する実施形態の概略図である。
【００８１】
ＣＡ技術を使用するシステムでは、基地局は、リソース管理セット内のキャリアに関して、ＵＥによって通知されたＲＳＲＰ／ＲＳＲＱのような情報に従ってＵＥのＣＳＩ測定セットを決定することがあり、ＣＳＩ測定セット内のキャリアのチャネル状態情報、例えば、ＣＱＩ、ＰＭＩ及び／又はＲＩなどに従って、動的又は準静的基準で、ＵＥについて、起動されたキャリアセットを選択し、準静的シグナリングもしくは動的シグナリング、例えば、ＰＤＣＣＨ、ＲＲＣ、媒体アクセス制御コントロール要素（Ｍｅｄｉａ  Ａｃｃｅｓｓ  Ｃｏｎｔｒｏｌ  Ｃｏｎｔｒｏｌ  Ｅｌｅｍｅｎｔ、以下、略してＭＡＣ  ＣＥ）などを使用することにより、起動されたキャリアセットをＵＥに通知する。
【００８２】
ＣＡ技術とＣｏＭＰ技術との組み合わせを使用するシステムでは、基地局は、リソース管理セット内の各キャリア上の対応するリファレンス信号に関して、ＵＥによって通知されたＲＳＲＰ又はＲＳＲＰ／ＲＳＲＱのような情報に従ってＵＥのＣＳＩ測定セットを決定し、ＣＳＩ測定セット内の各キャリアに対応するＲＳのチャネル状態情報、例えば、ＣＱＩ、ＰＭＩ及び／又はＲＩなどに従って、動的又は準静的基準で、ＵＥについて、起動されたキャリアセットを選択し、準静的シグナリング又は動的シグナリング、例えば、ＰＤＣＣＨ、ＲＲＣ、ＭＡＣ  ＣＥなどを使用することによって、起動されたキャリアセットをＵＥに通知する。
【００８３】
上記実施形態では、基地局は、ＵＥによって通知された、ＲＳＲＰを測定するＵＥの能力を示す表示情報とデータ通信を受信する能力を示す表示情報とを受信し、ＲＳＲＰを測定するＵＥの能力を示す表示情報に従って、ＵＥに対する、リソース管理セットを選択し、選択されたリソース管理セットをＵＥに通知する。その結果、基地局は、ＵＥによって通知されたＲＳＲＰを受信し、ＵＥに対する、ＣＳＩ測定セットを選択し、そして、ＣＳＩ測定セットから、ＵＥに対する、起動されたキャリアセットを選択することができる。このように、基地局は、ＵＥに対する、起動されたキャリアセットを柔軟に選択することができる。
【００８４】
本発明の図２及び図３に表された実施形態において提供された方法は、本発明の実施形態において限定されることなく、独立に、又は組み合わせて使用されてもよい。
【００８５】
本発明の図１、図２及び図３に示される実施形態において、ＣＳＩ測定セット及びリソース管理セットは、包含関係を持つことがあり、例えば、リソース管理セットは、図５に表されるように、ＣＳＩ測定セットを包含してもよい。図５は、本発明に係るリソース管理セット、ＣＳＩ測定セット、及び起動されたキャリアセットの間の関係について説明する別の実施形態の概略図である。図５では、波線円は、起動されたキャリアセットを表現し、点線円は、ＣＳＩ測定セットを表現し、実線円は、起動されたキャリアセットを表現する。
【００８６】
代替的に、ＣＳＩ測定セット及びリソース管理セットは、共通集合を持つことがあるが、包含関係を持つことがなく、例えば、ＣＳＩを測定するために使用される１個のＣＳＩ−ＲＳは、リソース管理セット内に含まれることがなく、又はＵＥは、ＣＳＩを測定することが必要であるが、１個のキャリア上でＲＳＲＰを測定する必要がない。図６に表されるように、図６は、本発明に係るリソース管理セット、ＣＳＩ測定セット、及び起動されたキャリアセットの間の関係について説明する別の実施形態の概略図である。図６では、波線円は、起動されたキャリアセットを表現し、点線円は、ＣＳＩ測定セットを表現し、実線円は、起動されたキャリアセットを表現する。
【００８７】
代替的に、ＣＳＩ測定セット及びリソース管理セットは、独立した方式で構成され、すなわち、１つのキャリア、又は１つの非零電力ＣＳＩ−ＲＳは、一方のセットに含まれ、もう一方のセットには含まれないことがある。
【００８８】
本発明の実施形態では、基地局は、ＣＳＩ測定セット内のキャリアに関して、ＵＥによって通知されたチャネル状態情報を受信し、チャネル状態情報に従ってＵＥに対する、起動されたキャリアセットを選択し、その後、基地局は、準静的シグナリング又は動的シグナリングを使用することによって、起動されたキャリアセットをＵＥに通知し、ＵＥは、起動されたキャリアセット内のキャリア上でデータを受信し、起動されたキャリアセット内のキャリアの個数は、ＣＳＩ測定セット内のキャリアの個数未満である。
【００８９】
具体的には、基地局は、以下の方式のうちの少なくとも１つにおいて、準静的シグナリング又は動的シグナリングを使用することにより、起動されたキャリアセットをＵＥに通知してもよい。
【００９０】
方式１：基地局は、予め定義された方式で、又は、上位レイヤシグナリングを使用することによって、少なくとも１つのサブフレーム内で起動されたキャリアセットをＵＥに通知することがあり、少なくとも１つのサブフレームは、上位レイヤシグナリングを使用することによって予め定義される、又は構成されることがあり、起動されたキャリアセット内の起動されたキャリアは、上位レイヤシグナリングを使用することによって予め定義され、又は構成され、起動されたキャリアセット内の起動されたキャリアが予め定義された場合、起動されたキャリアは、プライマリキャリア又はセカンダリキャリアとして予め定義される。
【００９１】
例えば、無線フレーム（Ｒａｄｉｏ  Ｆｒａｍｅ）内のサブフレーム０、４、５、及び９における起動されたキャリアセットは、プライマリキャリアとして予め定義されることがあり、又は無線フレーム（Ｒａｄｉｏ  Ｆｒａｍｅ）内のサブフレーム０及び５における起動されたキャリアセットがプライマリキャリアとして定義されることがあり、サブフレーム４及び９における起動されたキャリアセットがセカンダリキャリアとして予め定義されてもよい。
【００９２】
別の実施例では、基地局は、上位レイヤシグナリングを使用することによって、起動されたキャリアセットがプライマリキャリアであるサブフレームの位置をＵＥに通知することがあり、及び／又は基地局は、上位レイヤシグナリングを使用することによって、起動されたキャリアセットがセカンダリキャリアであるサブフレームの位置をＵＥに通知してもよい。
【００９３】
別の実施例では、基地局は、上位レイヤシグナリングを使用することによって、少なくとも１つのサブフレームの中の各サブフレームにおける起動されたキャリアの個数及び起動されたキャリアセットをＵＥに通知してもよく、起動されたキャリアの個数は、０以上の整数であってもよく、１つのサブフレームにおける起動されたキャリアの個数が零である場合、基地局は、このサブフレームにおける起動されたキャリアセットを通知する必要がなく、１つのサブフレームにおける起動されたキャリアの個数が非零である場合、基地局は、このサブフレームにおける起動されたキャリアセットを通知する必要がある。
【００９４】
方式２：基地局は、Ｎ個のサブフレームの後に、起動されたキャリアをＵＥに通知するために、起動されたキャリアを使用することによって、動的シグナリングをＵＥに送信する。ここで、起動されたキャリアは、プライマリキャリア及び／又はセカンダリキャリアであってもよい。
【００９５】
具体的には、動的シグナリングは、ＰＤＣＣＨ、又は拡張物理ダウンリンク制御チャネル（ｅｎｈａｎｃｅｄ  ＰＤＣＣＨ、以下、略してｅＰＤＣＣＨ）、又は物理ダウンリンク共有チャネル（Ｐｈｙｓｉｃａｌ  Ｄｏｗｎｌｉｎｋ  Ｓｈａｒｅｄ  Ｃｈａｎｎｅｌ、以下、略してＰＤＳＣＨ）を介して基地局により送信されるダウンリンク制御情報であってもよい。
【００９６】
具体的には、動的シグナリングは、ＰＤＣＣＨ又はｅＰＤＣＣＨのパブリック検索空間、起動されたキャリアの専用検索空間、又はＵＥの専用検索空間を介して送信されてもよい。
【００９７】
具体的には、動的シグナリングは、ダウンリンクデータと多重化される方式で、ＰＤＳＣＨにおいて送信されてもよい。
【００９８】
具体的には、動的シグナリングは、値がＮであるサブフレーム指示フィールドを含む。さらに、動的シグナリングは、起動されたキャリアセットを指示するために使用されるキャリア指示フィールドをさらに含む。
【００９９】
方式３：基地局が準静的シグナリング又は動的シグナリングを使用することにより第１のフレームの起動されたキャリアセットをＵＥに通知しない場合、第１のサブフレームの起動されたキャリアセットは、プライマリキャリア、又は第１のサブフレームの最も近くかつ前にある第２のサブフレーム内にあり、かつユーザ装置に認識されている起動されたキャリアセットである。
【０１００】
具体的には、通信の初期フェーズで、ＵＥは、起動されたキャリアセットに関する情報を認識していない。この場合、ＵＥは、起動されたキャリアセットとしてプライマリキャリアを使用し、通信の持続フェーズで、シグナリングオーバーヘッドを抑えるために、基地局は、第１のサブフレームの起動されたキャリアセットをＵＥに通知しなくてもよい。この場合、第１のサブフレームにおいて、ＵＥは、第１のサブフレームの起動されたキャリアセットとして、プライマリキャリア、又は第１のサブフレームに最も接近しかつ前にある第２のサブフレーム内にあり、かつＵＥに既に認識されている起動されたキャリアセットを使用してもよい。
【０１０１】
プライマリキャリアは、予め定義された方式で、又は、上位レイヤシグナリングを構成することによりＵＥによって取得された、少なくとも１個のキャリアであり、この少なくとも１個のキャリアは、ＵＥがＣＳＩ測定を実行するキャリアのうちの少なくとも１個であり、セカンダリキャリアは、予め定義された方式で、又は、上位レイヤシグナリングを構成することによりＵＥによって取得された、少なくとも１個のキャリアであり、この少なくとも１個のキャリアは、ＵＥがＣＳＩ測定を実行するキャリアのうちの少なくとも１個である。
【０１０２】
上記３つの方式は、図７に示されるように、どんな組み合わせで使用されてもよいことに注意すべきである。図７は、基地局が本発明に係る起動されたキャリアセットをＵＥに通知する方式について説明する実施形態の概略図である。図７では、ＣＳＩ測定セットは、２個のキャリア、それぞれＣＣ１及びＣＣ２を含み、ＣＣ１は、予め定義された、又は上位レイヤシグナリングを使用することにより構成されたプライマリキャリアであり、ＣＣ２は、セカンダリキャリアである。図７では、水平軸がサブフレーム番号を表現し、サブフレーム０、４、５、及び９は、起動されたキャリアセットを第１の方式で通知し、すなわち、基地局は、予め定義された方式で、又は上位レイヤシグナリングを使用することにより、サブフレーム０、４、５、及び９における起動されたキャリアセットがプライマリキャリア（ＣＣ１）であることをＵＥに通知し、サブフレーム１、２、３、及び７は、起動されたキャリアセットを第２の方式で通知し、すなわち、基地局は、１個のサブフレームの後に起動されたキャリアをＵＥに通知するために、起動されたキャリアを使用することにより、動的シグナリングをＵＥに送信し、サブフレーム６及び８は、起動されたキャリアセットを第３の方式で通知し、すなわち、基地局が準静的シグナリング又は動的シグナリングを使用することによって１個のサブフレームの起動されたキャリアセットをＵＥに通知しないとき、プライマリキャリア（ＣＣ１）は、このサブフレームの起動されたキャリアセットである。図７において、陰影付きボックスは、起動されたキャリアを表現し、陰影なしボックスは、仮想キャリアを表現する。
【０１０３】
本発明の実施形態では、基地局は、上記３つの方式の１つ又は組み合わせで、起動されたキャリアセットをＵＥに通知し、このことは、一つだけ又は少数のキャリア上でのデータ処理能力を維持可能なＵＥが複数のキャリアからキャリアを動的に選択することを可能としてもよく、それによって、ＵＥのスループットを増加させ、ネットワークスループットを最適化する。
【０１０４】
さらに、本発明の実施形態では、基地局が、準静的シグナリング又は動的シグナリングを使用することにより、起動されたキャリアセットをＵＥに通知した後、基地局は、起動されたキャリアセット内の起動されたキャリア上でダウンリンク制御情報を送信し、ダウンリンク制御情報に従って、起動されたキャリア上でＰＤＳＣＨを送信してもよく、及び／又は起動されたキャリアセット内の起動されたキャリアがＮ個のサブフレームの後にある起動されたキャリアであり、動的シグナリングを使用することにより基地局によって通知される場合、基地局は、動的シグナリングを送信する起動されたキャリア上でダウンリンク制御情報を送信し、ダウンリンク制御情報に従って、動的シグナリングにより示されるＮ個のフレーム後の起動されたキャリア上でＰＤＣＣＨ又はｅＰＤＣＣＨ又はＰＤＳＣＨを送信することができる。
【０１０５】
上記２つの方式は、図８に表されるように、組み合わせて使用されてもよいことに注意すべきである。図８は、本発明に係る基地局によるＰＤＣＣＨ又はｅＰＤＣＣＨ又はＰＤＳＣＨの送信について説明する実施形態の概略図である。図８では、ＣＳＩ測定セットは、２個のキャリア、それぞれＣＣ１及びＣＣ２を含み、ＣＣ１は、予め定義されるか、又は上位レイヤシグナリングを使用することにより構成されたプライマリキャリアであり、ＣＣ２は、セカンダリキャリアである。時点Ｔ１での起動されたキャリアは、ＣＣ１であり、時点Ｔ２での起動されたキャリアは、ＣＣ１であり、時点Ｔ３での起動されたキャリアは、ＣＣ１である。基地局は、時点Ｔ１にＣＣ１上でＰＤＣＣＨ１を送信し、ＰＤＣＣＨ１に従って時点Ｔ１にＣＣ１上でＰＤＳＣＨを送信し、基地局は、時点Ｔ１にＣＣ１上でＰＤＣＣＨ２を送信し、ＰＤＣＣＨ２に従って時点Ｔ２にＣＣ２上でＰＤＣＣＨ２及びＰＤＳＣＨを送信し、基地局は、時点Ｔ２にＣＣ２上でＰＤＣＣＨ２を送信し、ＰＤＣＣＨ２に従って時点Ｔ３にＣＣ１上でＰＤＳＣＨを送信する。図８では、
[外１]
2015523023.tif 000007
は、ＰＤＣＣＨ１を表現し、
[外２]
2015523023.tif 000008
は、ＰＤＣＣＨ２を表現し、
[外３]
2015523023.tif 000009
は、ＰＤＳＣＨを表現する。
【０１０６】
本発明の実施形態では、基地局が、準静的シグナリング又は動的シグナリングを使用することによって、起動されたキャリアセットをＵＥに通知した後に、起動されたキャリアセットが少なくとも１個のサブフレームにおける起動されたキャリアであり、予め定義された方式で、又は上位レイヤシグナリングを使用することにより基地局によってＵＥに通知される場合、基地局は、少なくとも１個のサブフレームにおける起動されたキャリア上で物理報知チャネル、同期チャネル、及びページングチャネルのうちの１つ又は組み合わせを送信する。
【０１０７】
さらに、基地局が、準静的シグナリング又は動的シグナリングを使用することによって、起動されたキャリアセットをＵＥに通知した後、基地局は、予め定義された方式で、又は、準静的シグナリングもしくは動的シグナリングを使用することにより仮想起動されたキャリアセットをＵＥに通知してもよく、ＵＥは、ＰＤＣＣＨ、ｅＰＤＣＣＨ、及びＰＤＳＣＨを受信するのではなく、仮想起動されたキャリアセット内の仮想起動されたキャリア上でチャネル状態情報を測定する。基地局が、予め定義された方式で、又は、準静的シグナリングもしくは動的シグナリングにより仮想起動されたキャリアセットをＵＥに通知する方式は、基地局が準静的シグナリングもしくは動的シグナリングを使用することにより起動されたキャリアセットをＵＥに通知する方式と同じであるので、ここではこれ以上説明しない。また、仮想起動されたキャリアセットは、ＣＳＩ測定における起動されたキャリア以外のキャリアのセットであってもよい。
【０１０８】
さらに、基地局が準静的シグナリング又は動的シグナリングを使用することにより起動されたキャリアセットをＵＥに通知した後、起動されたキャリアセット内の起動されたキャリア上で基地局によって送信された物理報知チャネルは、プライマリキャリア上の物理報知チャネルと同じであり、又はＣＳＩ測定セット内の複数のキャリア上で基地局により送信される複数の物理報知チャネルは、同じである。
【０１０９】
図９は、本発明に係る仮想キャリア・アグリゲーション方法の別の実施形態のフローチャートである。図９に示されるように、仮想キャリア・アグリゲーション方法は、以下を含んでもよい：
【０１１０】
ステップ９０１：ＵＥは、測定能力表示情報と、データ通信を受信する能力を示す表示情報とを基地局に通知する。
【０１１１】
ステップ９０２：ＵＥは、基地局によって通知された測定セットを受信し、測定セットは、測定能力表示情報に従って、ＵＥに対して、基地局によって選択される。
【０１１２】
データ通信を受信する能力を示す表示情報は、ＵＥがデータ通信の同時受信を行うキャリアの情報を含み、そして測定能力表示情報は、ＣＳＩを測定するためのＵＥの能力を示す表示情報、及び／又はＲＳＲＰを測定するＵＥの能力を示す表示情報を含む。
【０１１３】
本実施形態では、測定能力表示情報がＣＳＩを測定するためのＵＥの能力を示す表示情報である場合、ＵＥがＣＳＩ測定を行うキャリアの個数は、ＵＥが同時ＣＳＩ測定を行うキャリアの個数より多くなる、及び／又はＵＥが同時ＣＳＩ測定を行うキャリアの個数は、ＵＥがデータ通信の同時受信を行うキャリアの個数より多くなる。
【０１１４】
本実施形態において、測定能力表示情報がＣＳＩを測定するためのＵＥの能力を示す表示情報である場合、ＵＥによって、測定能力表示情報を基地局に通知することは、以下の通りであってもよい：ＵＥは、ＣＳＩを測定するためのＵＥの能力を予め定義するＵＥのタイプを基地局に通知する、又はＵＥは、ＣＳＩを測定するためのＵＥの能力を基地局に直接的に通知する。本実施形態では、ＵＥがＣＳＩを測定するためのＵＥの能力を示す表示情報を基地局に通知する方式に関する詳細について、本発明の図２に表された実施形態における説明を参照してもよく、ここではこれ以上説明しない。
【０１１５】
ＣＳＩを測定するためのＵＥの能力は、ＵＥがＣＳＩ測定を行うキャリアの個数、及び／又はＵＥが同時ＣＳＩ測定を行うキャリアの個数を含む、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行う各キャリア上で実行されるＣＳＩ測定の回数；のうちの１つ又は全て、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を実行する全てのキャリア上でＵＥによって実行されるＣＳＩ測定の総量；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を実行する各キャリア上でＵＥによって実行されるＣＳＩ測定の回数；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を実行する全てのキャリア上でＵＥにより実行されるＣＳＩ測定の総量；のうちの１つ又は全て。
【０１１６】
代替的に、ＣＳＩを測定するためのＵＥの能力は、ＵＥがＣＳＩ測定を行うキャリアの個数、及び／又はＵＥが同時ＣＳＩ測定を行うキャリアの個数を含んでもよく、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行う各キャリア上で実行されるＣＳＩ測定の回数；のうちの１つ又は全て、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行うすべてのキャリア上で実行されるＣＳＩ測定の総量；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を行う各キャリア上で実行されるＣＳＩ測定の回数；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を行う全てのキャリア上で実行されるＣＳＩ測定の総量；のうちの１つ又は全て。
【０１１７】
本実施形態では、測定能力表示情報がＣＳＩを測定するためのＵＥの能力を示す表示情報である場合、測定セットは、ＣＳＩ測定セットであり、ＣＳＩ測定セットは、ＵＥがＣＳＩ測定を実行するキャリアのセットを含む、或いはＣＳＩ測定セットは、ＵＥがＣＳＩ測定を実行するキャリアのセットと、ＵＥがＣＳＩ測定を実行する各キャリア上でＣＳＩ測定を実行するために使用されたリファレンス信号の情報とを含む。このように、ステップ９０２の後、ＵＥは、ＣＳＩ測定セット内のキャリアに関するチャネル状態情報を基地局にさらに通知してもよい。
【０１１８】
ＣＳＩ測定セットにおいて、ＵＥがＣＳＩを測定する各キャリア上でＣＳＩ測定を実行するために使用されるリファレンス信号は、独立した方式で、又は組み合わされた方式で構成されてもよい。ＣＳＩ測定を実行するために使用されるリファレンス信号は、ＣＳＩ−ＲＳ及びＣＲＳを含んでもよい。
【０１１９】
本実施形態では、測定能力表示情報がＲＳＲＰを測定するＵＥの能力を示す表示情報である場合、ＲＳＲＰを測定するＵＥの能力は、ＵＥがＣＳＩ−ＲＳ受信電力の測定を行うか否かを含み、さらに、ＵＥがＣＳＩ−ＲＳ受信電力の測定を行うとき、ＲＳＲＰを測定するＵＥの能力は、ＵＥがＲＳＲＰ測定を行うキャリアの個数をさらに含む、又はＲＳＲＰを測定するＵＥの能力は、ＵＥがＲＳＲＰ測定を行うキャリアの個数と、ユーザ装置がＣＳＩ−ＲＳ受信電力の測定を行う各キャリア上でのＲＳＲＰ測定のためのリファレンス信号リソースの個数、ＵＥがＣＳＩ−ＲＳ受信電力の測定を行う各キャリア上のＲＳＲＰ測定のためのポートの個数、及びＵＥがＣＳＩ−ＲＳ受信電力の測定を実行する各キャリア上で測定されるＲＳＲＰの個数のうちの１つもしくは組み合わせと、をさらに含む、又はＲＳＲＰを測定するＵＥの能力は、ＵＥがＲＳＲＰ測定を行うキャリアの個数と、リファレンス信号リソースの総数及びＵＥがＣＳＩ−ＲＳ受信電力の測定を行うすべてのキャリア上で実行されるＲＳＲＰ測定のためのポートの総数と、ＵＥがＣＳＩ−ＲＳ受信電力の測定を実行するすべてのキャリア上で測定されるＲＳＲＰの総数とのうちの１つもしくは組み合わせと、をさらに含む。
【０１２０】
本実施形態では、測定能力表示情報がＲＳＲＰを測定するＵＥの能力を示す表示情報である場合、測定セットは、リソース管理セットであり、リソース管理セットは、ＵＥがＲＳＲＰ測定を実行するキャリアのセットと、ＵＥがＲＳＲＰ測定を実行する各キャリア上でＲＳＲＰ測定を実行するために使用されるリファレンス信号とを含む。このように、ステップ９０２の後に、ＵＥは、リソース管理セット内のキャリアに関してＲＳＲＰを基地局にさらに通知してもよい。
【０１２１】
リソース管理セットにおいて、ＵＥがＲＳＲＰ測定を実行する各キャリア上でＲＳＲＰ測定を実行するために使用されるリファレンス信号は、独立した方式で、又は組み合わされた方式で構成されてもよい。ＲＳＲＰ測定を実行するために使用されるリファレンス信号は、ＣＳＩ−ＲＳ又はＣＲＳを含み、ＲＳＲＰは、ＣＳＩ−ＲＳに基づくＲＳＲＰと、ＣＲＳに基づくＲＳＲＰとを含む。
【０１２２】
本実施形態では、測定能力表示情報がＲＳＲＰを測定するＵＥの能力を示す表示情報である場合、ステップ９０２の後に、ＵＥは、準静的シグナリング又は動的シグナリングを使用することにより、ＵＥによって通知されたＣＳＩ測定セットをさらに取得してもよく、ＣＳＩ測定セットは、ＵＥに対して、基地局によって選択される。
【０１２３】
リソース管理セットは、ＣＳＩ測定セットを含んでもよい；或いはリソース管理セット及びＣＳＩ測定セットは、共通集合を持つが、包摂関係を持たない；或いはリソース管理セット及びＣＳＩ測定セットは、共通集合を持たない。
【０１２４】
本実施形態では、ＵＥがＣＳＩ測定セットを取得した後に、ＵＥは、準静的シグナリングもしくは動的シグナリングを使用することにより基地局によって通知された起動されたキャリアセットをさらに取得してもよく、起動されたキャリアセットは、ＵＥに対して、ＣＳＩ測定セットから基地局により選択され、起動されたキャリアセット内のキャリアの個数は、ＵＥがデータ通信の同時受信を行うキャリアの個数以下である。
【０１２５】
具体的には、ＵＥは、以下の方式で準静的シグナリング又は動的シグナリングにより基地局によって通知された起動されたキャリアセットを取得する。
【０１２６】
方式１：ＵＥは、少なくとも１個のサブフレーム内にあり、かつ、予め定義された方式もしくは上位レイヤシグナリングを使用することにより基地局により通知された起動されたキャリアセットを取得する。ここで、当該少なくとも１個のサブフレームは、予め定義されてもよく、或いは上位レイヤシグナリングを使用することにより構成されてもよく、そして起動されたキャリアセット内の起動されたキャリアは、予め定義されるか、又は上位レイヤシグナリングを使用することにより構成される。そして起動されたキャリアセット内の起動されたキャリアが予め定義されている場合、起動されたキャリアは、プライマリキャリアもしくはセカンダリキャリアとして予め定義されている。
【０１２７】
方式２：ＵＥは、Ｎ個のサブフレームの後に、動的シグナリングを使用することによって基地局により通知された起動されたキャリアを取得し、起動されたキャリアは、プライマリキャリア及び／又はセカンダリキャリアを含み、動的シグナリングは、起動されたキャリアを使用することにより基地局によって送信され、動的シグナリングは、以下のとおり：ＰＤＣＣＨ又はｅＰＤＣＣＨ又はＰＤＳＣＨを介して基地局によって送信されたダウンリンク制御情報である、ということがある。
【０１２８】
方式３：基地局が準静的シグナリング又は動的シグナリングを使用することにより第１のフレームの起動されたキャリアセットをＵＥに通知しない場合、第１のサブフレームの起動されたキャリアセットは、プライマリキャリアであるか、又は第１のサブフレームの最も近くかつ前にある第２のサブフレーム内にあり、かつユーザ装置により認識されている、起動されたキャリアセットである。
【０１２９】
上記３つの方式は、独立に使用されることがあり、又は、組み合わせて使用されてもよい。
【０１３０】
本実施形態では、ＵＥは、上記３つの方式のうちの１つもしくは組み合わせで基地局によって通知された起動されたキャリアセットを取得する。これにより、１つだけ、又は少数のキャリア上でデータ処理能力を維持できるＵＥが、複数のキャリアからキャリアを動的に選択することを可能とすることができる。それによって、ＵＥのスループットを増大させ、ネットワークスループットを最適化する。
【０１３１】
プライマリキャリアは、上位レイヤシグナリングを構成することにより、又は予め定義された方式で、ＵＥによって取得される少なくとも１個のキャリアであり、当該少なくとも１個のキャリアは、ＵＥがＣＳＩ測定を実行するキャリアのうちの少なくとも１個である。
【０１３２】
セカンダリキャリアは、上位レイヤシグナリングを構成することにより、又は予め定義された方式で、ＵＥによって取得される少なくとも１個のキャリアであり、当該少なくとも１個のキャリアは、ＵＥがＣＳＩ測定を実行するキャリアのうちの少なくとも１個である。
【０１３３】
本実施形態では、準静的シグナリング又は動的シグナリングを使用することにより基地局によって通知された起動されたキャリアセットをＵＥが取得した後に、ＵＥは、起動されたキャリアセット内の起動されたキャリア上でダウンリンク制御情報を受信し、かつダウンリンク制御情報に従って、起動されたキャリア上でＰＤＳＣＨを受信し；及び／又は起動されたキャリアセット内の起動されたキャリアがＮ個のサブフレーム後の起動されたキャリアであり、かつ動的シグナリングを使用することにより基地局によって通知される場合、ＵＥは、動的シグナリングを送信する起動されたキャリア上でダウンリンク制御情報を受信し、かつダウンリンク制御情報に従って、動的シグナリングにより示されるＮ個のフレーム後にある起動されたキャリア上でＰＤＣＣＨ又はｅＰＤＣＣＨ又はＰＤＳＣＨを受信する。
【０１３４】
本実施形態では、ＵＥが準静的シグナリングもしくは動的シグナリングを使用することにより基地局によって通知された起動されたキャリアセットを取得した後に、起動されたキャリアセットが少なくとも１個のサブフレーム内にあり、かつ、予め定義された方式で、もしくは、上位レイヤシグナリングを使用することにより基地局によってＵＥに通知された起動されたキャリアセットである場合、ＵＥは、少なくとも１個のサブフレーム内にある起動されたキャリア上で物理報知チャネル、同期チャネル、及びページングチャネルのうちの１つもしくは組み合わせを受信する。
【０１３５】
本実施形態では、準静的シグナリングもしくは動的シグナリングを使用することにより基地局によって通知された起動されたキャリアセットを取得した後、ＵＥは、起動されたキャリアセット内の起動されたキャリア上でチャネル状態情報を測定する。
【０１３６】
本実施形態では、ＵＥが準静的シグナリングもしくは動的シグナリングを使用することにより基地局によって通知された起動されたキャリアセットを取得した後に、ＵＥは、予め定義された方式で、又は準静的シグナリングもしくは動的シグナリングを使用することにより、基地局によって通知された仮想起動されたキャリアセットを取得し、ＵＥは、ＰＤＣＣＨ、ｅＰＤＣＣＨ、及びＰＤＳＣＨを受信するのではなく、仮想起動されたキャリアセット内の仮想起動されたキャリア上でチャネル状態情報を測定する。
【０１３７】
上記実施形態では、ＵＥは、測定能力表示情報と、データ通信を受信する能力を示す表示情報とを基地局に通知し、その後、基地局により通知された測定セットを受信する。ここで測定セットは、測定能力表示情報に従って、ＵＥに対して、基地局により選択される。ここで当該測定能力表示情報は、ＣＳＩを測定するためのＵＥの能力を示す表示情報、及び／又は、ＲＳＲＰを測定するＵＥの能力を示す表示情報を含む。その結果、基地局は、チャネル状態情報、及び／又はＵＥによって通知されたＲＳＲＰを受信し、ＵＥに対するＣＳＩ測定セットを選択し、そしてＣＳＩ測定セットから、ＵＥに対する起動されたキャリアセットを選択することができる。このように、基地局は、ＵＥに対する起動されたキャリアセットを柔軟に選択することができる。
【０１３８】
本発明の実施形態は、一例として、ＣＡ技術とＣｏＭＰ技術との組み合わせを使用するシステムを使用することにより、本発明によって提供される仮想キャリア・アグリゲーション方法について説明するが、本発明の実施形態は、このシステムに限定されない。本発明によって提供される仮想キャリア・アグリゲーション方法は、ＣＡ技術と別の技術との組み合わせを使用するシステムにおいてさらに適用されてもよい。
【０１３９】
本発明の実施形態におけるキャリアは、異なるネットワークノード（例えば、基地局）により送信されてもよく、或いは同じネットワークノードにより送信されてもよい、ということに注意すべきである。本発明の実施形態におけるキャリアは、キャリア、キャリアを使用するセル、又はキャリアを使用するセル内のネットワークノードであってもよい。
【０１４０】
当業者は、上記方法実施形態のステップの全部又は一部が関連するハードウェアに命令するプログラムによって実施されることを理解することができる。上記プログラムは、コンピュータ読み取り可能な記憶媒体に記憶されてもよい。プログラムが実行される場合、方法実施形態の上記ステップが実行される。上記記憶媒体は、ＲＯＭ、ＲＡＭ、磁気ディスク、又は光ディスクのようなプログラムコードを記憶する能力がある様々な媒体を含む。
【０１４１】
図１０は、本発明に係る基地局の実施形態の概略構成図である。本実施形態における基地局は、図１、図２又は図３に表された実施形態のプロセスを実施することができる。
【０１４２】
図１０に示されるように、基地局は、受信部１００１、プロセッサ１００２、及び送信部１００３を含んでもよい。
【０１４３】
受信部１００１は、ＵＥによって通知された測定能力表示情報及びデータ通信を受信する能力を示す表示情報を受信し、かつ測定能力表示情報をプロセッサ１００２に送信するように構成される。
【０１４４】
プロセッサ１００２は、受信部１００１から測定能力表示情報を受信し、測定能力表示情報に従ってＵＥに対する測定セットを選択し、かつ測定セットを送信部１００３に送信するように構成される。
【０１４５】
送信部１００３は、プロセッサ１００２から測定セットを取得し、かつ測定セットをＵＥに通知するように構成される。
【０１４６】
データ通信を受信する能力を示す表示情報は、ＵＥがデータ通信の同時受信を行うキャリアの情報を含み、そして測定能力表示情報は、ＣＳＩを測定するためのＵＥの能力を示す表示情報、及び／又はＲＳＲＰを測定するＵＥの能力を示す表示情報を含む。
【０１４７】
本実施形態では、測定能力表示情報がＣＳＩを測定するためのＵＥの能力を示す表示情報である場合、ＵＥがＣＳＩ測定を行うキャリアの個数は、ＵＥがデータ通信の同時受信を行うキャリアの個数より多くなる、及び／又はＵＥが同時ＣＳＩ測定を行うキャリアの個数は、ＵＥがデータ通信の同時受信を行うキャリアの個数より多くなる。
【０１４８】
本実施形態では、受信部１００１は、具体的には：測定能力表示情報がＣＳＩを測定するためのＵＥの能力を示す表示情報である場合、ＵＥにより通知されたＵＥのタイプを受信するように構成され、ＵＥのタイプは、ＣＳＩを測定するためのＵＥの能力を予め定義し；又は受信部１００１は、ＵＥにより直接的に通知されたＣＳＩを測定するためのＵＥの能力を受信してもよい。
【０１４９】
ＣＳＩを測定するためのＵＥの能力は：ＵＥがＣＳＩ測定を行うキャリアの個数、及び／又はＵＥが同時ＣＳＩ測定を行うキャリアの個数を含む；又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行う各キャリア上で実行されるＣＳＩ測定の回数；のうちの１つ又は全て、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を実行する全てのキャリア上でＵＥにより実行されるＣＳＩ測定の総量；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を実行する各キャリア上でＵＥにより実行されるＣＳＩ測定の回数；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を実行する全てのキャリア上でＵＥにより実行されるＣＳＩ測定の総量；のうちの１つ又は全て。
【０１５０】
代替的に、ＣＳＩを測定するためのＵＥの能力は：ＵＥがＣＳＩ測定を行うキャリアの個数、及び／又はＵＥが同時ＣＳＩ測定を行うキャリアの個数を含んでもよく、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行う各キャリア上で実行されるＣＳＩ測定の回数；のうちの１つ又は全て、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行う全てのキャリア上で実行されるＣＳＩ測定の総量；のうちの１つ又は全て、又は
ＣＳＩを測定するためのＵＥの能力は、以下通りであってもよい：ＵＥがＣＳＩ測定を行うキャリアの組み合わせ及びＵＥが同時ＣＳＩ測定を行うキャリアの組み合わせ；及びＵＥがＣＳＩ測定を行う各キャリア上で実行されるＣＳＩ測定の回数；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を行う全てのキャリア上で実行されるＣＳＩ測定の総量；のうちの１つ又は全て。
【０１５１】
さらに、受信部１００１は、測定能力表示情報がＣＳＩを測定するためのＵＥの能力を示す表示情報であり、かつ、測定セットがＣＳＩ測定セットである場合、送信部１００３がＣＳＩ測定セットをＵＥに通知した後に、ＣＳＩ測定セット内のキャリアに関し、ＵＥによって通知されたチャネル状態情報を受信するようにさらに構成される。ここで、ＣＳＩ測定セットは、ＵＥがＣＳＩ測定を実行するキャリアのセットを含む、或いはＣＳＩ測定セットは、ＵＥがＣＳＩ測定を実行するキャリアのセットと、ＵＥがＣＳＩ測定を実行する各キャリア上でＣＳＩ測定を実行するために使用されるリファレンス信号の情報と、を含む。
【０１５２】
ＣＳＩ測定セットにおいて、ＵＥがＣＳＩ測定を実行する各キャリア上でＣＳＩ測定を実行するために使用されるリファレンス信号は、独立した方式で、又は組み合わされた方式で構成されてもよい。ＣＳＩ測定を実行するために使用されるリファレンス信号は、ＣＳＩ−ＲＳ及びＣＲＳを含んでもよい。
【０１５３】
本実施形態では、測定能力表示情報がＲＳＲＰを測定するＵＥの能力を示す表示情報である場合、ＲＳＲＰを測定するためのＵＥの能力は、ＵＥがＣＳＩ−ＲＳ受信電力の測定を行うか否かを含み；さらに、ＵＥがＣＳＩ−ＲＳ受信電力の測定を行う場合、ＲＳＲＰを測定するＵＥの能力は、ＵＥがＲＳＲＰ測定を行うキャリアの個数をさらに含み；又はＲＳＲＰを測定するＵＥの能力は、ＵＥがＲＳＲＰ測定を行うキャリアの個数及びユーザ装置がＣＳＩ−ＲＳ受信電力の測定を行う各キャリア上のＲＳＲＰ測定のためのリファレンス信号リソースの個数、ＵＥがＣＳＩ−ＲＳ受信電力の測定を行う各キャリア上のＲＳＲＰ測定のためのポートの個数、及びＵＥがＣＳＩ−ＲＳ受信電力の測定を実行する各キャリア上で測定されるＲＳＲＰの個数、のうちの１つ又はそれらの組み合わせと、をさらに含み；又はＲＳＲＰを測定するＵＥの能力は、ＵＥがＲＳＲＰ測定を行うキャリアの個数、及びリファレンス信号リソースの総数及びＵＥがＣＳＩ−ＲＳ受信電力の測定を行う全てのキャリア上でのＲＳＲＰ測定のためのポートの総数、及びＵＥがＣＳＩ−ＲＳ受信電力の測定を実行する全てのキャリア上で測定されるＲＳＲＰの総数、のうちの１つもしくは組み合わせと、をさらに含む。
【０１５４】
受信部１００１は、測定能力表示情報がＲＳＲＰを測定するＵＥの能力を示す表示情報であり、かつ、測定セットがリソース管理セットである場合、送信部１００３がＣＳＩ測定セットをＵＥに通知した後に、リソース管理セット内のキャリアに関し、ＵＥによって通知されたＲＳＲＰを受信するようにさらに構成され、リソース管理セットは、ＵＥがＲＳＲＰ測定を実行するキャリアのセットと、ＵＥがＲＳＲＰ測定を実行する各キャリア上でＲＳＲＰ測定を実行するために使用されるリファレンス信号とを含む。
【０１５５】
上記リソース管理セットでは、ＵＥがＲＳＲＰ測定を実行する各キャリア上でＲＳＲＰ測定を実行するために使用されるリファレンス信号は、独立した方式で、又は組み合わされた方式で構成されてもよい。ＲＳＲＰを実行するために使用されるリファレンス信号は、ＣＳＩ−ＲＳ又はＣＲＳを含み；そしてＲＳＲＰは、ＣＳＩ−ＲＳに基づくＲＳＲＰとＣＲＳに基づくＲＳＲＰとを含む。
【０１５６】
さらに、プロセッサ１００２は、送信部１００３がリソース管理セットをＵＥに通知した後に、ＵＥに対するＣＳＩ測定セットを選択し、ＣＳＩ測定セットを送信部１００３に送信するようにさらに構成される。この場合、送信部１００３は、プロセッサ１００２からＣＳＩ測定セットを取得し、かつ準静的シグナリング又は動的シグナリングを使用することによりＣＳＩ測定セットをＵＥに通知するようにさらに構成される。
【０１５７】
リソース管理セットは、ＣＳＩ測定セットを含んでもよい；或いはリソース管理セット及びリソース管理セット及びＣＳＩ管理セットは、共通集合を持つが、包含関係を持たない；或いはリソース管理セットとＣＳＩ管理セットとは、共通集合を持たない。
【０１５８】
さらに、プロセッサ１００２は、送信部１００３がＣＳＩ管理セットをＵＥに通知した後に、ＣＳＩ管理セットから、ＵＥに対する、起動されたキャリアセットを選択し、そして起動されたキャリアセットを送信部１００３に送信するようにさらに構成され、起動されたキャリアセット内のキャリアの個数は、ＵＥがデータ通信の同時受信を行うキャリアの個数以下である。この場合、送信部１００３は、プロセッサ１００２から起動されたキャリアセットを取得し、かつ準静的シグナリング又は動的シグナリングを使用することにより起動されたキャリアセットをＵＥに通知するようにさらに構成される。
【０１５９】
具体的には、送信部１００３は、予め定義された方式で、又は上位レイヤシグナリングを使用することにより、少なくとも１個のサブフレーム内の起動されたキャリアセットをＵＥに通知するように具体的に構成され、少なくとも１個のサブフレームは、予め定義され、又は上位レイヤシグナリングを使用することにより構成され、起動されたキャリアセット内の起動されたキャリアは、予め定義され、又は上位レイヤシグナリングを使用することにより構成され；そして起動されたキャリアセット内の起動されたキャリアが予め定義される場合、起動されたキャリアは、プライマリキャリア又はセカンダリキャリアとして予め定義され；及び／又は
送信部１００３は、起動されたキャリアを使用することにより動的シグナリングをＵＥに送信し、Ｎ個のサブフレームの後に、起動されたキャリアをＵＥに通知するように具体的に構成され、起動されたキャリアは、プライマリキャリア及び／又はセカンダリキャリアを含み、そして動的シグナリングは、起動されたキャリアを使用することにより基地局によって送信される。動的シグナリングは、以下の通りであってもよい：ＰＤＣＣＨもしくはｅＰＤＤＣＨもしくはＰＤＳＣＨを介して基地局によって送信されるダウンリンク制御情報；及び／又は、送信部１００３が準静的シグナリング又は動的シグナリングを使用することにより第１のサブフレームの起動されたキャリアセットをＵＥに通知する場合、第１のサブフレームの起動されたキャリアセットは、プライマリキャリア、又は第１のサブフレームに最も近くかつ前にある第２のサブフレーム内にあり、ユーザ装置により認識されている起動されたキャリアセットである。
【０１６０】
本実施形態では、送信部１００３は、上記３つの方式のうちの１つもしくは組み合わせで起動されたキャリアセットをＵＥに通知し、このことは、１つだけ又は少数のキャリア上でデータ処理能力を維持できるＵＥが、複数のキャリアからキャリアを動的に選択することを可能としてもよく、それによって、ＵＥのスループットを増大させ、ネットワークスループットを最適化する。
【０１６１】
プライマリキャリアは、上位レイヤシグナリングを構成することにより又は予め定義された方式で、ＵＥにより取得される少なくとも１個のキャリアであり、少なくとも１個のキャリアは、ＵＥがＣＳＩ測定を実行するキャリアのうちの少なくとも１個である。
【０１６２】
セカンダリキャリアは、上位レイヤシグナリングを構成することにより又は予め定義された方式で、ＵＥにより取得される少なくとも１個のキャリアであり、少なくとも１個のキャリアは、ＵＥがＣＳＩ測定を実行するキャリアのうちの少なくとも１個である。
【０１６３】
さらに、送信部１００３は、起動されたキャリアセットをＵＥに通知した後に、起動されたキャリアセット内の起動されたキャリア上でダウンリンク制御情報を送信し、かつダウンリンク制御情報に従って起動されたキャリア上でＰＤＳＣＨを送信するようにさらに構成され；及び／又は
送信部１００３は、起動されたキャリアセットをＵＥに通知した後に、起動されたキャリアセット内の起動されたキャリアがＮ個のサブフレームの後にあり、かつ動的シグナリングを使用することにより送信部１００３によって通知された起動されたキャリアである場合、動的シグナリングを送信する起動されたキャリア上でダウンリンク制御情報を送信し、ダウンリンク制御情報に従って、動的シグナリングによって指示されたＮ個のサブフレームの後の起動されたキャリア上でＰＤＣＣＨ、又は、ｅＰＤＣＣＨ、又はＰＤＳＣＨを送信するようにさらに構成される。
【０１６４】
さらに、送信部１００３は、起動されたキャリアセットをＵＥに通知した後に、起動されたキャリアセットが少なくとも１個のサブフレーム内にあり、予め定義された方式で、又は上位レイヤシグナリングを使用することにより、送信部１００３によってＵＥに通知された起動されたキャリアセットである場合、少なくとも１個のサブフレーム内の起動されたキャリア上で物理報知チャネル、同期チャネル、及び、ページングチャネルのうちの１つ又はそれらの組み合わせを送信するようにさらに構成される。
【０１６５】
さらに、送信部１００３は、起動されたキャリアセットをＵＥに通知した後に、予め定義された方式で、又は準静的シグナリング又は動的シグナリングを使用することにより、仮想起動されたキャリアセットをＵＥに通知するようにさらに構成されるので、ＵＥは、ＰＤＣＣＨ、ｅＰＤＣＣＨ、及びＰＤＳＣＨを受信するのではなく、仮想起動されたキャリアセット内の仮想起動されたキャリア上でチャネル状態情報を測定する。送信部１００３が予め定義された方式で、又は準静的シグナリング又は動的シグナリングを使用することにより、仮想起動されたキャリアセットをＵＥに通知する方式は、送信部１００３が準静的シグナリング又は動的シグナリングを使用することにより起動されたキャリアセットをＵＥに通知する方式と同じであり、このことはここではこれ以上説明しない。また、仮想起動されたキャリアセットは、ＣＳＩ測定における起動されたキャリア以外のキャリアのセットであってもよい。
【０１６６】
さらに、送信部１００３が起動されたキャリアセットをＵＥに通知した後に、起動されたキャリアセット内の起動されたキャリア上で送信部１００３により送信される物理報知チャネルは、プライマリキャリア上の物理報知チャネルと同じである；又はＣＳＩ測定セット内の複数のキャリア上で送信部１００３により送信される複数の物理報知チャネルは、同じである。
【０１６７】
基地局において、受信部１００１は、ＵＥにより通知された、測定能力表示情報とデータ通信を受信する能力を示す表示情報とを受信し、プロセッサ１００２は、測定能力表示情報に従って測定セットを選択し、送信部１００３は、選択された測定セットをＵＥに通知する。ここで、測定能力表示情報は、ＣＳＩを測定するためのＵＥの能力を示す表示情報、及び／又はＲＳＲＰを測定するＵＥの能力を示す表示情報を含む。その結果、受信部１００１は、チャネル状態情報、及び／又はＵＥによって通知されたＲＳＲＰを受信することが可能となり；プロセッサ１００２は、ＵＥに対するＣＳＩ測定セットを選択し、そして、ＵＥに対して、ＣＳＩ測定セットから起動されたキャリアを選択する。このように、基地局は、ＵＥに対する起動されたキャリアを柔軟に選択することができる。
【０１６８】
図１１は、本発明に係るユーザ装置の実施形態の概略構成図である。本実施形態におけるユーザ装置は、図９に表された実施形態のプロセスを実施することができる。図１１に表されるように、ユーザ装置は、送信部１１０１と受信部１１０２とを含んでもよい。
【０１６９】
送信部１０１１は、測定能力表示情報と、データ通信を受信する能力を示す表示情報とを基地局に通知するように構成される。
【０１７０】
受信部１１０２は、基地局によって通知された測定セットを受信するように構成され、測定セットは、測定能力表示情報に従って、ＵＥに対して、基地局によって選択される。
【０１７１】
データ通信を受信する能力を示す表示情報は、ＵＥがデータ通信の同時受信を行うキャリアの情報を含み、そして測定能力表示情報は、ＣＳＩを測定するためのＵＥの能力を示す表示情報、及び／又はＲＳＲＰを測定するＵＥの能力を示す表示情報を含む。
【０１７２】
本実施形態において、測定能力表示情報がＣＳＩを測定するためのＵＥの能力を示す表示情報である場合、ＵＥがＣＳＩ測定を行うキャリアの個数は、ＵＥがデータ通信の同時受信を行うキャリアの個数より多くなる、及び／又はＵＥが同時ＣＳＩ測定を行うキャリアの個数は、ＵＥがデータ通信の同時受信を行うキャリアの個数より多くなる。
【０１７３】
本実施形態において、送信部１１０１は、測定能力表示情報がＣＳＩを測定するためのＵＥの能力を示す表示情報である場合、ＵＥのタイプを基地局に通知するように具体的に構成され、ＵＥのタイプは、ＣＳＩを測定するためのＵＥの能力を予め定める；或いは送信部１１０１は、ＣＳＩを測定するためのＵＥの能力を直接的に基地局に通知してもよい。
【０１７４】
ＣＳＩを測定するためのＵＥの能力は：ＵＥがＣＳＩ測定を行うキャリアの個数、及び／又はＵＥが同時ＣＳＩ測定を行うキャリアの個数を含む；又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行う各キャリアで実行されるＣＳＩ測定の回数；のうちの１つ又は全て、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を実行する全てのキャリアでＵＥによって実行されるＣＳＩ測定の総量；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＩＳ測定を行う各キャリア上でＵＥによって実行されるＣＳＩ測定の回数；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を実行する全てのキャリア上でＵＥにより実行されるＣＳＩ測定の総量；のうちの１つ又は全て。
【０１７５】
代替的に、ＣＳＩを測定するためのＵＥの能力は、ＵＥがＣＳＩ測定を行うキャリアの個数、及び／又はＵＥが同時ＣＳＩ測定を行うキャリアの個数を含んでもよく、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行う各キャリア上で実行されるＣＳＩ測定の回数；のうちの１つ又は全て、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行う全てのキャリア上で実行されるＣＳＩ測定の総量；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を行う各キャリア上で実行されるＣＳＩ測定の回数；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を行う全てのキャリア上で実行されるＣＳＩ測定の総量；のうちの１つ又は全て。
【０１７６】
本実施形態において、さらに、送信部１１０１は：測定能力表示情報がＣＳＩを測定するためのＵＥの能力を示す表示情報であり、かつ測定セットがＣＳＩ測定セットである場合、受信部１１０２が基地局によって通知されたＣＳＩ測定セットを受信した後に、ＣＳＩ測定セット内のキャリアに関するチャネル状態情報を基地局に通知するさらに構成され、ＣＳＩ測定セットは、ＵＥがＣＳＩ測定を実行するキャリアのセットを含む、又はＣＳＩ測定セットは、ＵＥがＣＳＩ測定を実行するキャリアのセット及びＵＥがＣＳＩ測定を実行する各キャリア上でＣＳＩ測定を実行するために使用されるリファレンス信号の情報、を含む。
【０１７７】
ＣＳＩ測定セットにおいて、ＵＥがＣＳＩ測定を実行する各キャリア上でＣＳＩ測定を実行するために使用されるリファレンス信号は、独立した方式で、又は組み合わされた方式で、構成されてもよい。ＣＳＩ測定を実行するために使用されたリファレンス信号は、ＣＳＩ−ＲＳ及びＣＲＳを含んでもよい。
【０１７８】
さらに、測定能力表示情報がＲＳＲＰを測定するＵＥの能力を示す表示情報である場合、ＲＳＲＰを測定するＵＥの能力は、ＵＥがＣＳＩ−ＲＳ受信電力の測定を行うか否かを含み、ＵＥがＣＳＩ−ＲＳ受信電力の測定を行うとき、ＲＳＲＰを測定するＵＥの能力は、ＵＥがＲＳＲＰ測定を行うキャリアの個数をさらに含む；或いはＲＳＲＰを測定するＵＥの能力は、ＵＥがＲＳＲＰ測定を行うキャリアの個数と、ユーザ装置がＣＳＩ−ＲＳ受信電力の測定を行う各キャリア上でのＲＳＲＰ測定に対するリファレンス信号の個数、ＵＥがＣＳＩ−ＲＳ受信電力の測定を行う各キャリア上のＲＳＲＰ測定のためのポートの個数、及び、ＵＥがＣＳＩ−ＲＳ受信電力の測定を実行する各キャリア上で測定されたＲＳＲＰの個数のうちの１つもしくは組み合わせと、をさらに含む；或いはＲＳＲＰを測定するＵＥの能力は、ＵＥがＲＳＲＰ測定を行うキャリアの個数と、リファレンス信号の総数、ＵＥがＣＳＩ−ＲＳ受信電力の測定を行うすべてのキャリア上でのＲＳＲＰ測定のためのポートの総数、及びＵＥがＣＳＩ−ＲＳ受信電力の測定を実行するすべてのキャリア上で測定されたＲＳＲＰの総数のうちの１つもしくは組み合わせと、をさらに含む。
【０１７９】
送信部１１０１は：測定能力表示情報がＲＳＲＰを測定するＵＥの能力を示す表示情報であり、かつ測定セットがリソース管理セットである場合、受信部１１１０２が基地局によって通知されたリソース管理セットを受信した後に、リソース管理セット内のキャリアに関するＲＳＲＰを基地局に通知するようにさらに構成され、リソース管理セットは、ＵＥがＲＳＲＰ測定を実行するキャリアのセットと、ＵＥがＲＳＲＰ測定を実行する各キャリア上でＲＳＲＰを実行するために使用されるリファレンス信号とを含む。
【０１８０】
リソース管理セットにおいて、ＵＥがＲＳＲＰ測定を実行する各キャリア上でＲＳＲＰ測定を実行するために使用されるリファレンス信号は、独立した方式で、又は組み合わされた方式で、構成されてもよい。ＲＳＲＰ測定を実行するために使用されるリファレンス信号は、ＣＳＩ−ＲＳもしくはＣＲＳを含み、ＲＳＲＰは、ＣＳＩ−ＲＳに基づくＲＳＲＰとＣＲＳに基づくＲＳＲＰとを含む。
【０１８１】
さらに、受信部１１０２は、受信部１１０２が基地局によって通知されたリソース管理セットを受信した後に、準静的シグナリング又は動的シグナリングを使用することにより基地局によって通知されたＣＳＩ測定セットを受信するようにさらに構成され、ＣＳＩ測定セットは、ＵＥに対して、基地局によって選択される。
【０１８２】
リソース管理セットは、ＣＳＩ測定セットを含んでもよい；又はリソース管理セット及びリソース管理セットとＣＳＩ測定セットとは、共通集合を持つが、包含関係を持たない；又はリソース管理セットとＣＳＩ測定セットとは、共通集合を持たない。
【０１８３】
さらに、受信部１１０２は、ＣＳＩ測定セットを受信した後に、準静的シグナリング又は動的シグナリングを使用することにより基地局によって通知された起動されたキャリアセットを取得するようにさらに構成され、起動されたキャリアセットは、ＵＥに対して、基地局によりＣＳＩ測定セットから選択される。起動されたキャリアセット内のキャリアの個数は、ＵＥがデータ通信の同時受信を行うキャリアの個数以下である。
【０１８４】
具体的には、受信部１１０２は、以下の方式で準静的シグナリング又は動的シグナリングを使用することにより基地局によって通知された起動されたキャリアセットを取得してもよい。
【０１８５】
方式１：受信部１１０２は、少なくとも１個のサブフレーム内にあり、かつ予め定義された方式で、又は上位レイヤシグナリングを使用することにより、基地局によって通知された起動されたキャリアセットを取得する。ここで、当該少なくとも１個のサブフレームは、予め定義されてもよく、又は上位レイヤシグナリングを使用することにより構成されてもよく、そして起動されたキャリアセット内の起動されたキャリアは、予め定義され、又は上位レイヤシグナリングを使用することにより構成され；そして起動されたキャリアセット内の起動されたキャリアが予め定義される場合、起動されたキャリアは、プライマリキャリア又はセカンダリキャリアとして予め定義される。
【０１８６】
方式２：受信部１１０２は、Ｎ個のサブフレームの後にあり、かつ動的シグナリングを使用することにより基地局によって通知された起動されたキャリアを取得する。ここで、当該起動されたキャリアは、プライマリキャリア及び／又はセカンダリキャリアを含み；そして動的シグナリングは、起動されたキャリアを使用することにより基地局によって送信され、動的シグナリングは、以下の通りであってもよい：ＰＤＣＣＨ又はｅＰＤＣＣＨ又はＰＤＳＣＨを介して基地局により送信されるダウンリンク制御情報。
【０１８７】
方式３：基地局が準静的シグナリング又は動的シグナリングを使用することにより第１のフレームの起動されたキャリアセットをＵＥに通知しない場合、第１のサブフレームの起動されたキャリアセットは、プライマリキャリアであるか、又は第１のサブフレームに最も接近しかつ前にあるサブフレーム内にあり、かつユーザ装置に認識されている起動されたキャリアセットである。
【０１８８】
上記３つの方式は、独立に使用され、又は組み合わせて使用されてもよい。
【０１８９】
本実施形態では、受信部１１０２は、上記３つの方式のうちの１つもしくは組み合わせにおいて基地局によって通知された起動されたキャリアセットを取得する。これにより、ただ１つ又は少数のキャリア上でデータ処理能力を維持できるＵＥが、複数のキャリアから動的にキャリアを選択可能とし得る。それによって、ＵＥのスループットを増大させ、ネットワークスループットを最適化する。
【０１９０】
プライマリキャリアは、上位レイヤシグナリングを構成することにより、又は予め定義された方式で、ＵＥにより取得される少なくとも１個のキャリアであり、この少なくとも１個のキャリアは、ＵＥがＣＳＩ測定を実行するキャリアのうちの少なくとも１個である。
【０１９１】
セカンダリキャリアは、上位レイヤシグナリングを構成することにより、又は予め定義された方式で、ＵＥにより取得される少なくとも１個のキャリアであり、この少なくとも１個のキャリアは、ＵＥがＣＳＩ測定を実行するキャリアのうちの少なくとも１個である。
【０１９２】
さらに、受信部１１０２は、起動されたキャリアセットを取得した後に、起動されたキャリアセット内の起動されたキャリア上でダウンリンク制御情報を受信し、かつダウンリンク制御情報に従って起動されたキャリア上でＰＤＳＣＨを受信するようにさらに構成され；及び／又は
受信部１１０２は：起動されたキャリアセットを取得した後に、起動されたキャリアセット内の起動されたキャリアがＮ個のサブフレームの後にあり、かつ動的シグナリングを使用することにより基地局により通知される起動されたキャリアである場合、基地局が動的シグナリングを送信する起動されたキャリア上でダウンリンク制御情報を受信し、そして、ダウンリンク制御情報に従って、動的シグナリングにより示されるＮ個のフレームの後にある起動されたキャリア上で、ＰＤＣＣＨ又はｅＰＤＣＣＨ又はＰＤＳＣＨを受信するようにさらに構成される。
【０１９３】
さらに、受信部１１０２は、起動されたキャリアセットを取得した後に、起動されたキャリアセットが少なくとも１個のサブフレーム内にあり、かつ、予め定義された方式で、もしくは、上位レイヤシグナリングを使用することにより、基地局によってＵＥに通知される起動されたキャリアセットである場合、少なくとも１個のサブフレーム内の起動されたキャリア上で、物理報知チャネル、同期チャネル、及びページングチャネルのうちの１つもしくは複数を受信するようにさらに構成される。
【０１９４】
さらに、本実施形態におけるＵＥは、受信部１１０２が起動されたキャリアセットを取得した後に、起動されたキャリアセット内の起動されたキャリア上でチャネル状態情報を測定するように構成されるプロセッサ１１０３をさらに含んでもよい。
【０１９５】
さらに、受信部１１０２は、起動されたキャリアセットを取得した後に、予め定義された方式で、又は準静的シグナリング又は動的シグナリングを使用することにより、基地局によって通知された仮想起動されたキャリアを取得し、かつ仮想起動されたキャリアをプロセッサ１１０３に送信するようにさらに構成される。
【０１９６】
プロセッサ１１０３は、受信部１１０２から仮想起動されたキャリアセットを取得し、そして、ＰＤＣＣＨ、ｅＰＤＣＣＨ及びＰＤＳＣＨを受信するのではなく、仮想起動されたキャリアセット内の仮想起動されたキャリア上でチャネル状態情報を測定するようにさらに構成される。
【０１９７】
上記実施形態では、送信部１１０１は、測定能力表示情報と、データ通信を受信する能力を示す表示情報とを基地局に通知し、その後、受信部１１０２は、基地局によって通知された測定セットを受信し、測定セットは、測定能力表示情報に従って、ＵＥに対して、基地局によって選択され、測定能力表示情報は、ＣＳＩを測定するためのＵＥの能力を示す表示情報、及び／又はＲＳＲＰを測定するＵＥの能力を示す表示情報を含む。その結果、基地局は、チャネル状態情報、及び／又はＵＥによって通知されたＲＳＲＰを受信し、ＵＥに対して、ＣＳＩ測定セットを選択し、ＣＳＩ測定セットから、ＵＥに対して、起動されたキャリアセットを選択することができる。このように、基地局は、ＵＥに対して、起動されたキャリアセットを柔軟に選択することができる。
【０１９８】
本発明におけるＵＥは、ＵＥの１つのタイプであることに注意すべきである。このタイプのＵＥがＣＳＩ測定を行うキャリアの個数は、このタイプのＵＥがデータ通信の同時受信を行うキャリアの個数より多くなる、及び／又は、このタイプのＵＥがＣＳＩ測定を行うキャリアの個数は、このタイプのＵＥがデータ通信の同時受信を行うキャリアの個数より多くなる。
【０１９９】
当業者は、添付図面がただ１つの例示実施形態の概略図であること、及び添付図面におけるモジュール又はプロセスが本発明の必須のモジュール又はプロセスでなくてもよい、ということを理解することができる。
【０２００】
当業者は、実施形態における装置内のモジュールが実施形態の説明に係る実施形態の装置内に分散させられることがあること、又はモジュールが然るべく修正され、かつ、本実施形態とは異なる１つもしくは複数台の装置に位置してもよいことを理解することができる。上記実施形態におけるモジュールは、１個のモジュールに組み合わされることがあり、又は複数個のサブモジュールにさらに分割されてもよい。
【０２０１】
最後に、上記実施形態は、本発明を限定するのではなく、本発明の技術的解決手法を説明することだけが意図されていることに注意すべきである。本発明は、上記実施形態に関連して詳細に説明されているが、当業者は、上記実施形態において説明された技術的解決手法の変更、又はこれらの何らかの技術的特徴に対する均等な置換が対応する技術的解決手法の本質を本発明の実施形態の技術的解決手法の範囲から逸脱させることがない限り、このような変更又は置換を依然として行ってもよい、ということを理解すべきである。
【図１】
2015523023.tif 000010
【図２】
2015523023.tif 000011
【図３】
2015523023.tif 000012
【図４】
2015523023.tif 000013
【図５】
2015523023.tif 000014
【図６】
2015523023.tif 000015
【図７】
2015523023.tif 000016
【図８】
2015523023.tif 000017
【図９】
2015523023.tif 000018
【図１０】
2015523023.tif 000019
【図１１】
2015523023.tif 000020
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
ユーザ装置により、測定能力表示情報及びデータ通信を受信する能力を示す表示情報を基地局に通知するステップであって、前記測定能力表示情報は測定セットを決定するために使用される、ステップ；
前記ユーザ装置により、前記基地局から前記測定セットを受信するステップ；
を備え、
データ通信を受信する前記能力を示す前記表示情報は、前記ユーザ装置がデータ通信の同時受信を行うキャリアの情報を含み、かつ前記測定能力表示情報は、チャネル状態情報（ＣＳＩ）を測定する前記ユーザ装置の能力を示す表示情報、及び基準信号受信電力（ＲＳＲＰ）を測定する前記ユーザ装置の能力を示す表示情報、のうち少なくとも１つを含む、
仮想キャリア・アグリゲーション方法。
【請求項２】
前記測定能力表示情報はＣＳＩを測定する前記ユーザ装置の前記能力を示す前記表示情報であり、かつ
前記測定セットは、前記ユーザ装置がＣＳＩ測定を実行する少なくとも１つのキャリアを含むか、又は前記測定セットは、前記ユーザ装置がＣＳＩ測定を実行する少なくとも１つのキャリア及び前記ユーザ装置がＣＳＩ測定を実行する各キャリア上でＣＳＩ測定を実行するために使用されるリファレンス信号の情報を含み、かつ
前記ユーザ装置によって、前記基地局により通知された測定セットを受信した後に、前記方法は、
前記ユーザ装置により、前記測定セット内の前記キャリアに関してチャネル状態情報を前記基地局に通知すること、
をさらに含む、請求項１に記載の方法。
【請求項３】
前記ユーザ装置が前記測定セットを受信した後に、前記ユーザ装置により、前記基地局から送信される準静的シグナリング又は動的シグナリングから、起動されたキャリアセットであって、前記測定セットから選択される、起動されたキャリアセット、を取得することをさらに含む、
請求項２に記載の方法。
【請求項４】
前記ユーザ装置により、起動されたキャリアセットを取得することは、
前記ユーザ装置により、少なくとも１個のサブフレーム内にあり、かつ予め定義された方式で、又は上位レイヤシグナリングを使用することにより前記基地局によって通知された前記起動されたキャリアセットを取得するステップであって、前記少なくとも１個のサブフレームは、予め定義され、又は上位レイヤシグナリングを使用することにより構成され、前記起動されたキャリアセットは、少なくとも１つの起動されたキャリアを含み、かつ前記少なくとも１つの起動されたキャリアは、予め定義され、又は上位レイヤシグナリングを使用することにより構成される、ステップ；
前記ユーザ装置によって、Ｎ個のサブフレームの後にあり、かつ、動的シグナリングを使用することにより前記基地局によって通知された起動されたキャリアを取得するステップであって、前記起動されたキャリアは、プライマリキャリア及び／又はセカンダリキャリアを含み、前記動的シグナリングは、前記起動されたキャリアを使用することにより前記基地局によって送信される、ステップ；
前記基地局が準静的シグナリング又は動的シグナリングを使用することにより第１のサブフレームの前記起動されたキャリアセットを前記ユーザ装置に通知しない場合に、前記第１のサブフレームの前記起動されたキャリアセットが、プライマリキャリアである、又は前記第１のサブフレームに最も接近しかつ前にある第２のサブフレーム内にあり、かつ前記ユーザ装置に認識された起動されたキャリアセットであること、
のうちの少なくとも１つを含む、請求項３に記載の方法。
【請求項５】
前記測定能力表示情報は、ＣＳＩを測定する前記ユーザ装置の前記能力を示す前記表示情報であり、
前記ユーザ装置がＣＳＩ測定を行うキャリアの個数は、前記ユーザ装置がデータ通信の同時受信を行うキャリアの個数より多く、及び／又は前記ユーザ装置が同時ＣＳＩ測定を行うキャリアの個数は、前記ユーザ装置がデータ通信の同時受信を行うキャリアの個数より多い、
請求項１から４のいずれか１項に記載の方法。
【請求項６】
前記測定能力表示情報は、ＣＳＩを測定する前記ユーザ装置の前記能力を示す前記表示情報であり、
ＣＳＩを測定する前記ユーザ装置の前記能力は、
前記ユーザ装置がＣＳＩ測定を行うキャリアの個数、及び／又は前記ユーザ装置が同時ＣＳＩ測定を行うキャリアの個数、又は
前記ユーザ装置がＣＳＩ測定を行う各キャリア上で実行されるＣＳＩ測定の回数と、前記ユーザ装置がＣＳＩ測定を行うキャリアの個数及び前記ユーザ装置が同時ＣＳＩ測定を行うキャリアの個数のうちの少なくとも一方と、又は
前記ユーザ装置がＣＳＩ測定を行うすべてのキャリア上で実行されるＣＳＩ測定の総量と、前記ユーザ装置がＣＳＩ測定を行うキャリアの個数及び前記ユーザ装置が同時ＣＳＩ測定を行うキャリアの個数のうちの少なくとも一方と、又は
前記ユーザ装置がＣＳＩ測定を行う各キャリア上で行うＣＳＩ測定の回数と、前記ユーザ装置がＣＳＩ測定を行うキャリアの組み合わせ及び前記ユーザ装置が同時ＣＳＩ測定を行うキャリアの組み合わせのうちの少なくとも一方と、又は
前記ユーザ装置がＣＳＩ測定を行う全てのキャリア上で実行されるＣＳＩ測定の総量と、前記ユーザ装置がＣＳＩ測定を行うキャリアの組み合わせ及び前記ユーザ装置が同時ＣＳＩ測定を行うキャリアの組み合わせのうちの少なくとも一方と、
のうちのいずれか１つ又は組み合わせを含む、
請求項１から５のいずれか１項に記載の方法。
【請求項７】
前記動的シグナリングは、物理ダウンリンク制御チャネル又は拡張物理ダウンリンク制御チャネル又は物理ダウンリンク共有チャネルを介して前記基地局によって送信されたダウンリンク制御情報を含む、
請求項４に記載の方法。
【請求項８】
前記ユーザ装置により、前記基地局によって通知された起動されたキャリアセットを取得した後に、
前記ユーザ装置により、前記起動されたキャリアセット内の起動されたキャリア上でダウンリンク制御情報を受信し、かつ前記ダウンリンク制御情報に従って前記起動されたキャリア上で物理ダウンリンク共有チャネルを受信すること、及び／又は
前記起動されたキャリアセット内の前記起動されたキャリアがＮ個のサブフレームの後にあり、かつ動的シグナリングを使用することにより前記基地局により通知された起動されたキャリアである場合に、前記ユーザ装置により、前記基地局が前記動的シグナリングを送信する起動されたキャリア上でダウンリンク制御情報を受信し、前記ダウンリンク制御情報に従って、前記動的シグナリングによって指示された前記Ｎ個のフレームの後にある前記起動されたキャリア上で、物理ダウンリンク制御チャネル又は拡張物理ダウンリンク制御チャネル又は物理ダウンリンク共有チャネルを受信すること、
のうちの少なくとも１つをさらに含む、請求項３から７のいずれか１項に記載の方法。
【請求項９】
前記ユーザ装置による、前記起動されたキャリアセットの取得後、
前記ユーザ装置により、前記仮想起動されたキャリアセット内の仮想起動されたキャリア上でチャネル状態情報を測定することをさらに含む、
請求項３から８のいずれか１項に記載の方法。
【請求項１０】
前記ユーザ装置による、前記起動されたキャリアセットの取得後、
前記ユーザ装置により、予め定義された方式で、又は準静的シグナリングもしくは動的シグナリングを使用することにより前記基地局によって通知された仮想起動されたキャリアセットを取得すること、及び
前記ユーザ装置により、物理ダウンリンク制御チャネル、拡張物理ダウンリンク制御チャネル及び物理ダウンリンク共有チャネルを受信するのではなく、前記仮想起動されたキャリアセット内の仮想起動されたキャリア上でチャネル状態情報を取得すること、
をさらに含む、
請求項３から９のいずれか１項に記載の方法。
【請求項１１】
測定セットを決定するために使用される測定能力表示情報及びデータ通信を受信する能力を示す表示情報を基地局に送信するように送信部を制御するように構成されるプロセッサ；及び
前記基地局から前記測定セットを受信するように構成される受信部；
を備え、
データ通信を受信する前記能力を示す前記表示情報は、前記ユーザ装置がデータ通信の同時受信を行うキャリアの情報を含み、かつ前記測定能力表示情報は、チャネル状態情報（ＣＳＩ）を測定する前記ユーザ装置の能力を示す表示情報、及び基準信号受信電力（ＲＳＲＰ）を測定する前記ユーザ装置の能力を示す表示情報のうちの少なくとも１つを含む、
ユーザ装置。
【請求項１２】
前記測定能力表示情報は、ＣＳＩを測定する前記ユーザ装置の前記能力を示す前記表示情報であり、
前記プロセッサは、前記受信部が前記基地局によって通知された前記測定セットを受信した後に、前記測定セット内のキャリアに関するチャネル状態情報を前記基地局に送信するように前記送信部を制御するようにさらに構成され、前記測定セットは、前記ユーザ装置がＣＳＩ測定を実行する少なくとも１つのキャリアを含むか、又は前記測定セットは、前記ユーザ装置がＣＳＩ測定を実行する少なくとも１つのキャリア及び前記ユーザ装置がＣＳＩ測定を実行する各キャリア上でＣＳＩ測定を実行するために使用されるリファレンス信号の情報を含む、
請求項１１に記載のユーザ装置。
【請求項１３】
前記プロセッサは、前記受信部が前記測定セットを受信した後に、前記基地局から前記受信部により受信される準静的シグナリング又は動的シグナリングから起動されたキャリアセットであって、前記測定セットから選択される、キャリアセット、を取得するようにさらに構成される、
請求項１２に記載のユーザ装置。
【請求項１４】
前記プロセッサは、
少なくとも１つのサブフレームの中にありかつ前記基地局により所定の方法又は上位レイヤシグナリングを使用することにより通知される前記起動されたキャリアセットを取得するステップであって、前記少なくとも１つのサブフレームは事前に定められるか、又は上位レイヤシグナリングを使用することにより構成され、前記起動されたキャリアセットは、少なくとも１つの起動されたキャリアを含み、かつ前記少なくとも１つの起動されたキャリアは事前に定められるか、又は上位レイヤシグナリングを使用することにより構成される、ステップ；
Ｎ個のサブフレームの後にあり、かつ前記動的シグナリングを使用することにより前記基地局により通知される、起動されたキャリアを取得するステップであって、前記起動されたキャリアは、プライマリキャリア及び／又はセカンダリキャリアを含み、かつ前記動的シグナリングは前記起動されたキャリアを使用することにより前記基地局により送信される、ステップ；
前記基地局が、準静的シグナリング又は動的シグナリングを使用することにより、第１のサブフレームの前記起動されたキャリアセットを前記ユーザ装置に通知しない場合、前記第１のサブフレームの前記起動されたキャリアセットは、プライマリキャリアであるか、又は前記第１のサブフレームに最も接近しかつ前にある第２のサブフレーム内にあり、かつ前記ユーザ装置に認識されている、起動されたキャリアセットであること；
のうちの少なくとも１つを用いて前記起動されたキャリアセットを取得するように構成される、
請求項１３に記載のユーザ装置。
【請求項１５】
前記測定能力表示情報は、ＣＳＩを測定する前記ユーザ装置の前記能力を示す前記表示情報であり、かつ
前記ユーザ装置がＣＳＩ測定を行うキャリアの個数は、前記ユーザ装置がデータ通信の同時受信を行うキャリアの個数より多い、および／または前記ユーザ装置が同時ＣＳＩ測定を行うキャリアの個数は、前記ユーザ装置がデータ通信の同時受信を行うキャリアの個数より多い、
請求項１１から１４のいずれか１項に記載のユーザ装置。
【請求項１６】
前記測定能力表示情報は、ＣＳＩを測定する前記ユーザ装置の前記能力を示す前記表示情報であり、
ＣＳＩを測定する前記ユーザ装置の前記能力は、
前記ユーザ装置がＣＳＩ測定を行うキャリアの個数、及び／又は前記ユーザ装置が同時ＣＳＩ測定を行うキャリアの個数、又は
前記ユーザ装置がＣＳＩ測定を行う各キャリア上で実行されるＣＳＩ測定の回数、と、前記ユーザ装置がＣＳＩ測定を行うキャリアの個数及び前記ユーザ装置が同時ＣＳＩ測定を行うキャリアの個数のうちの少なくとも一方と、又は
前記ユーザ装置がＣＳＩ測定を行う全てのキャリア上で実行されるＣＳＩ測定の総量と、前記ユーザ装置がＣＳＩ測定を行うキャリアの個数及び前記ユーザ装置が同時ＣＳＩ測定を行うキャリアの個数のうちの少なくとも一方と、又は
前記ユーザ装置がＣＳＩ測定を行う各キャリア上で実行されるＣＳＩ測定の回数と、前記ユーザ装置がＣＳＩ測定を行うキャリアの組み合わせ及び前記ユーザ装置が同時ＣＳＩ測定を行うキャリアの組み合わせのうちの少なくとも一方と、又は
前記ユーザ装置がＣＳＩ測定を行う全てのキャリア上で実行されるＣＳＩ測定の総量と、前記ユーザ装置がＣＳＩ測定を行うキャリアの組み合わせ及び前記ユーザ装置が同時ＣＳＩ測定を行うキャリアの組み合わせのうちの少なくとも一方と、
のうちのいずれか１つまたは組み合わせを含む、
請求項１１から１５のいずれか１項に記載のユーザ装置。
【請求項１７】
前記動的シグナリングは、物理ダウンリンク制御チャネル又は拡張物理ダウンリンク制御チャネル又は物理ダウンリンク共有チャネルを介して前記基地局により送信されるダウンリンク制御情報を含む、
請求項１４に記載のユーザ装置。
【請求項１８】
前記受信部は、準静的シグナリング又は動的シグナリングを受信した後に、前記起動されたキャリアセット内の起動されたキャリア上でダウンリンク制御情報を受信し、前記ダウンリンク制御情報に従って前記起動されたキャリア上で物理ダウンリンク共有チャネルを受信するようにさらに構成され、及び／又は
前記受信部は、準静的シグナリング又は動的シグナリングを受信した後に、前記起動されたキャリアセット内の前記起動されたキャリアが、Ｎ個のサブフレームの後にあり、かつ動的シグナリングを使用することにより前記基地局によって通知された起動されたキャリアである場合、前記基地局が前記動的シグナリングを送信する起動されたキャリア上でダウンリンク制御情報を受信し、かつ前記ダウンリンク制御情報に従って、前記動的シグナリングにより指示された前記Ｎ個のサブフレームの後にある前記起動されたキャリア上で物理ダウンリンク制御チャネル又は拡張物理ダウンリンク制御チャネル又は物理ダウンリンク共有チャネルを受信するようにさらに構成される、
請求項１３から１７のいずれか１項に記載のユーザ装置。
【請求項１９】
前記プロセッサは、前記起動されたキャリアセットを取得した後に、前記起動されたキャリアセット内の起動されたキャリアでチャネル状態情報を測定するようにさらに構成される、
請求項１３から１８のいずれか１項に記載のユーザ装置。
【請求項２０】
前記プロセッサは、前記起動されたキャリアセットを取得した後に、予め定義された方式で、前記基地局により通知される仮想起動されたキャリアを取得、又は前記基地局から前記受信部により受信する準静的シグナリング又は動的シグナリングから仮想起動されたキャリアセットを取得し；かつ
物理ダウンリンク制御チャネル、拡張物理ダウンリンク制御チャネル及び物理ダウンリンク共有チャネルを受信するように前記受信部を制御するのではなく、前記仮想起動されたキャリアセット内の仮想起動されたキャリア上で前記チャネル状態情報を測定するようにさらに構成される、
請求項１３から１９のいずれか１項に記載のユーザ装置。
【手続補正２】
【補正対象書類名】明細書
【補正対象項目名】全文
【補正方法】変更
【補正の内容】
【発明の詳細な説明】
【技術分野】
【０００１】
本発明は、通信技術に係り、詳しくは、仮想キャリア・アグリゲーション（Ｖｉｒｔｕａｌ  Ｃａｒｒｉｅｒ  Ａｇｇｒｅｇａｔｉｏｎ、略してＶＣＡ）、基地局、及びユーザ装置に関する。
【背景技術】
【０００２】
第３世代パートナーシップ・プロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、以下、略して３ＧＰＰ）では、基地局とユーザ装置（Ｕｓｅｒ  Ｅｑｕｉｐｍｅｎｔ、以下、略してＵＥ）との間の通信が少なくとも２つの集約されたコンポーネント・キャリア（Ｃｏｍｐｏｎｅｎｔ  Ｃａｒｒｉｅｒ、以下略してＣＣ）で実施されてもよいことを意味するキャリア・アグリゲーション（Ｃａｒｒｉｅｒ  Ａｇｇｒｅｇａｔｉｏｎ、以下、略してＣＡ）技術が導入される。
【０００３】
ＣＡ技術が導入される場合、ＵＥは、当該ＵＥのアップリンク及びダウンリンクの能力を基地局に通知する必要がある。ここで、当該アップリンク及びダウンリンクの能力は、複数の周波数帯域の組み合わせであって、それにおいて当該ＵＥがデータの送信又は受信を同時に行う、複数の周波数帯域の組み合わせ、を含む。
【０００４】
基地局は、ＵＥによって通知されたアップリンク及びダウンリンクの能力に従ってＵＥのためキャリアセットを構成する。ＵＥは、基地局によって構成されたキャリアセット内の各キャリア上で、基準信号受信電力（Ｒｅｆｅｒｅｎｃｅ  Ｓｉｇｎａｌ  Ｒｅｃｅｉｖｅｄ  Ｐｏｗｅｒ、以下、略してＲＳＲＰ）／基準信号受信品質（Ｒｅｆｅｒｅｎｃｅ  Ｓｉｇｎａｌ  Ｒｅｃｅｉｖｅｄ  Ｑｕａｌｉｔｙ、以下、略してＲＳＲＱ）などを測定し、フィードバックする。さらに、基地局は、ＵＥに対する補助的なキャリアの起動又は停止をさらに設定することがあり（ＵＥのプライマリキャリアは、常に起動されている）、ＵＥは、（プライマリキャリア及び起動された補助的なリキャリアを含む）起動されたキャリアセット内の各キャリア上でチャネル状態情報（Ｃｈａｎｎｅｌ  Ｓｔａｔｅ  Ｉｎｆｏｒｍａｔｉｏｎ、以下、略してＣＳＩ）を測定し、受信された物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、以下、略してＰＤＣＣＨ）に従って、起動されたキャリアセット内の一部又は全部のキャリア上で物理ダウンリンク共有チャネル（Ｐｈｙｓｉｃａｌ  Ｄｏｗｎｌｉｎｋ  Ｓｈａｒｅｄ  Ｃｈａｎｎｅｌ、以下、略してＰＤＳＣＨ）を受信する。
【０００５】
従来技術において、基地局は、ＵＥによりフィードバックされた長期統計情報ＲＳＲＰ／ＲＳＲＱに従って、起動されたキャリアセットをＵＥに対して選択することだけが可能であり、その結果、基地局によって、起動されたキャリアセットをＵＥに対して選択する方法は、柔軟性が不十分である。
【発明の概要】
【発明が解決しようとする課題】
【０００６】
本発明は、基地局が、ＵＥに対して、起動されたキャリアセットを柔軟に選択できるようにする、仮想キャリア・アグリゲーション方法、基地局、及びユーザ装置を提供する。
【課題を解決するための手段】
【０００７】
本発明の第１の態様は、
ユーザ装置により通知される測定能力表示情報及びデータ通信を受信する能力を示す表示情報とを、基地局により受信するステップ；
前記測定能力表示情報に従って、前記基地局により、前記ユーザ装置に対する測定セットを選択するステップ；及び
前記基地局により、前記測定セットを前記ユーザ装置に通知するステップ；を含み、
データ通信を受信する能力を示す前記表示情報は、複数のキャリアであって、それにより前記ユーザ装置がデータ通信の同時受信を行う、複数のキャリア、の情報を含み、そして測定能力表示情報は、チャネル状態情報ＣＳＩを測定するためのユーザ装置の能力を示す表示情報、及び／又は基準信号受信電力ＲＳＲＰを測定するためのユーザ装置の能力を示す表示情報を含む、仮想キャリア・アグリゲーション方法を提供する。
【０００８】
本発明の第２の態様は、
ユーザ装置により、測定能力表示情報及びデータ通信を受信する能力を示す表示情報とを基地局に通知するステップ、及び
前記基地局により通知される測定セットを前記ユーザ装置により受信するステップであって、前記測定セットは、前記測定能力表示情報に従って、前記ユーザ装置に対して、前記基地局により選択される、ステップ、
を含み、前記データ通信を受信する能力を示す表示情報は、複数のキャリアであって、それにより前記ユーザ装置がデータ通信の同時受信を行う、複数のキャリア、の情報を含み、そして前記測定能力表示情報は、チャネル状態情報ＣＳＩを測定するための前記ユーザ装置の能力を示す表示情報、及び／又は基準信号受信電力ＲＳＲＰを測定するための前記ユーザ装置の能力を示す表示情報を含む、仮想キャリア・アグリゲーション方法を提供する。
【０００９】
本発明の第３の態様は、
ユーザ装置により通知される、測定能力表示情報及びデータ通信を受信する能力を示す表示情報とを受信し、かつ前記測定能力表示情報をプロセッサに送信するように構成される受信部、
前記受信部から前記測定能力表示情報を受信し、前記測定能力表示情報に従って前記ユーザ装置に対する測定セットを選択し、かつ前記測定セットを送信部に送信するように構成されるプロセッサ、及び
前記プロセッサから前記測定セットを取得し、かつ前記測定セットを前記ユーザ装置に通知するように構成される送信部、
を含み、前記データ通信を受信する能力を示す表示情報は、複数のキャリアであって、それにより前記ユーザ装置がデータ通信の同時受信を行う、複数のキャリア、の情報を含み、そして前記測定能力表示情報は、チャネル状態情報ＣＳＩを測定するための前記ユーザ装置の能力を示す表示情報、及び／又は基準信号受信電力ＲＳＲＰを測定するための前記ユーザ装置の能力を示す表示情報を含む、基地局を提供する。
【００１０】
本発明の第４の態様は、
測定能力表示情報及びデータ通信を受信する能力を示す表示情報とを基地局に通知するように構成される送信部、及び
前記基地局により通知される測定セットであって、該測定セットは、前記測定能力表示情報に従って、前記ユーザ装置に対して、前記基地局により選択される、測定セット、を受信するように構成される受信部、
を含み、前記データ通信を受信する能力を示す表示情報は、複数のキャリアであって、それにより前記ユーザ装置がデータ通信の同時受信を行う、複数のキャリア、の情報を含み、そして前記測定能力表示情報は、チャネル状態情報ＣＳＩを測定するための前記ユーザ装置の能力を示す表示情報、及び／又は基準信号受信電力ＲＳＲＰを測定するための前記ユーザ装置の能力を示す表示情報を含む、ユーザ装置を提供する。
【発明の効果】
【００１１】
本発明の実施形態は、以下の技術的な効果を奏する。基地局は、ユーザ装置によって通知された、測定能力表示情報とデータ通信を受信する能力を示す表示情報とを受信し、測定能力表示情報に従ってユーザ装置に対する測定セットを選択し、選択された測定セットをユーザ装置に通知し、測定能力表示情報は、ＣＳＩを測定するためのユーザ装置の能力を示す表示情報、及び／又はＲＳＲＰを測定するためのユーザ装置の能力を示す表示情報を含む。その結果、基地局は、ユーザ装置によって通知されたチャネル状態情報及び／又はＲＳＲＰを受信し、ユーザ装置に対するＣＳＩ測定セットを選択し、そして当該ＣＳＩ測定セットから、ユーザ装置に対する起動されたキャリアセットを選択することができる。このように、基地局は、ＵＥに対して、起動されたキャリアセットを柔軟に選択できる。
【図面の簡単な説明】
【００１２】
本発明の実施形態又は従来技術における技術的解決手法をより明瞭に説明するために、実施形態又は従来技術を説明するため必要とされる添付図面を以下で簡単に紹介する。当然ながら、以下の説明における添付図面は、本発明の単にある種の実施形態を示しているに過ぎず、当業者は、創造的な努力なしでこれらの添付図面から他の図面をさらに導くことができる。
【００１３】
【図１】本発明に係る仮想キャリア・アグリゲーション方法の実施形態のフローチャートである。
【００１４】
【図２】本発明に係る仮想キャリア・アグリゲーション方法の別の実施形態のフローチャートである。
【００１５】
【図３】本発明に係る仮想キャリア・アグリゲーション方法の別の実施形態のフローチャートである。
【００１６】
【図４】本発明に係るリソース管理セット、ＣＳＩ測定セット、及び起動されたキャリアセットの間の関係について説明する実施形態の概略図である。
【００１７】
【図５】本発明に係るリソース管理セット、ＣＳＩ測定セット、及び起動されたキャリアセットの間の関係について説明する別の実施形態の概略図である。
【００１８】
【図６】本発明に係るリソース管理セット、ＣＳＩ測定セット、及び起動されたキャリアセットの間の関係について説明する別の実施形態の概略図である。
【００１９】
【図７】本発明に係る基地局が起動されたキャリアセットをＵＥに通知する方式について説明する実施形態の概略図である。
【００２０】
【図８】本発明に係る基地局によるＰＤＣＣＨ、ｅＰＤＣＣＨ又はＰＤＳＣＨの送信について説明する実施形態の概略図である。
【００２１】
【図９】本発明に係る仮想キャリア・アグリゲーション方法の別の実施形態のフローチャートである。
【００２２】
【図１０】本発明に係る基地局の実施形態の概略構成図である。
【００２３】
【図１１】本発明に係るユーザ装置の実施形態の概略構成図である。
【発明を実施するための形態】
【００２４】
本発明の実施形態の目的、技術的解決手法、及び利点をより分かりやすくするために、以下は、本発明の実施形態における技術的解決手法について明瞭かつ完全に説明する。当然ながら、説明された実施形態は、本発明の実施形態の全部ではなく単に一部である。創造的な努力をすることなく本発明の実施形態に基づいて当業者によって達成されたすべての他の実施形態は、当然に本発明の保護範囲に含まれる。
【００２５】
図１は、本発明に係る仮想キャリア・アグリゲーション方法の実施形態のフローチャートである。図１に表されるように、仮想キャリア・アグリゲーション方法は、以下を含んでもよい。
【００２６】
ステップ１０１：基地局は、ＵＥによって通知された、測定能力表示情報とデータ通信を受信する能力を示す表示情報とを受信する。
【００２７】
ステップ１０２：基地局は、測定能力表示情報に従って、ＵＥに対する測定セットを選択する。
【００２８】
ステップ１０３：基地局は、測定セットをＵＥに通知する。
【００２９】
データ通信を受信する能力を示す表示情報は、複数のキャリアであって、それによりＵＥがデータ通信の同時受信を行う、複数のキャリア、の情報を含み、そして測定能力表示情報は、ＣＳＩを測定するためのＵＥの能力を示す表示情報、及び／又はＲＳＲＰを測定するためのＵＥの能力を示す表示情報を含む。
【００３０】
本実施形態では、測定能力表示情報がＣＳＩを測定するためのＵＥの能力を示す表示情報である場合、複数のキャリアであって、それにおいてＵＥがＣＳＩ測定を行う、複数のキャリアの個数は、複数のキャリアであって、それによりＵＥがデータ通信の同時受信を行う、複数のキャリアの個数より多くなる、及び／又は複数のキャリアであって、それにおいてＵＥが同時ＣＳＩ測定を行う、複数のキャリアの個数は、複数のキャリアであって、それによりＵＥがデータ通信の同時受信を行う、複数のキャリアの個数より多くなる。
【００３１】
前述の実施形態では、基地局は、ＵＥによって通知された、測定能力表示情報とデータ通信を受信する能力を示す表示情報とを受信し、測定能力表示情報に従って、ＵＥに対する測定セットを選択し、そして選択された測定セットをＵＥに通知する。ここで、測定能力表示情報は、ＣＳＩを測定するためのＵＥの能力を示す表示情報、及び／又はＲＳＲＰを測定するためのＵＥの能力を示す表示情報を含む。その結果、基地局は、ＵＥにより通知されたチャネル状態情報及び／又はＲＳＲＰを受信し、ＵＥに対するＣＳＩ測定セットを選択し、そしてＣＳＩ測定セットから、ＵＥに対する起動されたキャリアセットを選択することができる。このように、基地局は、ＵＥに対する、起動されたキャリアセットを柔軟に選択することができる。
【００３２】
図２は、本発明に係る仮想キャリア・アグリゲーション方法の別の実施形態のフローチャートである。本実施形態では、図１に示された実施形態において提供される方法の具体的な実施は、測定能力表示情報がＣＳＩを測定するためのＵＥの能力を示す表示情報であり、かつ測定セットがＣＳＩ測定セットであるシナリオにおいて説明される。
【００３３】
図２に示されるように、仮想キャリア・アグリゲーション方法は、以下を含んでもよい：
【００３４】
ステップ２０１：基地局は、ＵＥにより通知される、ＣＳＩを測定するためのＵＥの能力を示す表示情報及びデータ通信を受信する能力を示す表示情報とを受信する。
【００３５】
データ通信を受信する能力を示す表示情報は、複数のキャリアであって、それによりＵＥがデータ通信の同時受信を行う、複数のキャリアの情報を含む。
【００３６】
具体的には、ＵＥによって通知されたＣＳＩを測定するためのＵＥの能力を示す表示情報を基地局により受信することは、以下の通りであってもよい：基地局は、ＵＥによって通知された、ＣＳＩを測定するためのＵＥの能力を予め規定するＵＥのタイプを受信する、又は基地局は、ＣＳＩを測定するためのＵＥの能力であり、かつＵＥにより直接通知された、ＵＥの能力、をさらに受信してもよい。ＣＳＩは、チャネル品質インジケータ（Ｃｈａｎｎｅｌ  Ｑｕａｌｉｔｙ  Ｉｎｄｉｃａｔｏｒ、以下、略してＣＱＩ）、プリコーディングマトリクスインジケータ（Ｐｒｅｃｏｄｉｎｇ  Ｍａｔｒｉｘ  Ｉｎｄｉｃａｔｏｒ、以下、略してＰＭＩ）、及び／又はランクインジケータ（Ｒａｎｋ  Ｉｎｄｉｃａｔｏｒ、以下、略してＲＩ）を含む。
【００３７】
具体的には、ＣＳＩを測定するするためのＵＥの能力は、以下の通りであってもよい：複数のキャリアであって、それにおいてＵＥがＣＳＩ測定を行う、複数のキャリアの個数、及び／又は複数のキャリアであって、それによりＵＥが同時ＣＳＩ測定を行う、複数のキャリアの個数、又は
ＣＳＩを測定するためのＵＥの能力は、以下の通りであってもよい：複数のキャリアであって、それによりＵＥがＣＳＩ測定を行う、複数のキャリアの個数及び複数のキャリアであって、それにおいてＵＥが同時ＣＳＩ測定を行う、複数のキャリアの個数；及び各キャリアであって、それにおいてＵＥがＣＳＩ測定を行う、各キャリア、において実行されるＣＳＩ測定の回数；のうちの１つ又は全て；又は
ＣＳＩを測定するためのＵＥの能力は、以下の通りであってもよい：複数のキャリアであって、それにおいてＵＥがＣＳＩ測定を行う、複数のキャリアの個数及び複数のキャリアであって、それにおいてＵＥが同時ＣＳＩ測定を行う、複数のキャリアの個数；及びＵＥがＣＳＩ測定を実行する全てのキャリア上でＵＥにより実行されるＣＳＩ測定の総量；のうちの１つ又は全て、又は
ＣＳＩを測定するするためのＵＥの能力は、以下の通りであってもよい：複数のキャリアの組み合わせであって、それにおいてＵＥがＣＳＩ測定を行う、複数のキャリアの組み合わせ及び複数のキャリアの組み合わせであって、それにおいてＵＥが同時ＣＳＩ測定を行う、複数のキャリアの組み合わせ；及び各キャリアであって、それにおいてＵＥがＣＳＩ測定を実行する、各キャリア、においてＵＥによって実行されるＣＳＩ測定の回数；のうちの１つ又は全て、又は
ＣＳＩを測定するためのＵＥの能力は、以下の通りであってもよい：複数のキャリアの組み合わせであって、それにおいてＵＥがＣＳＩ測定を行う、複数のキャリアの組み合わせ及び複数のキャリアの組み合わせであって、それにおいてＵＥが同時ＣＳＩ測定を行う、複数のキャリアの組み合わせ；及びＵＥがＣＳＩ測定を実行するすべてのキャリアにおいてＵＥによって実行されるＣＳＩ測定の総量；のうちの１つ又は全て。
【００３８】
代替的に、ＣＳＩを測定するためのＵＥの能力は、以下の通りであってもよい：複数のキャリアであって、それにおいてＵＥがＣＳＩ測定を行う、複数のキャリアの個数、及び／又は複数のキャリアであって、それにおいてＵＥが同時ＣＳＩ測定を行う、複数のキャリアの個数、又は
ＣＳＩを測定するためのＵＥの能力は、以下の通りであってもよい：複数のキャリアであって、それにおいてＵＥがＣＳＩ測定を行う、複数のキャリアの個数及び複数のキャリアであって、それにおいてＵＥが同時ＣＳＩ測定を行う、複数のキャリアの個数；及び各キャリアであって、それにおいてＵＥがＣＳＩ測定を行う、各キャリア、において実行されるＣＳＩ測定の回数；のうちの１つ又は全て、又は
ＣＳＩを測定するためのＵＥの能力は、以下の通りであってもよい：複数のキャリアであって、それにおいてＵＥがＣＳＩ測定を行う、複数のキャリア、の個数及び複数のキャリアであって、それにおいてＵＥが同時ＣＳＩ測定を行う、複数のキャリア、の個数；及びＵＥがＣＳＩ測定を行う全てのキャリアにおいて実行されるＣＳＩ測定の総量；のうちの１つ又は全て、又は
ＣＳＩを測定するためのＵＥの能力は、以下の通りであってもよい：複数のキャリアの組み合わせであって、それにおいてＵＥがＣＳＩ測定を行う、複数のキャリアの組み合わせ及び複数のキャリアの組み合わせであって、それにおいてＵＥが同時ＣＳＩ測定を行う、複数のキャリアの組み合わせ；及び各キャリアであって、それにおいてＵＥがＣＳＩ測定を行う、各キャリア、において実行されるＣＳＩ測定の回数；のうちの１つ又は全て、又は
ＣＳＩを測定するするためのＵＥの能力は、以下の通りであってもよい：複数のキャリアの組み合わせであって、それにおいてＵＥがＣＳＩ測定を行う、複数のキャリアの組み合わせ及び複数のキャリアの組み合わせであって、それにおいてＵＥが同時ＣＳＩ測定を行う、複数のキャリアの組み合わせ；及びＵＥがＣＳＩ測定を行う全てのキャリアにおいて実行されるＣＳＩ測定の総量；のうちの１つ又は全て。
【００３９】
ＵＥがＣＳＩ測定を行うする各キャリア上で実行されるＣＳＩ測定の回数は、同じであってもよく、或いは異なってもよい。例えば、複数のキャリアであって、それにおいてＵＥがＣＳＩ測定を行う、複数のキャリア、の個数、又は複数のキャリアであって、それにおいてＵＥが同時ＣＳＩ測定を行う、複数のキャリア、の個数は、５であってもよく、すなわち、それぞれＣＣ１からＣＣ５であってもよく、各キャリアであって、それにおいてＵＥがＣＳＩ測定を実行する、各キャリア、におけるＣＳＩ測定の回数は、それぞれ、２回、３回、２回、３回、及び２回であってもよく、又はＵＥがＣＳＩ測定を実行する各キャリア上で実行されるＣＳＩ測定の回数は、２回であるあってもよく、又は上記５個のキャリア上でＵＥによって実行されるＣＳＩ測定の総量が１０である。具体的には、ＵＥがＣＳＩ測定を行うする各キャリア上で実行されるＣＳＩ測定の回数が同じである場合、ＵＥは、１個の対応するパラメータ値、例えば、２だけを通知してもよく、ＵＥがＣＳＩ測定を実行する各キャリア上で実行されるＣＳＩ測定の回数を通知する必要はない。
【００４０】
本実施形態では、ＵＥがＣＳＩを測定するためのＵＥの能力をどのように通知しても、ＵＥがＣＳＩ測定を行うキャリアの個数は、ＵＥがデータ通信の同時受信を行うキャリアの個数より多くなることが常に要求され、及び／又はＵＥが同時ＣＳＩ測定を行うキャリアの個数は、ＵＥがデータ通信の同時受信を行うキャリアの個数より多くなることが常に要求される。例えば、１つのＵＥは、１０ＭＨｚの２個のキャリア上でデータ通信を同時に受信することができるが、１０ＭＨｚの５個のキャリア上で同時にＣＳＩ測定を実行してもよい。
【００４１】
詳しくは、拡張又は更新されたＵＥカテゴリ８（ＵＥ  ｃａｔｅｇｏｒｙ  ８）に対して、ＵＥがデータ通信の同時受信を行うキャリアの個数が５個である場合、このタイプのＵＥがＣＳＩ測定を行うキャリアの個数、又はこのタイプのＵＥが同時ＣＳＩ測定を行うキャリアの個数は、５個より多くなる。
【００４２】
ステップ２０２：基地局は、ＣＳＩを測定するためのＵＥの能力を示す表示情報に従ってＵＥに対するＣＳＩ測定セットを選択し、ＣＳＩ測定セットをＵＥに通知する。
【００４３】
ＣＳＩ測定セットは、ＵＥがＣＳＩ測定を実行するキャリアのセットを含む、又はＣＳＩ測定セットは、ＵＥがＣＳＩ測定を実行するキャリアのセットと、ＵＥがＣＳＩ測定を実行する各キャリア上でＣＳＩ測定を実行するために使用されるリファレンス信号の情報とを含む。
【００４４】
ＣＡ技術を使用するシステムにおいて、ＣＳＩ測定セットは、ＵＥがＣＳＩ測定を実行するキャリアのセットである。ＣＡ技術と協調マルチポイント送受信（Ｃｏｏｒｄｉｎａｔｅｄ  Ｍｕｌｔｉｐｌｅ  Ｐｏｉｎｔ  ｔｒａｎｓｍｉｓｓｉｏｎ  ａｎｄ  ｒｅｃｅｐｔｉｏｎ、以下、略してＣｏＭＰ）技術との組み合わせを使用するシステムにおいて、ＣＳＩ測定セットは、ＵＥがＣＳＩ測定を実行するキャリアのセットと、ＵＥがＣＳＩ測定を実行する各キャリア上でＣＳＩ測定を実行するために使用されるリファレンス信号の情報とを含み、リファレンス信号は、チャネル状態情報リファレンス信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、以下、略してＣＳＩ−ＲＳ）及び／又はセル固有リファレンス信号（Ｃｅｌｌ−Ｓｐｅｃｉｆｉｃ  Ｒｅｆｅｒｅｎｃｅ  Ｓｉｇｎａｌ、以下、略してＣＲＳ）であってもよい。ＣＳＩ−ＲＳは、ＣＳＩ−ＲＳリソース構成情報又はＣＳＩ−ＲＳ番号を使用することにより通知されてもよく、そしてＣＲＳは、セルＩＤを使用することにより通知されてもよい。
【００４５】
本実施形態では、基地局は、準静的シグナリング又は動的シグナリングを使用することによりＣＳＩ測定セットをＵＥに通知してもよい。
【００４６】
例えば、ＣＡ技術を使用するシステムにおいて、基地局は、準静的シグナリング又は動的シグナリングを使用することにより、ＵＥがＣＳＩ測定を実行するキャリアのセットをＵＥに通知してもよく、例えば、ＵＥがＣＳＩ測定を実行するキャリアのセットは、５個のキャリア｛ＣＣ１，ＣＣ２，ＣＣ３，ＣＣ４，ＣＣ５｝を含む。
【００４７】
ＣＡ技術及びＣｏＭＰ技術の組み合わせを使用するシステムにおいて、基地局は、準静的シグナリング又は動的シグナリングを使用することにより、ＵＥがＣＳＩ測定を実行するキャリアのセットと、ＵＥがＣＳＩ測定を実行する各キャリア上でＣＳＩ測定を実行するために使用されるリファレンス信号の情報とをＵＥに通知してもよい。本実施形態では、ＣＳＩ測定セットにおいて、ＵＥがＣＳＩ測定を実行する各キャリア上でＣＳＩ測定を実行するために使用されるリファレンス信号は、独立した方式で、又は組み合わされた方式で構成されてもよい。
【００４８】
例えば、基地局は、準静的シグナリング又は動的シグナリングを使用することにより、ＵＥがＣＳＩ測定を実行するキャリアのセットが５個のキャリア｛ＣＣ１，ＣＣ２，ＣＣ３，ＣＣ４，ＣＣ５｝を含むことをＵＥに通知してもよく、ＵＥがＣＳＩ測定を実行する各キャリア上でＣＳＩ測定を実行するために使用されるリファレンス信号が独立した方式で構成される場合、基地局は、ＣＣ１内にあり、ＣＳ１を測定するために使用されるリファレンス信号がＣＳＩ−ＲＳ１及びＣＳＩ−ＲＳ２であり、ＣＣ２内にあり、ＣＳＩを測定するために使用されるリファレンス信号がＣＳＩ−ＲＳ３であり、ＣＣ３内にあり、ＣＳＩを測定するために使用されるリファレンス信号がＣＳＩ−ＲＳ４、ＣＳＩ−ＲＳ５、又はＣＳＩ−ＲＳ６であり、ＣＣ４内にあり、ＣＳＩを測定するために使用されるリファレンス信号がＣＳＩ−ＲＳ７及びＣＳＩ−ＲＳ８であり、ＣＣ５内にあり、ＣＳＩを測定するために使用されるリファレンス信号がＣＲＳであることをＵＥに通知してもよい。各ＣＳＩ−ＲＳは、異なったパラメータ構成を有する。
【００４９】
ＵＥがＣＳＩ測定を実行する各キャリア上でＣＳＩ測定を実行するために使用されるリファレンス信号が組み合わされた方式で構成されるとき、基地局は、ＣＳＩ測定を実行するために２個のＣＳＩ−ＲＳが５個のキャリア｛ＣＣ１，ＣＣ２，ＣＣ３，ＣＣ４，ＣＣ５｝の１つずつの上で使用されることをＵＥに通知してもよく、各ＣＳＩ−ＲＳは、異なったキャリア上で同じパラメータ構成を有する。
【００５０】
ＣＳＩ−ＲＳのパラメータ構成は、パイロットシーケンス、パイロットパターン及び／又はＣＳＩ−ＲＳのサブフレーム構成などを含む。
【００５１】
ＣＡ技術及びＣｏＭＰ技術の組み合わせを使用するシステムにおいて、準静的シグナリング又は動的シグナリングを使用することにより基地局によってＵＥに通知されるＣＳＩ測定セットは、ＵＥがＣＳＩ測定を実行する各キャリア上でＣＳＩ測定を実行するために使用されるリファレンス信号の情報を含む。このように、ＵＥがＣＳＩ測定を実行する各キャリア上で、ＵＥは、少なくとも１つのＣＳＩを測定することが必要であり、各ＣＳＩは、キャリアの下でデータをＵＥに送信する１つのＣｏＭＰ方式に対応する。
【００５２】
ステップ２０３：基地局は、ＣＳＩ測定セット内にあり、ＵＥによって通知されたキャリアに関するチャネル状態情報を受信する。
【００５３】
本実施形態では、基地局がＣＳＩ測定セットをＵＥに通知した後に、基地局は、ＣＳＩ測定セットから、ＵＥに対して、起動されたキャリアセットを選択し、準静的シグナリング又は動的シグナリングを使用して、起動されたキャリアセットをＵＥに通知してもよい。起動されたキャリアセット内のキャリアの個数は、ＵＥがデータ通信の同時受信を行うキャリアの個数以下である。
【００５４】
本実施形態では、ＣＳＩ測定セット内のＣＣの個数は、起動されたキャリアセット内のキャリアの個数より多くなる。ＣＳＩ測定セットと起動されたキャリアセットとの両方に含まれたキャリアに関して、ＵＥは、対応するキャリア上の対応するキャリアのＣＳＩを測定し、対応するキャリア上でダウンリンクチャネルを受信し、ＣＳＩ測定セットに含まれるが、起動されたキャリアセットに含まれないキャリアに関して、ＵＥは、対応するキャリア上の対応するキャリアのＣＳＩを測定するが、対応するキャリア上でダウンリンクチャネルを受信しない。
【００５５】
上記実施形態では、基地局は、ＵＥによって通知された、ＣＳＩを測定するためのＵＥの能力を示す表示情報とデータ通信を受信する能力を示す表示情報とを受信し、ＣＳＩを測定するためのＵＥの能力を示す表示情報に従ってＵＥのためＣＳＩ測定セットを選択し、選択されたＣＳＩ測定セットをＵＥに通知する。その結果、基地局は、ＵＥによって通知された、ＣＳＩ測定セット内のキャリアのチャネル状態情報を受信し、ＵＥに対して、起動されたキャリアセットを選択することができる。このように、基地局は、ＵＥのため起動されたキャリアセットを柔軟に選択することができる。
【００５６】
以下は、本発明の図２に表された実施形態におけるステップ２０１において、ＣＳＩを測定するためのＵＥの能力を示す表示情報を通知するためにＵＥによって使用された方式について説明する。
【００５７】
方式１：ＵＥは、ＵＥがＣＳＩ測定を行う周波数帯域の組み合わせ（例えば、ＣＳＩＳｕｐｐｏｒｔｅｄＢａｎｄＣｏｍｂｉｎａｔｉｏｎ）を基地局に通知し、ＵＥがＣＳＩ測定を行う周波数帯域の組み合わせは、ＣＳＩ測定のため使用される少なくとも１個の周波数帯域組み合わせパラメータ（例えば、ＣＳＩＢａｎｄＣｏｍｂｉｎａｔｉｏｎＰａｒａｍｅｔｅｒｓ）を含み、ＣＳＩ測定のため使用される各周波数帯域組み合わせパラメータは、ＵＥがＣＳＩ測定を行う周波数帯域の組み合わせの情報を含み、周波数帯域の各組み合わせは、少なくとも１個の周波数帯域を含むことがあり、ＣＳＩ測定のため使用される周波数帯域組み合わせパラメータは、周波数帯域の組み合わせ内の各周波数帯域の周波数帯域パラメータ（例えば、ＣＳＩＢａｎｄＰａｒａｍｅｔｅｒｓ）を含み、各周波数帯域の周波数帯域パラメータは、ＣＳＩを測定するＵＥによって使用されるダウンリンク周波数帯域パラメータ（例えば、ＣＳＩｂａｎｄＰａｒａｍｅｔｅｒｓＤＬ）を含み、ＣＳＩを測定するＵＥによって使用されるダウンリンク周波数帯域パラメータは、ＣＳＩダウンリンク帯域幅のタイプ（例えば、ＣＳＩＢａｎｄｗｉｄｔｈＣｌａｓｓＤＬ）を含み、ＣＳＩダウンリンク帯域幅のタイプは、ＵＥがこの周波数帯域でＣＳＩ測定を行うＣＣの最大個数と、アグリゲート帯域幅の構成とを含み、アグリゲート帯域幅の構成は、リソース・ブロック（Ｒｅｓｏｕｒｃｅ  Ｂｌｏｃｋ、以下、略してＲＢ）の個数の構成、例えば、アグリゲート帯域幅＜１００ＲＢ、又は１００ＲＢ＜アグリゲート帯域幅＜２００ＲＢであってもよい。例えば、ＵＥがこの周波数帯域でＣＳＩ測定を行うＣＣの最大個数と、アグリゲート帯域幅の構成とは、以下の通りであってもよい：ＵＥがこの周波数帯域でＣＳＩ測定を行うＣＣの最大個数は２であり、かつ、アグリゲート帯域幅は１００ＲＢ以下である。
【００５８】
例えば、ＵＥによって通知された、ＵＥがＣＳＩ測定を行う周波数帯域の組み合わせは、ＣＳＩ測定のため使用される２個の周波数帯域組み合わせパラメータを含む。ＣＳＩ測定のため使用される第１の周波数帯域組み合わせパラメータは、２個の周波数帯域にそれぞれ対応する２個の周波数帯域パラメータを含み、第１の周波数帯域パラメータが周波数帯域１に対応し、第１の周波数帯域パラメータに対応するＣＳＩダウンリンク帯域幅のタイプがｂであり、すなわち、ＵＥがこの周波数帯域でＣＳＩ測定を行うＣＣの最大個数が２であり、アグリゲート帯域幅が１００ＲＢ未満である。第２の周波数帯域パラメータが周波数帯域２に対応し、第２の周波数帯域パラメータに対応するＣＳＩダウンリンク帯域幅のタイプがｃであり、すなわち、ＵＥがこの周波数帯域でＣＳＩ測定を行うＣＣの最大個数が２であり、アグリゲート帯域幅が１００ＲＢより大きく、２００ＲＢ未満である。その結果、ＵＥは、ＣＳＩ測定のため使用される第１の周波数帯域組み合わせパラメータに対応する最大４個のＣＣで同時にＣＳＩ測定を実行することができる。ＣＳＩ測定のため使用される第２の周波数帯域組み合わせパラメータは、ＣＳＩ測定のため使用される第１の周波数帯域組み合わせパラメータに類似し、これは、ここではこれ以上説明しない。
【００５９】
方式２：ＵＥは、ＣＳＩを測定するためのＵＥの能力を予め定義するＵＥのタイプを基地局に通知する。例えば、ＵＥのタイプの中でＣＳＩを測定するためのＵＥの能力を予め定める方式は、表１、表２、表３、又は表４において示されてもよい。
【表１】
2015523023.tif 000021
【表２】
2015523023.tif 000022
【表３】
2015523023.tif 000023
【表４】
2015523023.tif 000024
【００６０】
ＵＥのタイプにおいて、ＵＥがＣＳＩ測定を行う各キャリア上で実行されるＣＳＩ測定の回数、例えば、３回、又は、ＵＥがＣＳＩ測定を行うすべてのキャリア上で実行されるＣＳＩ測定の総量、例えば、１０回が定義されてもよい。
【００６１】
場合によっては、ＵＥのタイプにおいて定義された、ＵＥがＣＳＩ測定を行うキャリアの個数は、ＵＥがデータ通信の同時受信を行うキャリアの個数より多くなる、及び／又はＵＥのタイプにおいて定義された、ＵＥが同時ＣＳＩ測定を行うキャリアの個数は、ＵＥがデータ通信の同時受信を行うキャリアの個数より多くなる。
【００６２】
図３は、本発明に係る仮想キャリア・アグリゲーション方法の別の実施形態のフローチャートである。本実施形態では、図１に表された実施形態に提供された方法の具体的な実施は、測定能力表示情報がＲＳＲＰを測定するＵＥの能力を示す表示情報であり、かつ、測定セットがリソース管理セットであるシナリオにおいて説明される。
【００６３】
図３に表されるように、仮想キャリア・アグリゲーション方法は、以下のステップを含んでもよい：
【００６４】
ステップ３０１：基地局は、ＵＥによって通知された、ＲＳＲＰを測定するＵＥの能力を示す表示情報とデータ通信を受信する能力を示す表示情報とを受信する。
【００６５】
本実施形態では、ＲＳＲＰを測定するＵＥの能力は、ＵＥがＣＳＩ−ＲＳ受信電力の測定を行うか否かを含む。
【００６６】
ＵＥがＣＳＩ−ＲＳ受信電力の測定を行う場合、ＲＳＲＰを測定するＵＥの能力は、ＵＥがＲＳＲＰ測定を行うキャリアの個数をさらに含んでもよく、又は
ＲＳＲＰを測定するＵＥの能力は、ＵＥがＲＳＲＰ測定を行うキャリアの個数、及びユーザ装置がＣＳＩ−ＲＳ受信電力の測定を行う各キャリア上のＲＳＲＰ測定のためのリファレンス信号リソースの個数、ＵＥがＣＳＩ−ＲＳ受信電力の測定を行う各キャリア上で実行されるＲＳＲＰ測定のためのポートの個数、及びＵＥがＣＳＩ−ＲＳ受信電力の測定を実行する各キャリア上で測定されるＲＳＲＰの個数、のうちの１つ又はそれらの組み合わせ、をさらに含んでもよく、又は
ＲＳＲＰを測定するＵＥの能力は、ＵＥがＲＳＲＰ測定を行うキャリアの個数、及びリファレンス信号リソースの総数、ＵＥがＣＳＩ−ＲＳ受信電力の測定を行うすべてのキャリア上で実行されるＲＳＲＰ測定のためのポートの総数、及び、ＵＥがＣＳＩ−ＲＳ受信電力の測定を実行するすべてのキャリア上で測定されるＲＳＲＰの総数のうちの１つ又はそれらの組み合わせ、をさらに含んでもよい。
【００６７】
ＵＥがＣＳＩ−ＲＳ受信電力の測定を行うか否かは、特徴組み合わせ指示の中の１ビット（例えば、ｆｅａｔｕｒｅＧｒｏｕｐＩｎｄ−ｒ１２）を使用することにより指示されてもよい。
【００６８】
ステップ３０２：基地局は、ＲＳＲＰを測定するＵＥの能力を示す表示情報に従ってＵＥのためリソース管理セットを選択する。
【００６９】
本実施形態では、リソース管理セットは、ＵＥがＲＳＲＰ測定を実行するキャリアのセットと、ＵＥがＲＳＲＰ測定を行う各キャリア上で実行されるＲＳＲＰ測定を実行するために使用されるリファレンス信号とを含む。
【００７０】
ステップ３０３：基地局は、リソース管理セットをＵＥに通知する。
【００７１】
具体的には、基地局は、準静的シグナリング又は動的シグナリング、例えば、無線リソース制御（Ｒａｄｉｏ  Ｒｅｓｏｕｒｃｅ  Ｃｏｎｔｒｏｌ、以下、略してＲＲＣ）シグナリングを使用することによりリソース管理セットをＵＥに通知してもよい。
【００７２】
ステップ３０４：基地局は、リソース管理セット内のキャリアに関するＲＳＲＰであり、かつＵＥにより通知された、ＲＳＲＰ、を受信する。
【００７３】
リソース管理セットにおいて、ＵＥがＲＳＲＰ測定を実行する各キャリア上でＲＳＲＰ測定を実行するために使用されるリファレンス信号は、独立した方式、又は組み合わされた方式で構成され、ＲＳＲＰ測定を実行するために使用されるリファレンス信号は、ＣＳＩ−ＲＳ又はＣＲＳを含み、ＲＳＲＰは、ＣＳＩ−ＲＳに基づくＲＳＲＰ及びＣＲＳに基づくＲＳＲＰを含む。
【００７４】
本実施形態では、ＣＡ技術を使用するシステムにおいて、リソース管理セットは、ＣＲＳベースのセットである。例えば、リソース管理セットは、７個のキャリア｛ＣＣ１，ＣＣ２，ＣＣ３，ＣＣ４，ＣＣ５，ＣＣ６，ＣＣ７｝を含んでもよい。各ＣＣの下で、ＵＥは、対応するＣＲＳに基づいてＣＲＳ  ＲＥＳＰの測定を実行する。
【００７５】
ＣＡ技術とＣｏＭＰ技術との組み合わせを使用するシステムでは、リソース管理セットは、ＣＳＩ−ＲＳベースのセット、又はＣＳＩ−ＲＳベース／ＣＲＳベースのセットである。リソース管理セットは、セット内のキャリア及びＣＳＩ−ＲＳのセットの表示情報、及び／又はＲＳＲＰを測定するために使用されるＣＲＳ、又は各キャリアにおけるＲＳＲＰ／リファレンス信号受信品質（Ｒｅｆｅｒｅｎｃｅ  Ｓｉｇｎａｌ  Ｒｅｃｅｉｖｅｄ  Ｑｕａｌｉｔｙ、ＲＳＲＱと略す）を示すために使用される。
【００７６】
各キャリアの下でＲＳＲＰを測定するために使用されるリファレンス信号は、独立した方式もしくは組み合わされた方式で構成されてもよく、或いは各キャリアの下でＲＳＲＰ／ＲＳＲＱを測定するために使用されるリファレンス信号は、独立した方式又は組み合わされた方式で構成されてもよい。
【００７７】
例えば、ＣＡ技術とＣｏＭＰ技術との組み合わせを使用するシステムにおいて、リソース管理セットは、７個のキャリア｛ＣＣ１，ＣＣ２，ＣＣ３，ＣＣ４，ＣＣ５，ＣＣ６，ＣＣ７｝と、各キャリアの下でＲＳＲＰを測定するために使用されるＣＳＩ−ＲＳとを含んでもよい。ＵＥは、リソース管理セット内のキャリアに関してＣＳＩ−ＲＳ  ＲＳＲＰ／ＲＳＲＱを測定し、通知する。
【００７８】
本実施形態では、基地局がリソース管理セットをＵＥに通知した後、基地局は、ＵＥに対するＣＳＩ測定セットをさらに選択し、準静的シグナリング又は動的シグナリングを使用することによりＣＳＩ測定セットをＵＥに通知する。リソース管理セットは、ＣＳＩ測定セット包含する、又は、リソース管理セットとＣＳＩ測定セットとは、共通集合を持つが、包含関係を持たない、又はリソース管理セットとＣＳＩ測定セットとは、共通集合を持たない。
【００７９】
さらに、基地局がＣＳＩ測定セットをＵＥに通知した後、基地局は、ＣＳＩ測定セットから、ＵＥに対する、起動されたキャリアセットをさらに選択することがあり、起動されたキャリアセット内のキャリアの個数は、ＵＥがデータ通信の同時受信を行うキャリアの個数以下であり、その後、基地局は、準静的シグナリング又は動的シグナリングを使用することにより、起動されたキャリアセットをＵＥに通知する。
【００８０】
例えば、リソース管理セット、ＣＳＩ測定セット、及び、ＵＥに対して基地局が選択した起動されたキャリアセットの間の関係は、図４に表されてもよい。図４は、本発明に係るリソース管理セット、ＣＳＩ測定セット、及び起動されたキャリアセットの関係について説明する実施形態の概略図である。
【００８１】
ＣＡ技術を使用するシステムでは、基地局は、リソース管理セット内のキャリアに関して、ＵＥによって通知されたＲＳＲＰ／ＲＳＲＱのような情報に従ってＵＥのＣＳＩ測定セットを決定することがあり、ＣＳＩ測定セット内のキャリアのチャネル状態情報、例えば、ＣＱＩ、ＰＭＩ及び／又はＲＩなどに従って、動的又は準静的基準で、ＵＥについて、起動されたキャリアセットを選択し、準静的シグナリングもしくは動的シグナリング、例えば、ＰＤＣＣＨ、ＲＲＣ、媒体アクセス制御コントロール要素（Ｍｅｄｉａ  Ａｃｃｅｓｓ  Ｃｏｎｔｒｏｌ  Ｃｏｎｔｒｏｌ  Ｅｌｅｍｅｎｔ、以下、略してＭＡＣ  ＣＥ）などを使用することにより、起動されたキャリアセットをＵＥに通知する。
【００８２】
ＣＡ技術とＣｏＭＰ技術との組み合わせを使用するシステムでは、基地局は、リソース管理セット内の各キャリア上の対応するリファレンス信号に関して、ＵＥによって通知されたＲＳＲＰ又はＲＳＲＰ／ＲＳＲＱのような情報に従ってＵＥのＣＳＩ測定セットを決定し、ＣＳＩ測定セット内の各キャリアに対応するＲＳのチャネル状態情報、例えば、ＣＱＩ、ＰＭＩ及び／又はＲＩなどに従って、動的又は準静的基準で、ＵＥについて、起動されたキャリアセットを選択し、準静的シグナリング又は動的シグナリング、例えば、ＰＤＣＣＨ、ＲＲＣ、ＭＡＣ  ＣＥなどを使用することによって、起動されたキャリアセットをＵＥに通知する。
【００８３】
上記実施形態では、基地局は、ＵＥによって通知された、ＲＳＲＰを測定するＵＥの能力を示す表示情報とデータ通信を受信する能力を示す表示情報とを受信し、ＲＳＲＰを測定するＵＥの能力を示す表示情報に従って、ＵＥに対する、リソース管理セットを選択し、選択されたリソース管理セットをＵＥに通知する。その結果、基地局は、ＵＥによって通知されたＲＳＲＰを受信し、ＵＥに対する、ＣＳＩ測定セットを選択し、そして、ＣＳＩ測定セットから、ＵＥに対する、起動されたキャリアセットを選択することができる。このように、基地局は、ＵＥに対する、起動されたキャリアセットを柔軟に選択することができる。
【００８４】
本発明の図２及び図３に表された実施形態において提供された方法は、本発明の実施形態において限定されることなく、独立に、又は組み合わせて使用されてもよい。
【００８５】
本発明の図１、図２及び図３に示される実施形態において、ＣＳＩ測定セット及びリソース管理セットは、包含関係を持つことがあり、例えば、リソース管理セットは、図５に表されるように、ＣＳＩ測定セットを包含してもよい。図５は、本発明に係るリソース管理セット、ＣＳＩ測定セット、及び起動されたキャリアセットの間の関係について説明する別の実施形態の概略図である。図５では、波線円は、起動されたキャリアセットを表現し、点線円は、ＣＳＩ測定セットを表現し、実線円は、リソース管理セットを表現する。
【００８６】
代替的に、ＣＳＩ測定セット及びリソース管理セットは、共通集合を持つことがあるが、包含関係を持つことがなく、例えば、ＣＳＩを測定するために使用される１個のＣＳＩ−ＲＳは、リソース管理セット内に含まれることがなく、又はＵＥは、ＣＳＩを測定することが必要であるが、１個のキャリア上でＲＳＲＰを測定する必要がない。図６に表されるように、図６は、本発明に係るリソース管理セット、ＣＳＩ測定セット、及び起動されたキャリアセットの間の関係について説明する別の実施形態の概略図である。図６では、波線円は、起動されたキャリアセットを表現し、点線円は、ＣＳＩ測定セットを表現し、実線円は、リソース管理セットを表現する。
【００８７】
代替的に、ＣＳＩ測定セット及びリソース管理セットは、独立した方式で構成され、すなわち、１つのキャリア、又は１つの非零電力ＣＳＩ−ＲＳは、一方のセットに含まれ、もう一方のセットには含まれないことがある。
【００８８】
本発明の実施形態では、基地局は、ＣＳＩ測定セット内のキャリアに関して、ＵＥによって通知されたチャネル状態情報を受信し、チャネル状態情報に従ってＵＥに対する、起動されたキャリアセットを選択し、その後、基地局は、準静的シグナリング又は動的シグナリングを使用することによって、起動されたキャリアセットをＵＥに通知し、ＵＥは、起動されたキャリアセット内のキャリア上でデータを受信し、起動されたキャリアセット内のキャリアの個数は、ＣＳＩ測定セット内のキャリアの個数未満である。
【００８９】
具体的には、基地局は、以下の方式のうちの少なくとも１つにおいて、準静的シグナリング又は動的シグナリングを使用することにより、起動されたキャリアセットをＵＥに通知してもよい。
【００９０】
方式１：基地局は、予め定義された方式で、又は、上位レイヤシグナリングを使用することによって、少なくとも１つのサブフレーム内で起動されたキャリアセットをＵＥに通知することがあり、少なくとも１つのサブフレームは、上位レイヤシグナリングを使用することによって予め定義される、又は構成されることがあり、起動されたキャリアセット内の起動されたキャリアは、上位レイヤシグナリングを使用することによって予め定義され、又は構成され、起動されたキャリアセット内の起動されたキャリアが予め定義された場合、起動されたキャリアは、プライマリキャリア又はセカンダリキャリアとして予め定義される。
【００９１】
例えば、無線フレーム（Ｒａｄｉｏ  Ｆｒａｍｅ）内のサブフレーム０、４、５、及び９における起動されたキャリアセットは、プライマリキャリアとして予め定義されることがあり、又は無線フレーム（Ｒａｄｉｏ  Ｆｒａｍｅ）内のサブフレーム０及び５における起動されたキャリアセットがプライマリキャリアとして定義されることがあり、サブフレーム４及び９における起動されたキャリアセットがセカンダリキャリアとして予め定義されてもよい。
【００９２】
別の実施例では、基地局は、上位レイヤシグナリングを使用することによって、起動されたキャリアセットがプライマリキャリアであるサブフレームの位置をＵＥに通知することがあり、及び／又は基地局は、上位レイヤシグナリングを使用することによって、起動されたキャリアセットがセカンダリキャリアであるサブフレームの位置をＵＥに通知してもよい。
【００９３】
別の実施例では、基地局は、上位レイヤシグナリングを使用することによって、少なくとも１つのサブフレームの中の各サブフレームにおける起動されたキャリアの個数及び起動されたキャリアセットをＵＥに通知してもよく、起動されたキャリアの個数は、０以上の整数であってもよく、１つのサブフレームにおける起動されたキャリアの個数が零である場合、基地局は、このサブフレームにおける起動されたキャリアセットを通知する必要がなく、１つのサブフレームにおける起動されたキャリアの個数が非零である場合、基地局は、このサブフレームにおける起動されたキャリアセットを通知する必要がある。
【００９４】
方式２：基地局は、Ｎ個のサブフレームの後に、起動されたキャリアをＵＥに通知するために、起動されたキャリアを使用することによって、動的シグナリングをＵＥに送信する。ここで、起動されたキャリアは、プライマリキャリア及び／又はセカンダリキャリアであってもよい。
【００９５】
具体的には、動的シグナリングは、ＰＤＣＣＨ、又は拡張物理ダウンリンク制御チャネル（ｅｎｈａｎｃｅｄ  ＰＤＣＣＨ、以下、略してｅＰＤＣＣＨ）、又は物理ダウンリンク共有チャネル（Ｐｈｙｓｉｃａｌ  Ｄｏｗｎｌｉｎｋ  Ｓｈａｒｅｄ  Ｃｈａｎｎｅｌ、以下、略してＰＤＳＣＨ）を介して基地局により送信されるダウンリンク制御情報であってもよい。
【００９６】
具体的には、動的シグナリングは、ＰＤＣＣＨ又はｅＰＤＣＣＨのパブリック検索空間、起動されたキャリアの専用検索空間、又はＵＥの専用検索空間を介して送信されてもよい。
【００９７】
具体的には、動的シグナリングは、ダウンリンクデータと多重化される方式で、ＰＤＳＣＨにおいて送信されてもよい。
【００９８】
具体的には、動的シグナリングは、値がＮであるサブフレーム指示フィールドを含む。さらに、動的シグナリングは、起動されたキャリアセットを示すために使用されるキャリア指示フィールドをさらに含む。
【００９９】
方式３：基地局が準静的シグナリング又は動的シグナリングを使用することにより第１のフレームの起動されたキャリアセットをＵＥに通知しない場合、第１のサブフレームの起動されたキャリアセットは、プライマリキャリア、又は第１のサブフレームの最も近くかつ前にある第２のサブフレーム内にあり、かつユーザ装置に認識されている起動されたキャリアセットである。
【０１００】
具体的には、通信の初期フェーズで、ＵＥは、起動されたキャリアセットに関する情報を認識していない。この場合、ＵＥは、起動されたキャリアセットとしてプライマリキャリアを使用し、通信の持続フェーズで、シグナリングオーバーヘッドを抑えるために、基地局は、第１のサブフレームの起動されたキャリアセットをＵＥに通知しなくてもよい。この場合、第１のサブフレームにおいて、ＵＥは、第１のサブフレームの起動されたキャリアセットとして、プライマリキャリア、又は第１のサブフレームに最も接近しかつ前にある第２のサブフレーム内にあり、かつＵＥに既に認識されている起動されたキャリアセットを使用してもよい。
【０１０１】
プライマリキャリアは、予め定義された方式で、又は、上位レイヤシグナリングを構成することによりＵＥによって取得された、少なくとも１個のキャリアであり、この少なくとも１個のキャリアは、ＵＥがＣＳＩ測定を実行するキャリアのうちの少なくとも１個であり、セカンダリキャリアは、予め定義された方式で、又は、上位レイヤシグナリングを構成することによりＵＥによって取得された、少なくとも１個のキャリアであり、この少なくとも１個のキャリアは、ＵＥがＣＳＩ測定を実行するキャリアのうちの少なくとも１個である。
【０１０２】
上記３つの方式は、図７に示されるように、どんな組み合わせで使用されてもよいことに注意すべきである。図７は、基地局が本発明に係る起動されたキャリアセットをＵＥに通知する方式について説明する実施形態の概略図である。図７では、ＣＳＩ測定セットは、２個のキャリア、それぞれＣＣ１及びＣＣ２を含み、ＣＣ１は、予め定義された、又は上位レイヤシグナリングを使用することにより構成されたプライマリキャリアであり、ＣＣ２は、セカンダリキャリアである。図７では、水平軸がサブフレーム番号を表現し、サブフレーム０、４、５、及び９は、起動されたキャリアセットを第１の方式で通知し、すなわち、基地局は、予め定義された方式で、又は上位レイヤシグナリングを使用することにより、サブフレーム０、４、５、及び９における起動されたキャリアセットがプライマリキャリア（ＣＣ１）であることをＵＥに通知し、サブフレーム１、２、３、及び７は、起動されたキャリアセットを第２の方式で通知し、すなわち、基地局は、１個のサブフレームの後に起動されたキャリアをＵＥに通知するために、起動されたキャリアを使用することにより、動的シグナリングをＵＥに送信し、サブフレーム６及び８は、起動されたキャリアセットを第３の方式で通知し、すなわち、基地局が準静的シグナリング又は動的シグナリングを使用することによって１個のサブフレームの起動されたキャリアセットをＵＥに通知しないとき、プライマリキャリア（ＣＣ１）は、このサブフレームの起動されたキャリアセットである。図７において、陰影付きボックスは、起動されたキャリアを表現し、陰影なしボックスは、仮想キャリアを表現する。
【０１０３】
本発明の実施形態では、基地局は、上記３つの方式の１つ又は組み合わせで、起動されたキャリアセットをＵＥに通知し、このことは、一つだけ又は少数のキャリア上でのデータ処理能力を維持可能なＵＥが複数のキャリアからキャリアを動的に選択することを可能としてもよく、それによって、ＵＥのスループットを増加させ、ネットワークスループットを最適化する。
【０１０４】
さらに、本発明の実施形態では、基地局が、準静的シグナリング又は動的シグナリングを使用することにより、起動されたキャリアセットをＵＥに通知した後、基地局は、起動されたキャリアセット内の起動されたキャリア上でダウンリンク制御情報を送信し、ダウンリンク制御情報に従って、起動されたキャリア上でＰＤＳＣＨを送信してもよく、及び／又は起動されたキャリアセット内の起動されたキャリアがＮ個のサブフレームの後にある起動されたキャリアであり、動的シグナリングを使用することにより基地局によって通知される場合、基地局は、起動されたキャリアであって、その上で動的シグナリングが送信される、起動されたキャリア上でダウンリンク制御情報を送信し、ダウンリンク制御情報に従って、動的シグナリングにより示されるＮ個のフレーム後の起動されたキャリア上でＰＤＣＣＨ又はｅＰＤＣＣＨ又はＰＤＳＣＨを送信することができる。
【０１０５】
上記２つの方式は、図８に表されるように、組み合わせて使用されてもよいことに注意すべきである。図８は、本発明に係る基地局によるＰＤＣＣＨ又はｅＰＤＣＣＨ又はＰＤＳＣＨの送信について説明する実施形態の概略図である。図８では、ＣＳＩ測定セットは、２個のキャリア、それぞれＣＣ１及びＣＣ２を含み、ＣＣ１は、予め定義されるか、又は上位レイヤシグナリングを使用することにより構成されたプライマリキャリアであり、ＣＣ２は、セカンダリキャリアである。時点Ｔ１での起動されたキャリアは、ＣＣ１であり、時点Ｔ２での起動されたキャリアは、ＣＣ１であり、時点Ｔ３での起動されたキャリアは、ＣＣ１である。基地局は、時点Ｔ１にＣＣ１上でＰＤＣＣＨ１を送信し、ＰＤＣＣＨ１に従って時点Ｔ１にＣＣ１上でＰＤＳＣＨを送信し、基地局は、時点Ｔ１にＣＣ１上でＰＤＣＣＨ２を送信し、ＰＤＣＣＨ２に従って時点Ｔ２にＣＣ２上でＰＤＣＣＨ２及びＰＤＳＣＨを送信し、基地局は、時点Ｔ２にＣＣ２上でＰＤＣＣＨ２を送信し、ＰＤＣＣＨ２に従って時点Ｔ３にＣＣ１上でＰＤＳＣＨを送信する。図８では、
[外１]
2015523023.tif 000025
は、ＰＤＣＣＨ１を表現し、
[外２]
2015523023.tif 000026
は、ＰＤＣＣＨ２を表現し、
[外３]
2015523023.tif 000027
は、ＰＤＳＣＨを表現する。
【０１０６】
本発明の実施形態では、基地局が、準静的シグナリング又は動的シグナリングを使用することによって、起動されたキャリアセットをＵＥに通知した後に、起動されたキャリアセットが少なくとも１個のサブフレームにおける起動されたキャリアであり、予め定義された方式で、又は上位レイヤシグナリングを使用することにより基地局によってＵＥに通知される場合、基地局は、少なくとも１個のサブフレームにおける起動されたキャリア上で物理報知チャネル、同期チャネル、及びページングチャネルのうちの１つ又は組み合わせを送信する。
【０１０７】
さらに、基地局が、準静的シグナリング又は動的シグナリングを使用することによって、起動されたキャリアセットをＵＥに通知した後、基地局は、予め定義された方式で、又は、準静的シグナリングもしくは動的シグナリングを使用することにより仮想起動されたキャリアセットをＵＥに通知してもよく、ＵＥは、ＰＤＣＣＨ、ｅＰＤＣＣＨ、及びＰＤＳＣＨを受信するのではなく、仮想起動されたキャリアセット内の仮想起動されたキャリア上でチャネル状態情報を測定する。基地局が、予め定義された方式で、又は、準静的シグナリングもしくは動的シグナリングにより仮想起動されたキャリアセットをＵＥに通知する方式は、基地局が準静的シグナリングもしくは動的シグナリングを使用することにより起動されたキャリアセットをＵＥに通知する方式と同じであるので、ここではこれ以上説明しない。また、仮想起動されたキャリアセットは、ＣＳＩ測定における起動されたキャリア以外のキャリアのセットであってもよい。
【０１０８】
さらに、基地局が準静的シグナリング又は動的シグナリングを使用することにより起動されたキャリアセットをＵＥに通知した後、起動されたキャリアセット内の起動されたキャリア上で基地局によって送信された物理報知チャネルは、プライマリキャリア上の物理報知チャネルと同じであり、又はＣＳＩ測定セット内の複数のキャリア上で基地局により送信される複数の物理報知チャネルは、同じである。
【０１０９】
図９は、本発明に係る仮想キャリア・アグリゲーション方法の別の実施形態のフローチャートである。図９に示されるように、仮想キャリア・アグリゲーション方法は、以下を含んでもよい：
【０１１０】
ステップ９０１：ＵＥは、測定能力表示情報と、データ通信を受信する能力を示す表示情報とを基地局に通知する。
【０１１１】
ステップ９０２：ＵＥは、基地局によって通知された測定セットを受信し、測定セットは、測定能力表示情報に従って、ＵＥに対して、基地局によって選択される。
【０１１２】
データ通信を受信する能力を示す表示情報は、ＵＥがデータ通信の同時受信を行うキャリアの情報を含み、そして測定能力表示情報は、ＣＳＩを測定するためのＵＥの能力を示す表示情報、及び／又はＲＳＲＰを測定するＵＥの能力を示す表示情報を含む。
【０１１３】
本実施形態では、測定能力表示情報がＣＳＩを測定するためのＵＥの能力を示す表示情報である場合、ＵＥがＣＳＩ測定を行うキャリアの個数は、ＵＥが同時ＣＳＩ測定を行うキャリアの個数より多くなる、及び／又はＵＥが同時ＣＳＩ測定を行うキャリアの個数は、ＵＥがデータ通信の同時受信を行うキャリアの個数より多くなる。
【０１１４】
本実施形態において、測定能力表示情報がＣＳＩを測定するためのＵＥの能力を示す表示情報である場合、ＵＥによって、測定能力表示情報を基地局に通知することは、以下の通りであってもよい：ＵＥは、ＣＳＩを測定するためのＵＥの能力を予め定義するＵＥのタイプを基地局に通知する、又はＵＥは、ＣＳＩを測定するためのＵＥの能力を基地局に直接的に通知する。本実施形態では、ＵＥがＣＳＩを測定するためのＵＥの能力を示す表示情報を基地局に通知する方式に関する詳細について、本発明の図２に表された実施形態における説明を参照してもよく、ここではこれ以上説明しない。
【０１１５】
ＣＳＩを測定するためのＵＥの能力は、ＵＥがＣＳＩ測定を行うキャリアの個数、及び／又はＵＥが同時ＣＳＩ測定を行うキャリアの個数を含む、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行う各キャリア上で実行されるＣＳＩ測定の回数；のうちの１つ又は全て、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を実行する全てのキャリア上でＵＥによって実行されるＣＳＩ測定の総量；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を実行する各キャリア上でＵＥによって実行されるＣＳＩ測定の回数；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を実行する全てのキャリア上でＵＥにより実行されるＣＳＩ測定の総量；のうちの１つ又は全て。
【０１１６】
代替的に、ＣＳＩを測定するためのＵＥの能力は、ＵＥがＣＳＩ測定を行うキャリアの個数、及び／又はＵＥが同時ＣＳＩ測定を行うキャリアの個数を含んでもよく、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行う各キャリア上で実行されるＣＳＩ測定の回数；のうちの１つ又は全て、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行うすべてのキャリア上で実行されるＣＳＩ測定の総量；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を行う各キャリア上で実行されるＣＳＩ測定の回数；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を行う全てのキャリア上で実行されるＣＳＩ測定の総量；のうちの１つ又は全て。
【０１１７】
本実施形態では、測定能力表示情報がＣＳＩを測定するためのＵＥの能力を示す表示情報である場合、測定セットは、ＣＳＩ測定セットであり、ＣＳＩ測定セットは、ＵＥがＣＳＩ測定を実行するキャリアのセットを含む、或いはＣＳＩ測定セットは、ＵＥがＣＳＩ測定を実行するキャリアのセットと、ＵＥがＣＳＩ測定を実行する各キャリア上でＣＳＩ測定を実行するために使用されたリファレンス信号の情報とを含む。このように、ステップ９０２の後、ＵＥは、ＣＳＩ測定セット内のキャリアに関するチャネル状態情報を基地局にさらに通知してもよい。
【０１１８】
ＣＳＩ測定セットにおいて、ＵＥがＣＳＩを測定する各キャリア上でＣＳＩ測定を実行するために使用されるリファレンス信号は、独立した方式で、又は組み合わされた方式で構成されてもよい。ＣＳＩ測定を実行するために使用されるリファレンス信号は、ＣＳＩ−ＲＳ及びＣＲＳを含んでもよい。
【０１１９】
本実施形態では、測定能力表示情報がＲＳＲＰを測定するＵＥの能力を示す表示情報である場合、ＲＳＲＰを測定するＵＥの能力は、ＵＥがＣＳＩ−ＲＳ受信電力の測定を行うか否かを含み、さらに、ＵＥがＣＳＩ−ＲＳ受信電力の測定を行うとき、ＲＳＲＰを測定するＵＥの能力は、ＵＥがＲＳＲＰ測定を行うキャリアの個数をさらに含む、又はＲＳＲＰを測定するＵＥの能力は、ＵＥがＲＳＲＰ測定を行うキャリアの個数と、ユーザ装置がＣＳＩ−ＲＳ受信電力の測定を行う各キャリア上でのＲＳＲＰ測定のためのリファレンス信号リソースの個数、ＵＥがＣＳＩ−ＲＳ受信電力の測定を行う各キャリア上のＲＳＲＰ測定のためのポートの個数、及びＵＥがＣＳＩ−ＲＳ受信電力の測定を実行する各キャリア上で測定されるＲＳＲＰの個数のうちの１つもしくは組み合わせと、をさらに含む、又はＲＳＲＰを測定するＵＥの能力は、ＵＥがＲＳＲＰ測定を行うキャリアの個数と、リファレンス信号リソースの総数及びＵＥがＣＳＩ−ＲＳ受信電力の測定を行うすべてのキャリア上で実行されるＲＳＲＰ測定のためのポートの総数と、ＵＥがＣＳＩ−ＲＳ受信電力の測定を実行するすべてのキャリア上で測定されるＲＳＲＰの総数とのうちの１つもしくは組み合わせと、をさらに含む。
【０１２０】
本実施形態では、測定能力表示情報がＲＳＲＰを測定するＵＥの能力を示す表示情報である場合、測定セットは、リソース管理セットであり、リソース管理セットは、ＵＥがＲＳＲＰ測定を実行するキャリアのセットと、ＵＥがＲＳＲＰ測定を実行する各キャリア上でＲＳＲＰ測定を実行するために使用されるリファレンス信号とを含む。このように、ステップ９０２の後に、ＵＥは、リソース管理セット内のキャリアに関してＲＳＲＰを基地局にさらに通知してもよい。
【０１２１】
リソース管理セットにおいて、ＵＥがＲＳＲＰ測定を実行する各キャリア上でＲＳＲＰ測定を実行するために使用されるリファレンス信号は、独立した方式で、又は組み合わされた方式で構成されてもよい。ＲＳＲＰ測定を実行するために使用されるリファレンス信号は、ＣＳＩ−ＲＳ又はＣＲＳを含み、ＲＳＲＰは、ＣＳＩ−ＲＳに基づくＲＳＲＰと、ＣＲＳに基づくＲＳＲＰとを含む。
【０１２２】
本実施形態では、測定能力表示情報がＲＳＲＰを測定するＵＥの能力を示す表示情報である場合、ステップ９０２の後に、ＵＥは、準静的シグナリング又は動的シグナリングを使用することにより、ＵＥによって通知されたＣＳＩ測定セットをさらに取得してもよく、ＣＳＩ測定セットは、ＵＥに対して、基地局によって選択される。
【０１２３】
リソース管理セットは、ＣＳＩ測定セットを含んでもよい；或いはリソース管理セット及びＣＳＩ測定セットは、共通集合を持つが、包摂関係を持たない；或いはリソース管理セット及びＣＳＩ測定セットは、共通集合を持たない。
【０１２４】
本実施形態では、ＵＥがＣＳＩ測定セットを取得した後に、ＵＥは、準静的シグナリングもしくは動的シグナリングを使用することにより基地局によって通知された起動されたキャリアセットをさらに取得してもよく、起動されたキャリアセットは、ＵＥに対して、ＣＳＩ測定セットから基地局により選択され、起動されたキャリアセット内のキャリアの個数は、ＵＥがデータ通信の同時受信を行うキャリアの個数以下である。
【０１２５】
具体的には、ＵＥは、以下の方式で準静的シグナリング又は動的シグナリングにより基地局によって通知された起動されたキャリアセットを取得する。
【０１２６】
方式１：ＵＥは、少なくとも１個のサブフレーム内にあり、かつ、予め定義された方式もしくは上位レイヤシグナリングを使用することにより基地局により通知された起動されたキャリアセットを取得する。ここで、当該少なくとも１個のサブフレームは、予め定義されてもよく、或いは上位レイヤシグナリングを使用することにより構成されてもよく、そして起動されたキャリアセット内の起動されたキャリアは、予め定義されるか、又は上位レイヤシグナリングを使用することにより構成される。そして起動されたキャリアセット内の起動されたキャリアが予め定義されている場合、起動されたキャリアは、プライマリキャリアもしくはセカンダリキャリアとして予め定義されている。
【０１２７】
方式２：ＵＥは、Ｎ個のサブフレームの後に、動的シグナリングを使用することによって基地局により通知された起動されたキャリアを取得し、起動されたキャリアは、プライマリキャリア及び／又はセカンダリキャリアを含み、動的シグナリングは、起動されたキャリアを使用することにより基地局によって送信され、動的シグナリングは、以下のとおり：ＰＤＣＣＨ又はｅＰＤＣＣＨ又はＰＤＳＣＨを介して基地局によって送信されたダウンリンク制御情報である、ということがある。
【０１２８】
方式３：基地局が準静的シグナリング又は動的シグナリングを使用することにより第１のフレームの起動されたキャリアセットをＵＥに通知しない場合、第１のサブフレームの起動されたキャリアセットは、プライマリキャリアであるか、又は第１のサブフレームの最も近くかつ前にある第２のサブフレーム内にあり、かつユーザ装置により認識されている、起動されたキャリアセットである。
【０１２９】
上記３つの方式は、独立に使用されることがあり、又は、組み合わせて使用されてもよい。
【０１３０】
本実施形態では、ＵＥは、上記３つの方式のうちの１つもしくは組み合わせで基地局によって通知された起動されたキャリアセットを取得する。これにより、１つだけ、又は少数のキャリア上でデータ処理能力を維持できるＵＥが、複数のキャリアからキャリアを動的に選択することを可能とすることができる。それによって、ＵＥのスループットを増大させ、ネットワークスループットを最適化する。
【０１３１】
プライマリキャリアは、上位レイヤシグナリングを構成することにより、又は予め定義された方式で、ＵＥによって取得される少なくとも１個のキャリアであり、当該少なくとも１個のキャリアは、ＵＥがＣＳＩ測定を実行するキャリアのうちの少なくとも１個である。
【０１３２】
セカンダリキャリアは、上位レイヤシグナリングを構成することにより、又は予め定義された方式で、ＵＥによって取得される少なくとも１個のキャリアであり、当該少なくとも１個のキャリアは、ＵＥがＣＳＩ測定を実行するキャリアのうちの少なくとも１個である。
【０１３３】
本実施形態では、準静的シグナリング又は動的シグナリングを使用することにより基地局によって通知された起動されたキャリアセットをＵＥが取得した後に、ＵＥは、起動されたキャリアセット内の起動されたキャリア上でダウンリンク制御情報を受信し、かつダウンリンク制御情報に従って、起動されたキャリア上でＰＤＳＣＨを受信し；及び／又は起動されたキャリアセット内の起動されたキャリアがＮ個のサブフレーム後の起動されたキャリアであり、かつ動的シグナリングを使用することにより基地局によって通知される場合、ＵＥは、起動されたキャリアであって、その上で動的シグナリングが送信される、起動されたキャリア上でダウンリンク制御情報を受信し、かつダウンリンク制御情報に従って、動的シグナリングにより示されるＮ個のフレーム後にある起動されたキャリア上でＰＤＣＣＨ又はｅＰＤＣＣＨ又はＰＤＳＣＨを受信する。
【０１３４】
本実施形態では、ＵＥが準静的シグナリングもしくは動的シグナリングを使用することにより基地局によって通知された起動されたキャリアセットを取得した後に、起動されたキャリアセットが少なくとも１個のサブフレーム内にあり、かつ、予め定義された方式で、もしくは、上位レイヤシグナリングを使用することにより基地局によってＵＥに通知された起動されたキャリアセットである場合、ＵＥは、少なくとも１個のサブフレーム内にある起動されたキャリア上で物理報知チャネル、同期チャネル、及びページングチャネルのうちの１つもしくは組み合わせを受信する。
【０１３５】
本実施形態では、準静的シグナリングもしくは動的シグナリングを使用することにより基地局によって通知された起動されたキャリアセットを取得した後、ＵＥは、起動されたキャリアセット内の起動されたキャリア上でチャネル状態情報を測定する。
【０１３６】
本実施形態では、ＵＥが準静的シグナリングもしくは動的シグナリングを使用することにより基地局によって通知された起動されたキャリアセットを取得した後に、ＵＥは、予め定義された方式で、又は準静的シグナリングもしくは動的シグナリングを使用することにより、基地局によって通知された仮想起動されたキャリアセットを取得し、ＵＥは、ＰＤＣＣＨ、ｅＰＤＣＣＨ、及びＰＤＳＣＨを受信するのではなく、仮想起動されたキャリアセット内の仮想起動されたキャリア上でチャネル状態情報を測定する。
【０１３７】
上記実施形態では、ＵＥは、測定能力表示情報と、データ通信を受信する能力を示す表示情報とを基地局に通知し、その後、基地局により通知された測定セットを受信する。ここで測定セットは、測定能力表示情報に従って、ＵＥに対して、基地局により選択される。ここで当該測定能力表示情報は、ＣＳＩを測定するためのＵＥの能力を示す表示情報、及び／又は、ＲＳＲＰを測定するＵＥの能力を示す表示情報を含む。その結果、基地局は、チャネル状態情報、及び／又はＵＥによって通知されたＲＳＲＰを受信し、ＵＥに対するＣＳＩ測定セットを選択し、そしてＣＳＩ測定セットから、ＵＥに対する起動されたキャリアセットを選択することができる。このように、基地局は、ＵＥに対する起動されたキャリアセットを柔軟に選択することができる。
【０１３８】
本発明の実施形態は、一例として、ＣＡ技術とＣｏＭＰ技術との組み合わせを使用するシステムを使用することにより、本発明によって提供される仮想キャリア・アグリゲーション方法について説明するが、本発明の実施形態は、このシステムに限定されない。本発明によって提供される仮想キャリア・アグリゲーション方法は、ＣＡ技術と別の技術との組み合わせを使用するシステムにおいてさらに適用されてもよい。
【０１３９】
本発明の実施形態におけるキャリアは、異なるネットワークノード（例えば、基地局）により送信されてもよく、或いは同じネットワークノードにより送信されてもよい、ということに注意すべきである。本発明の実施形態におけるキャリアは、キャリア、キャリアを使用するセル、又はキャリアを使用するセル内のネットワークノードであってもよい。
【０１４０】
当業者は、上記方法実施形態のステップの全部又は一部が関連するハードウェアに命令するプログラムによって実施されることを理解することができる。上記プログラムは、コンピュータ読み取り可能な記憶媒体に記憶されてもよい。プログラムが実行される場合、方法実施形態の上記ステップが実行される。上記記憶媒体は、ＲＯＭ、ＲＡＭ、磁気ディスク、又は光ディスクのようなプログラムコードを記憶する能力がある様々な媒体を含む。
【０１４１】
図１０は、本発明に係る基地局の実施形態の概略構成図である。本実施形態における基地局は、図１、図２又は図３に表された実施形態のプロセスを実施することができる。
【０１４２】
図１０に示されるように、基地局は、受信部１００１、プロセッサ１００２、及び送信部１００３を含んでもよい。
【０１４３】
受信部１００１は、ＵＥによって通知された測定能力表示情報及びデータ通信を受信する能力を示す表示情報を受信し、かつ測定能力表示情報をプロセッサ１００２に送信するように構成される。
【０１４４】
プロセッサ１００２は、受信部１００１から測定能力表示情報を受信し、測定能力表示情報に従ってＵＥに対する測定セットを選択し、かつ測定セットを送信部１００３に送信するように構成される。
【０１４５】
送信部１００３は、プロセッサ１００２から測定セットを取得し、かつ測定セットをＵＥに通知するように構成される。
【０１４６】
データ通信を受信する能力を示す表示情報は、ＵＥがデータ通信の同時受信を行うキャリアの情報を含み、そして測定能力表示情報は、ＣＳＩを測定するためのＵＥの能力を示す表示情報、及び／又はＲＳＲＰを測定するＵＥの能力を示す表示情報を含む。
【０１４７】
本実施形態では、測定能力表示情報がＣＳＩを測定するためのＵＥの能力を示す表示情報である場合、ＵＥがＣＳＩ測定を行うキャリアの個数は、ＵＥがデータ通信の同時受信を行うキャリアの個数より多くなる、及び／又はＵＥが同時ＣＳＩ測定を行うキャリアの個数は、ＵＥがデータ通信の同時受信を行うキャリアの個数より多くなる。
【０１４８】
本実施形態では、受信部１００１は、具体的には：測定能力表示情報がＣＳＩを測定するためのＵＥの能力を示す表示情報である場合、ＵＥにより通知されたＵＥのタイプを受信するように構成され、ＵＥのタイプは、ＣＳＩを測定するためのＵＥの能力を予め定義し；又は受信部１００１は、ＵＥにより直接的に通知されたＣＳＩを測定するためのＵＥの能力を受信してもよい。
【０１４９】
ＣＳＩを測定するためのＵＥの能力は：ＵＥがＣＳＩ測定を行うキャリアの個数、及び／又はＵＥが同時ＣＳＩ測定を行うキャリアの個数を含む；又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行う各キャリア上で実行されるＣＳＩ測定の回数；のうちの１つ又は全て、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を実行する全てのキャリア上でＵＥにより実行されるＣＳＩ測定の総量；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を実行する各キャリア上でＵＥにより実行されるＣＳＩ測定の回数；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を実行する全てのキャリア上でＵＥにより実行されるＣＳＩ測定の総量；のうちの１つ又は全て。
【０１５０】
代替的に、ＣＳＩを測定するためのＵＥの能力は：ＵＥがＣＳＩ測定を行うキャリアの個数、及び／又はＵＥが同時ＣＳＩ測定を行うキャリアの個数を含んでもよく、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行う各キャリア上で実行されるＣＳＩ測定の回数；のうちの１つ又は全て、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行う全てのキャリア上で実行されるＣＳＩ測定の総量；のうちの１つ又は全て、又は
ＣＳＩを測定するためのＵＥの能力は、以下通りであってもよい：ＵＥがＣＳＩ測定を行うキャリアの組み合わせ及びＵＥが同時ＣＳＩ測定を行うキャリアの組み合わせ；及びＵＥがＣＳＩ測定を行う各キャリア上で実行されるＣＳＩ測定の回数；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を行う全てのキャリア上で実行されるＣＳＩ測定の総量；のうちの１つ又は全て。
【０１５１】
さらに、受信部１００１は、測定能力表示情報がＣＳＩを測定するためのＵＥの能力を示す表示情報であり、かつ、測定セットがＣＳＩ測定セットである場合、送信部１００３がＣＳＩ測定セットをＵＥに通知した後に、ＣＳＩ測定セット内のキャリアに関し、ＵＥによって通知されたチャネル状態情報を受信するようにさらに構成される。ここで、ＣＳＩ測定セットは、ＵＥがＣＳＩ測定を実行するキャリアのセットを含む、或いはＣＳＩ測定セットは、ＵＥがＣＳＩ測定を実行するキャリアのセットと、ＵＥがＣＳＩ測定を実行する各キャリア上でＣＳＩ測定を実行するために使用されるリファレンス信号の情報と、を含む。
【０１５２】
ＣＳＩ測定セットにおいて、ＵＥがＣＳＩ測定を実行する各キャリア上でＣＳＩ測定を実行するために使用されるリファレンス信号は、独立した方式で、又は組み合わされた方式で構成されてもよい。ＣＳＩ測定を実行するために使用されるリファレンス信号は、ＣＳＩ−ＲＳ及びＣＲＳを含んでもよい。
【０１５３】
本実施形態では、測定能力表示情報がＲＳＲＰを測定するＵＥの能力を示す表示情報である場合、ＲＳＲＰを測定するためのＵＥの能力は、ＵＥがＣＳＩ−ＲＳ受信電力の測定を行うか否かを含み；さらに、ＵＥがＣＳＩ−ＲＳ受信電力の測定を行う場合、ＲＳＲＰを測定するＵＥの能力は、ＵＥがＲＳＲＰ測定を行うキャリアの個数をさらに含み；又はＲＳＲＰを測定するＵＥの能力は、ＵＥがＲＳＲＰ測定を行うキャリアの個数及びユーザ装置がＣＳＩ−ＲＳ受信電力の測定を行う各キャリア上のＲＳＲＰ測定のためのリファレンス信号リソースの個数、ＵＥがＣＳＩ−ＲＳ受信電力の測定を行う各キャリア上のＲＳＲＰ測定のためのポートの個数、及びＵＥがＣＳＩ−ＲＳ受信電力の測定を実行する各キャリア上で測定されるＲＳＲＰの個数、のうちの１つ又はそれらの組み合わせと、をさらに含み；又はＲＳＲＰを測定するＵＥの能力は、ＵＥがＲＳＲＰ測定を行うキャリアの個数、及びリファレンス信号リソースの総数及びＵＥがＣＳＩ−ＲＳ受信電力の測定を行う全てのキャリア上でのＲＳＲＰ測定のためのポートの総数、及びＵＥがＣＳＩ−ＲＳ受信電力の測定を実行する全てのキャリア上で測定されるＲＳＲＰの総数、のうちの１つもしくは組み合わせと、をさらに含む。
【０１５４】
受信部１００１は、測定能力表示情報がＲＳＲＰを測定するＵＥの能力を示す表示情報であり、かつ、測定セットがリソース管理セットである場合、送信部１００３がＣＳＩ測定セットをＵＥに通知した後に、リソース管理セット内のキャリアに関し、ＵＥによって通知されたＲＳＲＰを受信するようにさらに構成され、リソース管理セットは、ＵＥがＲＳＲＰ測定を実行するキャリアのセットと、ＵＥがＲＳＲＰ測定を実行する各キャリア上でＲＳＲＰ測定を実行するために使用されるリファレンス信号とを含む。
【０１５５】
上記リソース管理セットでは、ＵＥがＲＳＲＰ測定を実行する各キャリア上でＲＳＲＰ測定を実行するために使用されるリファレンス信号は、独立した方式で、又は組み合わされた方式で構成されてもよい。ＲＳＲＰを実行するために使用されるリファレンス信号は、ＣＳＩ−ＲＳ又はＣＲＳを含み；そしてＲＳＲＰは、ＣＳＩ−ＲＳに基づくＲＳＲＰとＣＲＳに基づくＲＳＲＰとを含む。
【０１５６】
さらに、プロセッサ１００２は、送信部１００３がリソース管理セットをＵＥに通知した後に、ＵＥに対するＣＳＩ測定セットを選択し、ＣＳＩ測定セットを送信部１００３に送信するようにさらに構成される。この場合、送信部１００３は、プロセッサ１００２からＣＳＩ測定セットを取得し、かつ準静的シグナリング又は動的シグナリングを使用することによりＣＳＩ測定セットをＵＥに通知するようにさらに構成される。
【０１５７】
リソース管理セットは、ＣＳＩ測定セットを含んでもよい；或いはリソース管理セット及びリソース管理セット及びＣＳＩ管理セットは、共通集合を持つが、包含関係を持たない；或いはリソース管理セットとＣＳＩ管理セットとは、共通集合を持たない。
【０１５８】
さらに、プロセッサ１００２は、送信部１００３がＣＳＩ管理セットをＵＥに通知した後に、ＣＳＩ管理セットから、ＵＥに対する、起動されたキャリアセットを選択し、そして起動されたキャリアセットを送信部１００３に送信するようにさらに構成され、起動されたキャリアセット内のキャリアの個数は、ＵＥがデータ通信の同時受信を行うキャリアの個数以下である。この場合、送信部１００３は、プロセッサ１００２から起動されたキャリアセットを取得し、かつ準静的シグナリング又は動的シグナリングを使用することにより起動されたキャリアセットをＵＥに通知するようにさらに構成される。
【０１５９】
具体的には、送信部１００３は、予め定義された方式で、又は上位レイヤシグナリングを使用することにより、少なくとも１個のサブフレーム内の起動されたキャリアセットをＵＥに通知するように具体的に構成され、少なくとも１個のサブフレームは、予め定義され、又は上位レイヤシグナリングを使用することにより構成され、起動されたキャリアセット内の起動されたキャリアは、予め定義され、又は上位レイヤシグナリングを使用することにより構成され；そして起動されたキャリアセット内の起動されたキャリアが予め定義される場合、起動されたキャリアは、プライマリキャリア又はセカンダリキャリアとして予め定義され；及び／又は
送信部１００３は、起動されたキャリアを使用することにより動的シグナリングをＵＥに送信し、Ｎ個のサブフレームの後に、起動されたキャリアをＵＥに通知するように具体的に構成され、起動されたキャリアは、プライマリキャリア及び／又はセカンダリキャリアを含み、そして動的シグナリングは、起動されたキャリアを使用することにより基地局によって送信される。動的シグナリングは、以下の通りであってもよい：ＰＤＣＣＨもしくはｅＰＤＤＣＨもしくはＰＤＳＣＨを介して基地局によって送信されるダウンリンク制御情報；及び／又は、送信部１００３が準静的シグナリング又は動的シグナリングを使用することにより第１のサブフレームの起動されたキャリアセットをＵＥに通知する場合、第１のサブフレームの起動されたキャリアセットは、プライマリキャリア、又は第１のサブフレームに最も近くかつ前にある第２のサブフレーム内にあり、ユーザ装置により認識されている起動されたキャリアセットである。
【０１６０】
本実施形態では、送信部１００３は、上記３つの方式のうちの１つもしくは組み合わせで起動されたキャリアセットをＵＥに通知し、このことは、１つだけ又は少数のキャリア上でデータ処理能力を維持できるＵＥが、複数のキャリアからキャリアを動的に選択することを可能としてもよく、それによって、ＵＥのスループットを増大させ、ネットワークスループットを最適化する。
【０１６１】
プライマリキャリアは、上位レイヤシグナリングを構成することにより又は予め定義された方式で、ＵＥにより取得される少なくとも１個のキャリアであり、少なくとも１個のキャリアは、ＵＥがＣＳＩ測定を実行するキャリアのうちの少なくとも１個である。
【０１６２】
セカンダリキャリアは、上位レイヤシグナリングを構成することにより又は予め定義された方式で、ＵＥにより取得される少なくとも１個のキャリアであり、少なくとも１個のキャリアは、ＵＥがＣＳＩ測定を実行するキャリアのうちの少なくとも１個である。
【０１６３】
さらに、送信部１００３は、起動されたキャリアセットをＵＥに通知した後に、起動されたキャリアセット内の起動されたキャリア上でダウンリンク制御情報を送信し、かつダウンリンク制御情報に従って起動されたキャリア上でＰＤＳＣＨを送信するようにさらに構成され；及び／又は
送信部１００３は、起動されたキャリアセットをＵＥに通知した後に、起動されたキャリアセット内の起動されたキャリアがＮ個のサブフレームの後にあり、かつ動的シグナリングを使用することにより送信部１００３によって通知された起動されたキャリアである場合、起動されたキャリアであって、その上で動的シグナリングが送信される、起動されたキャリア上でダウンリンク制御情報を送信し、ダウンリンク制御情報に従って、動的シグナリングによって指示されたＮ個のサブフレームの後の起動されたキャリア上でＰＤＣＣＨ、又は、ｅＰＤＣＣＨ、又はＰＤＳＣＨを送信するようにさらに構成される。
【０１６４】
さらに、送信部１００３は、起動されたキャリアセットをＵＥに通知した後に、起動されたキャリアセットが少なくとも１個のサブフレーム内にあり、予め定義された方式で、又は上位レイヤシグナリングを使用することにより、送信部１００３によってＵＥに通知された起動されたキャリアセットである場合、少なくとも１個のサブフレーム内の起動されたキャリア上で物理報知チャネル、同期チャネル、及び、ページングチャネルのうちの１つ又はそれらの組み合わせを送信するようにさらに構成される。
【０１６５】
さらに、送信部１００３は、起動されたキャリアセットをＵＥに通知した後に、予め定義された方式で、又は準静的シグナリング又は動的シグナリングを使用することにより、仮想起動されたキャリアセットをＵＥに通知するようにさらに構成されるので、ＵＥは、ＰＤＣＣＨ、ｅＰＤＣＣＨ、及びＰＤＳＣＨを受信するのではなく、仮想起動されたキャリアセット内の仮想起動されたキャリア上でチャネル状態情報を測定する。送信部１００３が予め定義された方式で、又は準静的シグナリング又は動的シグナリングを使用することにより、仮想起動されたキャリアセットをＵＥに通知する方式は、送信部１００３が準静的シグナリング又は動的シグナリングを使用することにより起動されたキャリアセットをＵＥに通知する方式と同じであり、このことはここではこれ以上説明しない。また、仮想起動されたキャリアセットは、ＣＳＩ測定における起動されたキャリア以外のキャリアのセットであってもよい。
【０１６６】
さらに、送信部１００３が起動されたキャリアセットをＵＥに通知した後に、起動されたキャリアセット内の起動されたキャリア上で送信部１００３により送信される物理報知チャネルは、プライマリキャリア上の物理報知チャネルと同じである；又はＣＳＩ測定セット内の複数のキャリア上で送信部１００３により送信される複数の物理報知チャネルは、同じである。
【０１６７】
基地局において、受信部１００１は、ＵＥにより通知された、測定能力表示情報とデータ通信を受信する能力を示す表示情報とを受信し、プロセッサ１００２は、測定能力表示情報に従って測定セットを選択し、送信部１００３は、選択された測定セットをＵＥに通知する。ここで、測定能力表示情報は、ＣＳＩを測定するためのＵＥの能力を示す表示情報、及び／又はＲＳＲＰを測定するＵＥの能力を示す表示情報を含む。その結果、受信部１００１は、チャネル状態情報、及び／又はＵＥによって通知されたＲＳＲＰを受信することが可能となり；プロセッサ１００２は、ＵＥに対するＣＳＩ測定セットを選択し、そして、ＵＥに対して、ＣＳＩ測定セットから起動されたキャリアを選択する。このように、基地局は、ＵＥに対する起動されたキャリアを柔軟に選択することができる。
【０１６８】
図１１は、本発明に係るユーザ装置の実施形態の概略構成図である。本実施形態におけるユーザ装置は、図９に表された実施形態のプロセスを実施することができる。図１１に表されるように、ユーザ装置は、送信部１１０１と受信部１１０２とを含んでもよい。
【０１６９】
送信部１０１１は、測定能力表示情報と、データ通信を受信する能力を示す表示情報とを基地局に通知するように構成される。
【０１７０】
受信部１１０２は、基地局によって通知された測定セットを受信するように構成され、測定セットは、測定能力表示情報に従って、ＵＥに対して、基地局によって選択される。
【０１７１】
データ通信を受信する能力を示す表示情報は、ＵＥがデータ通信の同時受信を行うキャリアの情報を含み、そして測定能力表示情報は、ＣＳＩを測定するためのＵＥの能力を示す表示情報、及び／又はＲＳＲＰを測定するＵＥの能力を示す表示情報を含む。
【０１７２】
本実施形態において、測定能力表示情報がＣＳＩを測定するためのＵＥの能力を示す表示情報である場合、ＵＥがＣＳＩ測定を行うキャリアの個数は、ＵＥがデータ通信の同時受信を行うキャリアの個数より多くなる、及び／又はＵＥが同時ＣＳＩ測定を行うキャリアの個数は、ＵＥがデータ通信の同時受信を行うキャリアの個数より多くなる。
【０１７３】
本実施形態において、送信部１１０１は、測定能力表示情報がＣＳＩを測定するためのＵＥの能力を示す表示情報である場合、ＵＥのタイプを基地局に通知するように具体的に構成され、ＵＥのタイプは、ＣＳＩを測定するためのＵＥの能力を予め定める；或いは送信部１１０１は、ＣＳＩを測定するためのＵＥの能力を直接的に基地局に通知してもよい。
【０１７４】
ＣＳＩを測定するためのＵＥの能力は：ＵＥがＣＳＩ測定を行うキャリアの個数、及び／又はＵＥが同時ＣＳＩ測定を行うキャリアの個数を含む；又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行う各キャリアで実行されるＣＳＩ測定の回数；のうちの１つ又は全て、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を実行する全てのキャリアでＵＥによって実行されるＣＳＩ測定の総量；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＩＳ測定を行う各キャリア上でＵＥによって実行されるＣＳＩ測定の回数；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を実行する全てのキャリア上でＵＥにより実行されるＣＳＩ測定の総量；のうちの１つ又は全て。
【０１７５】
代替的に、ＣＳＩを測定するためのＵＥの能力は、ＵＥがＣＳＩ測定を行うキャリアの個数、及び／又はＵＥが同時ＣＳＩ測定を行うキャリアの個数を含んでもよく、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行う各キャリア上で実行されるＣＳＩ測定の回数；のうちの１つ又は全て、又は
ＣＳＩを測定するためのＵＥの能力は、以下の通りであってもよい：ＵＥがＣＳＩ測定を行うキャリアの個数及びＵＥが同時ＣＳＩ測定を行うキャリアの個数；及びＵＥがＣＳＩ測定を行う全てのキャリア上で実行されるＣＳＩ測定の総量；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を行う各キャリア上で実行されるＣＳＩ測定の回数；のうちの１つ又は全て、又は
ＣＳＩを測定するためのＵＥの能力は、以下の通りであってもよい：ＵＥがＣＳＩ測定を行うキャリアの組み合わせ及びＵＥが同時ＣＳＩ測定を行うキャリアの組み合わせ；及びＵＥがＣＳＩ測定を行う全てのキャリア上で実行されるＣＳＩ測定の総量；のうちの１つ又は全て。
【０１７６】
本実施形態において、さらに、送信部１１０１は：測定能力表示情報がＣＳＩを測定するためのＵＥの能力を示す表示情報であり、かつ測定セットがＣＳＩ測定セットである場合、受信部１１０２が基地局によって通知されたＣＳＩ測定セットを受信した後に、ＣＳＩ測定セット内のキャリアに関するチャネル状態情報を基地局に通知するさらに構成され、ＣＳＩ測定セットは、ＵＥがＣＳＩ測定を実行するキャリアのセットを含む、又はＣＳＩ測定セットは、ＵＥがＣＳＩ測定を実行するキャリアのセット及びＵＥがＣＳＩ測定を実行する各キャリア上でＣＳＩ測定を実行するために使用されるリファレンス信号の情報、を含む。
【０１７７】
ＣＳＩ測定セットにおいて、ＵＥがＣＳＩ測定を実行する各キャリア上でＣＳＩ測定を実行するために使用されるリファレンス信号は、独立した方式で、又は組み合わされた方式で、構成されてもよい。ＣＳＩ測定を実行するために使用されたリファレンス信号は、ＣＳＩ−ＲＳ及びＣＲＳを含んでもよい。
【０１７８】
さらに、測定能力表示情報がＲＳＲＰを測定するＵＥの能力を示す表示情報である場合、ＲＳＲＰを測定するＵＥの能力は、ＵＥがＣＳＩ−ＲＳ受信電力の測定を行うか否かを含み、ＵＥがＣＳＩ−ＲＳ受信電力の測定を行うとき、ＲＳＲＰを測定するＵＥの能力は、ＵＥがＲＳＲＰ測定を行うキャリアの個数をさらに含む；或いはＲＳＲＰを測定するＵＥの能力は、ＵＥがＲＳＲＰ測定を行うキャリアの個数と、ユーザ装置がＣＳＩ−ＲＳ受信電力の測定を行う各キャリア上でのＲＳＲＰ測定に対するリファレンス信号の個数、ＵＥがＣＳＩ−ＲＳ受信電力の測定を行う各キャリア上のＲＳＲＰ測定のためのポートの個数、及び、ＵＥがＣＳＩ−ＲＳ受信電力の測定を実行する各キャリア上で測定されたＲＳＲＰの個数のうちの１つもしくは組み合わせと、をさらに含む；或いはＲＳＲＰを測定するＵＥの能力は、ＵＥがＲＳＲＰ測定を行うキャリアの個数と、リファレンス信号の総数、ＵＥがＣＳＩ−ＲＳ受信電力の測定を行うすべてのキャリア上でのＲＳＲＰ測定のためのポートの総数、及びＵＥがＣＳＩ−ＲＳ受信電力の測定を実行するすべてのキャリア上で測定されたＲＳＲＰの総数のうちの１つもしくは組み合わせと、をさらに含む。
【０１７９】
送信部１１０１は：測定能力表示情報がＲＳＲＰを測定するＵＥの能力を示す表示情報であり、かつ測定セットがリソース管理セットである場合、受信部１１１０２が基地局によって通知されたリソース管理セットを受信した後に、リソース管理セット内のキャリアに関するＲＳＲＰを基地局に通知するようにさらに構成され、リソース管理セットは、ＵＥがＲＳＲＰ測定を実行するキャリアのセットと、ＵＥがＲＳＲＰ測定を実行する各キャリア上でＲＳＲＰを実行するために使用されるリファレンス信号とを含む。
【０１８０】
リソース管理セットにおいて、ＵＥがＲＳＲＰ測定を実行する各キャリア上でＲＳＲＰ測定を実行するために使用されるリファレンス信号は、独立した方式で、又は組み合わされた方式で、構成されてもよい。ＲＳＲＰ測定を実行するために使用されるリファレンス信号は、ＣＳＩ−ＲＳもしくはＣＲＳを含み、ＲＳＲＰは、ＣＳＩ−ＲＳに基づくＲＳＲＰとＣＲＳに基づくＲＳＲＰとを含む。
【０１８１】
さらに、受信部１１０２は、受信部１１０２が基地局によって通知されたリソース管理セットを受信した後に、準静的シグナリング又は動的シグナリングを使用することにより基地局によって通知されたＣＳＩ測定セットを受信するようにさらに構成され、ＣＳＩ測定セットは、ＵＥに対して、基地局によって選択される。
【０１８２】
リソース管理セットは、ＣＳＩ測定セットを含んでもよい；又はリソース管理セット及びリソース管理セットとＣＳＩ測定セットとは、共通集合を持つが、包含関係を持たない；又はリソース管理セットとＣＳＩ測定セットとは、共通集合を持たない。
【０１８３】
さらに、受信部１１０２は、ＣＳＩ測定セットを受信した後に、準静的シグナリング又は動的シグナリングを使用することにより基地局によって通知された起動されたキャリアセットを取得するようにさらに構成され、起動されたキャリアセットは、ＵＥに対して、基地局によりＣＳＩ測定セットから選択される。起動されたキャリアセット内のキャリアの個数は、ＵＥがデータ通信の同時受信を行うキャリアの個数以下である。
【０１８４】
具体的には、受信部１１０２は、以下の方式で準静的シグナリング又は動的シグナリングを使用することにより基地局によって通知された起動されたキャリアセットを取得してもよい。
【０１８５】
方式１：受信部１１０２は、少なくとも１個のサブフレーム内にあり、かつ予め定義された方式で、又は上位レイヤシグナリングを使用することにより、基地局によって通知された起動されたキャリアセットを取得する。ここで、当該少なくとも１個のサブフレームは、予め定義されてもよく、又は上位レイヤシグナリングを使用することにより構成されてもよく、そして起動されたキャリアセット内の起動されたキャリアは、予め定義され、又は上位レイヤシグナリングを使用することにより構成され；そして起動されたキャリアセット内の起動されたキャリアが予め定義される場合、起動されたキャリアは、プライマリキャリア又はセカンダリキャリアとして予め定義される。
【０１８６】
方式２：受信部１１０２は、Ｎ個のサブフレームの後にあり、かつ動的シグナリングを使用することにより基地局によって通知された起動されたキャリアを取得する。ここで、当該起動されたキャリアは、プライマリキャリア及び／又はセカンダリキャリアを含み；そして動的シグナリングは、起動されたキャリアを使用することにより基地局によって送信され、動的シグナリングは、以下の通りであってもよい：ＰＤＣＣＨ又はｅＰＤＣＣＨ又はＰＤＳＣＨを介して基地局により送信されるダウンリンク制御情報。
【０１８７】
方式３：基地局が準静的シグナリング又は動的シグナリングを使用することにより第１のフレームの起動されたキャリアセットをＵＥに通知しない場合、第１のサブフレームの起動されたキャリアセットは、プライマリキャリアであるか、又は第１のサブフレームに最も接近しかつ前にあるサブフレーム内にあり、かつユーザ装置に認識されている起動されたキャリアセットである。
【０１８８】
上記３つの方式は、独立に使用され、又は組み合わせて使用されてもよい。
【０１８９】
本実施形態では、受信部１１０２は、上記３つの方式のうちの１つもしくは組み合わせにおいて基地局によって通知された起動されたキャリアセットを取得する。これにより、ただ１つ又は少数のキャリア上でデータ処理能力を維持できるＵＥが、複数のキャリアから動的にキャリアを選択可能とし得る。それによって、ＵＥのスループットを増大させ、ネットワークスループットを最適化する。
【０１９０】
プライマリキャリアは、上位レイヤシグナリングを構成することにより、又は予め定義された方式で、ＵＥにより取得される少なくとも１個のキャリアであり、この少なくとも１個のキャリアは、ＵＥがＣＳＩ測定を実行するキャリアのうちの少なくとも１個である。
【０１９１】
セカンダリキャリアは、上位レイヤシグナリングを構成することにより、又は予め定義された方式で、ＵＥにより取得される少なくとも１個のキャリアであり、この少なくとも１個のキャリアは、ＵＥがＣＳＩ測定を実行するキャリアのうちの少なくとも１個である。
【０１９２】
さらに、受信部１１０２は、起動されたキャリアセットを取得した後に、起動されたキャリアセット内の起動されたキャリア上でダウンリンク制御情報を受信し、かつダウンリンク制御情報に従って起動されたキャリア上でＰＤＳＣＨを受信するようにさらに構成され；及び／又は
受信部１１０２は：起動されたキャリアセットを取得した後に、起動されたキャリアセット内の起動されたキャリアがＮ個のサブフレームの後にあり、かつ動的シグナリングを使用することにより基地局により通知される起動されたキャリアである場合、基地局が動的シグナリングを送信する起動されたキャリア上でダウンリンク制御情報を受信し、そして、ダウンリンク制御情報に従って、動的シグナリングにより示されるＮ個のフレームの後にある起動されたキャリア上で、ＰＤＣＣＨ又はｅＰＤＣＣＨ又はＰＤＳＣＨを受信するようにさらに構成される。
【０１９３】
さらに、受信部１１０２は、起動されたキャリアセットを取得した後に、起動されたキャリアセットが少なくとも１個のサブフレーム内にあり、かつ、予め定義された方式で、もしくは、上位レイヤシグナリングを使用することにより、基地局によってＵＥに通知される起動されたキャリアセットである場合、少なくとも１個のサブフレーム内の起動されたキャリア上で、物理報知チャネル、同期チャネル、及びページングチャネルのうちの１つもしくは複数を受信するようにさらに構成される。
【０１９４】
さらに、本実施形態におけるＵＥは、受信部１１０２が起動されたキャリアセットを取得した後に、起動されたキャリアセット内の起動されたキャリア上でチャネル状態情報を測定するように構成されるプロセッサ１１０３をさらに含んでもよい。
【０１９５】
さらに、受信部１１０２は、起動されたキャリアセットを取得した後に、予め定義された方式で、又は準静的シグナリング又は動的シグナリングを使用することにより、基地局によって通知された仮想起動されたキャリアを取得し、かつ仮想起動されたキャリアをプロセッサ１１０３に送信するようにさらに構成される。
【０１９６】
プロセッサ１１０３は、受信部１１０２から仮想起動されたキャリアセットを取得し、そして、ＰＤＣＣＨ、ｅＰＤＣＣＨ及びＰＤＳＣＨを受信するのではなく、仮想起動されたキャリアセット内の仮想起動されたキャリア上でチャネル状態情報を測定するようにさらに構成される。
【０１９７】
上記実施形態では、送信部１１０１は、測定能力表示情報と、データ通信を受信する能力を示す表示情報とを基地局に通知し、その後、受信部１１０２は、基地局によって通知された測定セットを受信し、測定セットは、測定能力表示情報に従って、ＵＥに対して、基地局によって選択され、測定能力表示情報は、ＣＳＩを測定するためのＵＥの能力を示す表示情報、及び／又はＲＳＲＰを測定するＵＥの能力を示す表示情報を含む。その結果、基地局は、チャネル状態情報、及び／又はＵＥによって通知されたＲＳＲＰを受信し、ＵＥに対して、ＣＳＩ測定セットを選択し、ＣＳＩ測定セットから、ＵＥに対して、起動されたキャリアセットを選択することができる。このように、基地局は、ＵＥに対して、起動されたキャリアセットを柔軟に選択することができる。
【０１９８】
本発明におけるＵＥは、ＵＥの１つのタイプであることに注意すべきである。このタイプのＵＥがＣＳＩ測定を行うキャリアの個数は、このタイプのＵＥがデータ通信の同時受信を行うキャリアの個数より多くなる、及び／又は、このタイプのＵＥがＣＳＩ測定を行うキャリアの個数は、このタイプのＵＥがデータ通信の同時受信を行うキャリアの個数より多くなる。
【０１９９】
当業者は、添付図面がただ１つの例示実施形態の概略図であること、及び添付図面におけるモジュール又はプロセスが本発明の必須のモジュール又はプロセスでなくてもよい、ということを理解することができる。
【０２００】
当業者は、実施形態における装置内のモジュールが実施形態の説明に係る実施形態の装置内に分散させられることがあること、又はモジュールが然るべく修正され、かつ、本実施形態とは異なる１つもしくは複数台の装置に位置してもよいことを理解することができる。上記実施形態におけるモジュールは、１個のモジュールに組み合わされることがあり、又は複数個のサブモジュールにさらに分割されてもよい。
【０２０１】
最後に、上記実施形態は、本発明を限定するのではなく、本発明の技術的解決手法を説明することだけが意図されていることに注意すべきである。本発明は、上記実施形態に関連して詳細に説明されているが、当業者は、上記実施形態において説明された技術的解決手法の変更、又はこれらの何らかの技術的特徴に対する均等な置換が対応する技術的解決手法の本質を本発明の実施形態の技術的解決手法の範囲から逸脱させることがない限り、このような変更又は置換を依然として行ってもよい、ということを理解すべきである。
【国際調査報告】
2015523023.tif 000028
2015523023.tif 000029
2015523023.tif 000030
2015523023.tif 000031